(57)【特許請求の範囲】
【請求項１】
（ａ）筐体と、（ｂ）１つまたはそれを上回る光エミッタと、（ｃ）１つまたはそれを上回る光検出器とを備える、煙検出器を利用した煙検出の方法であって、
第１の時間において、前記１つまたはそれを上回る光エミッタからほぼ前記第１の波長の光を放出せずに、前記筐体の外側から生じる第１の波長を含む光の第１の測定値を取得することと、
前記第１の時間の後の第２の時間において、少なくとも１つの前記光エミッタを用いて、ほぼ前記第１の波長の光を放出しながら、前記筐体の外側から生じる前記第１の波長を含む光の第２の測定値を取得することと、
前記第２の時間の後の第３の時間において、前記１つまたはそれを上回る光エミッタからほぼ前記第１の波長の光を放出せずに、前記筐体の外側から生じる前記第１の波長を含む光の第３の測定値を取得することと、
第４の時間において、前記１つまたはそれを上回る光エミッタからほぼ前記第２の波長の光を放出せずに、前記筐体の外側から生じる第２の波長を含む光の第１の測定値を取得することであって、前記第２の波長は、前記第１の波長より長い、ことと、
前記第４の時間の後の第５の時間において、少なくとも１つの前記光エミッタを用いて、ほぼ前記第２の波長の光を放出しながら、前記筐体の外側から生じる前記第２の波長を含む光の第２の測定値を取得することと、
前記第５の時間の後の第６の時間において、前記１つまたはそれを上回る光エミッタからほぼ前記第２の波長の光を放出せずに、前記筐体の外側から生じる前記第２の波長を含む光の第３の測定値を取得することと、
前記筐体の外側の周囲光レベルを検出することと、
（ｉ）前記検出された周囲光レベルと、（ｉｉ）前記第１の波長を含む光の第１または第３の測定値のうちの少なくとも１つとに基づいて、前記第１の波長を含む光の第２の測定値を補正し、それによって、補正された第１の波長測定値を生成することと、
（ｉ）前記検出された周囲光レベルと、（ｉｉ）前記第２の波長を含む光の第１または第３の測定値のうちの少なくとも１つとに基づいて、前記第２の波長を含む光の第２の測定値を補正し、それによって、補正された第２の波長測定値を生成することと、
前記補正された第１の波長測定値と前記補正された第２の波長測定値との比率に基づいて、前記筐体の外側の煙粒子の存在を判定することと
含む、方法。
【請求項２】
前記補正された第１の波長測定値を生成することは、（ｉ）前記第１の波長を含む前記光の第２の測定値から、前記第１の波長を含む前記光の第１および第３の測定値の平均を減算し、（ｉｉ）前記検出された周囲光レベルの関数に基づいて、前記第１の波長を含む前記光の第２の測定値に、オフセットを加算することを含む、請求項１に記載の方法。
【請求項３】
前記オフセットは、前記検出された周囲光レベルの線形または多項式関数に基づく、請求項２に記載の方法。
【請求項４】
前記補正された第２の波長測定値を生成することは、（ｉ）前記第２の波長を含む前記光の第２の測定値から、前記第２の波長を含む前記光の第１および第３の測定値の平均を減算し、（ｉｉ）前記検出された周囲光レベルの関数に基づいて、前記第２の波長を含む前記光の第２の測定値に、オフセットを加算することを含む、請求項１に記載の方法。
【請求項５】
前記オフセットは、前記検出された周囲光レベルの線形または多項式関数に基づく、請求項４に記載の方法。
【請求項６】
前記筐体の外側の煙粒子の存在を判定することは、前記補正された第１の波長測定値と前記補正された第２の波長測定値との比率を第１の閾値と比較することを含み、煙粒子は、前記補正された第１の波長測定値と前記補正された第２の波長測定値との比率が前記第１の閾値より大きいとき、存在すると判定される、請求項１に記載の方法。
【請求項７】
前記補正された第１の波長測定値と前記補正された第２の波長測定値との比率に基づいて、前記煙粒子の平均直径より大きい平均直径を有する妨害粒子の存在を判定することをさらに含む、請求項１に記載の方法。
【請求項８】
前記筐体の外側の煙粒子の存在を判定することは、前記補正された第１の波長測定値と前記補正された第２の波長測定値との比率を第１の閾値と比較することを含み、煙粒子は、前記補正された第１の波長測定値と前記補正された第２の波長測定値との比率が前記第１の閾値より大きいとき、存在すると判定され、
前記妨害粒子の存在を判定することは、前記補正された第１の波長測定値と前記補正された第２の波長測定値との比率を第２の閾値と比較することを含み、妨害粒子は、前記補正された第１の波長測定値と前記補正された第２の波長測定値との比率が前記第２の閾値より小さいとき、存在すると判定される、請求項７に記載の方法。
【請求項９】
前記第１の閾値は、前記第２の閾値とほぼ等しい、請求項８に記載の方法。
【請求項１０】
前記第２の閾値は、前記第１の閾値より低い、請求項８に記載の方法。
【請求項１１】
前記補正された第１の波長測定値または前記補正された第２の波長測定値のうちの少なくとも１つに基づいて、前記筐体の外側の障害物の存在を判定することをさらに含む、請求項１に記載の方法。
【請求項１２】
前記障害物の存在を判定することは、前記補正された第１の波長測定値または前記補正された第２の波長測定値のうちの少なくとも１つを障害物閾値と比較することを含み、障害物は、前記補正された第１の波長測定値または前記補正された第２の波長測定値のうちの少なくとも１つが前記障害物閾値より大きいとき、存在すると判定される、請求項１１に記載の方法。
【請求項１３】
前記障害物閾値は、前記１つまたはそれを上回る検出器の単一測定サイクルの間の煙の蓄積を介して達成不可能な信号レベルに対応する、請求項１２に記載の方法。
【請求項１４】
前記１つまたはそれを上回る光エミッタは、ある範囲の波長にわたって光を放出する広帯域光源を備え、前記第１および第２の波長は、前記波長の範囲内である、請求項１に記載の方法。
【請求項１５】
前記広帯域光源は、白色発光ダイオードを備える、請求項１４に記載の方法。
【請求項１６】
前記１つまたはそれを上回る光エミッタは、前記第１の波長で光を放出する第１の光エミッタと、前記第２の波長で光を放出する、前記第１の光エミッタと異なる第２の光エミッタとを備える、請求項１に記載の方法。
【請求項１７】
前記第１の波長は、約３００ｎｍ〜約４８０ｎｍである、請求項１に記載の方法。
【請求項１８】
前記第２の波長は、約６３０ｎｍ〜約１０００ｎｍである、請求項１に記載の方法。
【請求項１９】
煙検出器であって、
筐体と、
前記筐体の外側から、第１の波長および前記第１の波長より長い第２の波長の光を放出するための１つまたはそれを上回る光エミッタと、
（ｉ）前記１つまたはそれを上回る光検出器に後方反射され、それによって、前記第１および第２の波長を含む反射された光の測定値を提供する、前記１つまたはそれを上回る光エミッタから放出された光と、（ｉｉ）前記筐体の外側の周囲光レベルとを検出するための１つまたはそれを上回る光検出器と、
（ｉ）前記検出された周囲光レベルに基づいて、前記第１の波長を含む反射された光の測定値を補正し、それによって、補正された第１の波長測定値を生成し、（ｉｉ）前記検出された周囲光レベルに基づいて、前記第２の波長を含む反射された光の測定値を補正し、それによって、補正された第２の波長測定値を生成し、（ｉｉｉ）前記補正された第１の波長測定値と前記補正された第２の波長測定値との比率に基づいて、前記筐体の外側の煙粒子の存在を判定するための評価回路と、
を備える、煙検出器
【請求項２０】
前記評価回路は、
第１の時間において、前記１つまたはそれを上回る光エミッタからほぼ前記第１の波長の光を放出せずに、前記筐体の外側から生じる前記第１の波長を含む光の第１の測定値を取得することと、
前記第１の時間の後の第２の時間において、少なくとも１つの前記光エミッタを用いて、ほぼ前記第１の波長の光を放出しながら、前記筐体の外側から生じる前記第１の波長を含む光の第２の測定値を取得することと、
前記第２の時間の後の第３の時間において、前記１つまたはそれを上回る光エミッタからほぼ前記第１の波長の光を放出せずに、前記筐体の外側から生じる前記第１の波長を含む光の第３の測定値を取得することと、
第４の時間において、前記１つまたはそれを上回る光エミッタからほぼ前記第２の波長の光を放出せずに、前記筐体の外側から生じる前記第２の波長を含む光の第１の測定値を取得することと、
前記第４の時間の後の第５の時間において、少なくとも１つの前記光エミッタを用いて、ほぼ前記第２の波長の光を放出しながら、前記筐体の外側から生じる前記第２の波長を含む光の第２の測定値を取得することと、
前記第５の時間の後の第６の時間において、前記１つまたはそれを上回る光エミッタからほぼ前記第２の波長の光を放出せずに、前記筐体の外側から生じる前記第２の波長を含む光の第３の測定値を取得することと、
前記筐体の外側の周囲光レベルを検出することと
を行うように構成される、請求項１９に記載の煙検出器。
【請求項２１】
前記評価回路は、
（ｉ）前記第１の波長を含む前記光の第２の測定値から、前記第１の波長を含む前記光の第１および第３の測定値の平均を減算し、（ｉｉ）前記検出された周囲光レベルの関数に基づいて、前記第１の波長を含む前記光の第２の測定値に、第１のオフセットを加算することによって、前記補正された第１の波長測定値を生成し、
（ｉ）前記第２の波長を含む前記光の第２の測定値から、前記第２の波長を含む前記光の
第１および第３の測定値の平均を減算し、（ｉｉ）前記検出された周囲光レベルの関数に基づいて、前記第２の波長を含む前記光の第２の測定値に、第２のオフセットを加算することによって、前記補正された第２の波長測定値を生成する、
ように構成される、請求項２０に記載の煙検出器。
【請求項２２】
（ｉ）前記第１のオフセットは、前記検出された周囲光レベルの線形または多項式関数に基づき、（ｉｉ）前記第２のオフセットは、前記検出された周囲光レベルの線形または多項式関数に基づく、請求項２１に記載の煙検出器。
【請求項２３】
前記評価回路は、前記補正された第１の波長測定値と前記補正された第２の波長測定値との比率を第１の閾値と比較することによって、前記筐体の外側の煙粒子の存在を判定するように構成され、煙粒子は、前記補正された第１の波長測定値と前記補正された第２の波長測定値との比率が前記第１の閾値より大きいとき、存在すると判定される、請求項１９に記載の煙検出器。
【請求項２４】
前記評価回路は、前記補正された第１の波長測定値と前記補正された第２の波長測定値との比率に基づいて、前記煙粒子の平均直径より大きい平均直径を有する妨害粒子の存在を判定するように構成される、請求項１９に記載の煙検出器。
【請求項２５】
前記評価回路は、
前記補正された第１の波長測定値と前記補正された第２の波長測定値との比率を第１の閾値と比較することによって、前記筐体の外側の煙粒子の存在を判定することであって、煙粒子は、前記補正された第１の波長測定値と前記補正された第２の波長測定値との比率が前記第１の閾値より大きいとき、存在すると判定される、ことと、
前記補正された第１の波長測定値と前記補正された第２の波長測定値との比率を第２の閾値と比較することによって、前記妨害粒子の存在を判定することであって、妨害粒子は、前記補正された第１の波長測定値と前記補正された第２の波長測定値との比率が前記第２の閾値より小さいとき、存在すると判定される、ことと
を行うように構成される、請求項２４に記載の煙検出器。
【請求項２６】
前記第１の閾値は、前記第２の閾値とほぼ等しい、請求項２５に記載の煙検出器。
【請求項２７】
前記第２の閾値は、前記第１の閾値より低い、請求項２５に記載の煙検出器。
【請求項２８】
前記評価回路は、前記補正された第１の波長測定値または前記補正された第２の波長測定値のうちの少なくとも１つに基づいて、前記筐体の外側の障害物の存在を判定するように構成される、請求項１９に記載の煙検出器。
【請求項２９】
前記評価回路は、前記補正された第１の波長測定値または前記補正された第２の波長測定値のうちの少なくとも１つを障害物閾値と比較することによって、前記障害物の存在を判定するように構成され、障害物は、前記補正された第１の波長測定値または前記補正された第２の波長測定値のうちの少なくとも１つが前記障害物閾値より大きいとき、存在すると判定される、請求項２８に記載の煙検出器。
【請求項３０】
前記障害物閾値は、前記１つまたはそれを上回る検出器の単一測定サイクルの間の煙の蓄積を介して達成不可能な信号レベルに対応する、請求項２９に記載の煙検出器。
【請求項３１】
前記１つまたはそれを上回る光エミッタは、ある範囲の波長にわたって光を放出する広帯域光源を備え、前記第１および第２の波長は、前記波長の範囲内である、請求項１９に記載の煙検出器。
【請求項３２】
前記広帯域光源は、白色発光ダイオードを備える、請求項３１に記載の煙検出器。
【請求項３３】
前記１つまたはそれを上回る光エミッタは、前記第１の波長で光を放出する第１の光エミッタと、前記第２の波長で光を放出する、前記第１の光エミッタと異なる第２の光エミッタとを備える、請求項１９に記載の煙検出器。
【請求項３４】
（ｉ）前記第１の光エミッタは、前記第２の光エミッタが前記第２の波長の光を放出していないときのみ、前記第１の波長の光を放出するように構成され、（ｉｉ）前記第２の光エミッタは、前記第１の光エミッタが前記第１の波長の光を放出していないときのみ、前記第２の波長の光を放出するように構成される、請求項３３に記載の煙検出器。
【請求項３５】
前記第１の波長は、約３００ｎｍ〜約４８０ｎｍである、請求項１９に記載の煙検出器。
【請求項３６】
前記第２の波長は、約６３０ｎｍ〜約１０００ｎｍである、請求項１９に記載の煙検出器。
【請求項３７】
前記評価回路は、
第１の時間において、少なくとも１つの前記光エミッタを用いて、ほぼ前記第１の波長の光を放出しながら、前記筐体の外側から生じる前記第１の波長を含む光の第１の測定値を取得することと、
（ｉ）前記第１の時間より早い第２の時間において、前記１つまたはそれを上回る光エミッタからほぼ前記第１の波長の光を放出せずに、前記筐体の外側から生じる前記第１の波長を含む光の第２の測定値を取得するか、または（ｉｉ）前記第１の時間より後の第３の時間において、前記１つまたはそれを上回る光エミッタからほぼ前記第１の波長の光を放出せずに、前記筐体の外側から生じる前記第１の波長を含む光の第３の測定値を取得するかのうちの少なくとも１つを行うことと、
第４の時間において、少なくとも１つの前記光エミッタを用いて、ほぼ前記第２の波長の光を放出しながら、前記筐体の外側から生じる前記第２の波長を含む光の第１の測定値を取得することと、
（ｉ）前記第４の時間より早い第５の時間において、前記１つまたはそれを上回る光エミッタからほぼ前記第２の波長の光を放出せずに、前記筐体の外側から生じる前記第２の波長を含む光の第２の測定値を取得するか、または（ｉｉ）前記第４の時間より後の第６の時間において、前記１つまたはそれを上回る光エミッタからほぼ前記第２の波長の光を放出せずに、前記筐体の外側から生じる前記第２の波長を含む光の第３の測定値を取得するかのうちの少なくとも１つを行うことと、
前記筐体の外側の周囲光レベルを検出することと
を行うように構成される、請求項１９に記載の煙検出器。
【請求項３８】
前記評価回路は、
前記第１の波長を含む光の前記第２または第３の測定値のうちの１つのみを取得することと、
（ｉ）前記第１の波長を含む光の第１の測定値から、前記第１の波長を含む光の前記第２または第３の測定値のうちの取得された１つを減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、請求項３７に記載の煙検出器。
【請求項３９】
前記評価回路は、
前記第１の波長を含む光の第２および第３の測定値の両方を取得することと、
（ｉ）前記第１の波長を含む光の第１の測定値から、前記第１の波長を含む光の第２および第３の測定値の平均を減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、請求項３７に記載の煙検出器。
【請求項４０】
前記評価回路は、
前記第２の波長を含む光の第２または第３の測定値のうちの１つのみを取得することと、
（ｉ）前記第２の波長を含む光の第１の測定値から、前記第２の波長を含む光の第２または第３の測定値のうちの取得された１つを減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、請求項３７に記載の煙検出器。
【請求項４１】
前記評価回路は、
前記第２の波長を含む光の第２および第３の測定値の両方を取得することと、
（ｉ）前記第２の波長を含む光の第１の測定値から、前記第２の波長を含む光の第２および第３の測定値の平均を減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、請求項３７に記載の煙検出器。
【請求項４２】
前記評価回路は、
前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得することと、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、請求項１９に記載の煙検出器。
【請求項４３】
前記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、請求項４２に記載の煙検出器。
【請求項４４】
（ｉ）前記第１のオフセットは、前記検出された周囲光レベルの線形または多項式関数に基づき、（ｉｉ）前記第２のオフセットは、前記検出された周囲光レベルの線形または多項式関数に基づく、請求項４３に記載の煙検出器。
【請求項４５】
前記評価回路は、前記第１の波長を含む光の測定値および前記第２の波長を含む光の測定値が取得される前に、前記第１の波長および前記第２の波長を含む光の第１の非照明測定値を取得するように構成される、請求項４２に記載の煙検出器。
【請求項４６】
前記評価回路は、前記第１の波長および前記第２の波長を含む光の第１の非照明測定値が取得される前に、前記第１の波長を含む光の測定値または前記第２の波長を含む光の測定値のうちの少なくとも１つを取得するように構成される、請求項４２に記載の煙検出器。
【請求項４７】
前記評価回路は、前記第１の波長および前記第２の波長を含む光の第１の非照明測定値が取得される前に、前記第１の波長を含む光の測定値または前記第２の波長を含む光の測定値のうちの１つのみを取得するように構成される、請求項４２に記載の煙検出器。
【請求項４８】
前記評価回路は、前記第１の波長および前記第２の波長を含む光の第１の非照明測定値を取得後、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第２の非照明測定値を取得するように構成される、請求項４２に記載の煙検出器。
【請求項４９】
前記評価回路は、（ｉ）前記第１の波長を含む光の測定値または前記第２の波長を含む光の測定値のうちの少なくとも１つが取得される前に、前記第１の波長および前記第２の波長を含む光の第１の非照明測定値を取得し、（ｉｉ）前記第１の波長を含む光の測定値または前記第２の波長を含む光の測定値のうちの少なくとも１つが取得された後、前記第１の波長および前記第２の波長を含む光の第２の非照明測定値を取得するように構成される、請求項４８に記載の煙検出器。
【請求項５０】
前記評価回路は、（ｉ）前記第１の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第１の波長を含む光の測定値に、オフセットを加算することによって、前記補正された第１の波長測定値を生成するように構成される、請求項４８に記載の煙検出器。
【請求項５１】
前記評価回路は、（ｉ）前記第２の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第２の波長を含む光の測定値に、オフセットを加算することによって、前記補正された第２の波長測定値を生成するように構成される、請求項４８に記載の煙検出器。
【請求項５２】
前記評価回路は、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、請求項１９に記載の煙検出器。
【請求項５３】
前記評価回路は、
少なくとも部分的に、前記検出された周囲光レベルの関数に基づいて、前記第１の波長を含む光の測定値に、第１のオフセットを加算することによって、前記補正された第１の波長測定値を生成することと、
少なくとも部分的に、前記検出された周囲光レベルの関数に基づいて、前記第２の波長を含む光の測定値に、第２のオフセットを加算することによって、前記補正された第２の波長測定値を生成することと
を行うように構成される、請求項５２に記載の煙検出器。
【請求項５４】
前記評価回路は、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得するように構成される、請求項５２に記載の煙検出器。
【請求項５５】
前記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、請求項５４に記載の煙検出器。
【請求項５６】
（ａ）筐体と、（ｂ）１つまたはそれを上回る光エミッタと、（ｃ）１つまたはそれを上回る光検出器とを備える、煙検出器を利用した煙検出の方法であって、
第１の時間において、少なくとも１つの前記光エミッタを用いて、ほぼ前記第１の波長の光を放出しながら、前記筐体の外側から生じる第１の波長を含む光の第１の測定値を取得することと、
（ｉ）前記第１の時間より早い第２の時間において、前記１つまたはそれを上回る光エミッタからほぼ前記第１の波長の光を放出せずに、前記筐体の外側から生じる前記第１の波長を含む光の第２の測定値を取得することと、または（ｉｉ）前記第１の時間より後の第３の時間において、前記１つまたはそれを上回る光エミッタからほぼ前記第１の波長の光を放出せずに、前記筐体の外側から生じる前記第１の波長を含む光の第３の測定値を取得することとのうちの少なくとも１つを行うことと、
第４の時間において、少なくとも１つの前記光エミッタを用いて、ほぼ前記第２の波長の光を放出しながら、前記筐体の外側から生じる第２の波長を含む光の第１の測定値を取得することであって、前記第２の波長は、前記第１の波長より長い、ことと、
（ｉ）前記第４の時間より早い第５の時間において、前記１つまたはそれを上回る光エミッタからほぼ前記第２の波長の光を放出せずに、前記筐体の外側から生じる前記第２の波長を含む光の第２の測定値を取得することと、または（ｉｉ）前記第４の時間より後の第６の時間において、前記１つまたはそれを上回る光エミッタからほぼ前記第２の波長の光を放出せずに、前記筐体の外側から生じる前記第２の波長を含む光の第３の測定値を取得することとのうちの少なくとも１つを行うことと、
前記筐体の外側の周囲光レベルを検出することと、
（ｉ）前記検出された周囲光レベルと、（ｉｉ）前記第１の波長の光の第２または第３の測定値のうちの少なくとも１つとに基づいて、前記第１の波長の光の第１の測定値を補正し、それによって、補正された第１の波長測定値を生成することと、
（ｉ）前記検出された周囲光レベルと、（ｉｉ）前記第２の波長の光の第２または第３の測定値のうちの少なくとも１つに基づいて、前記第２の波長の光の第１の測定値を補正し、それによって、補正された第２の波長測定値を生成することと、
前記補正された第１の波長測定値と前記補正された第２の波長測定値との比率に基づいて、前記筐体の外側の煙粒子の存在を判定することと
を含む、方法。
【請求項５７】
前記第１の波長を含む光の第２または第３の測定値のうちの１つのみが、取得され、
前記補正された第１の波長測定値を生成することは、（ｉ）前記第１の波長を含む光の第１の測定値から、前記第１の波長を含む光の前記第２または第３の測定値のうちの取得された１つを減算し、（ｉｉ）前記検出された周囲光レベルの関数に基づいて、前記第１の波長を含む光の第１の測定値に、オフセットを加算することを含む、
請求項５６に記載の方法。
【請求項５８】
前記オフセットは、前記検出された周囲光レベルの線形または多項式関数に基づく、請求項５７に記載の方法。
【請求項５９】
前記第１の波長を含む光の第２および第３の測定値の両方が、取得され、
前記補正された第１の波長測定値を生成することは、（ｉ）前記第１の波長を含む光の第１の測定値から、前記第１の波長を含む光の第２および第３の測定値の平均を減算し、（ｉｉ）前記検出された周囲光レベルの関数に基づいて、前記第１の波長を含む光の第１の測定値に、オフセットを加算することを含む、
請求項５６に記載の方法。
【請求項６０】
前記オフセットは、前記検出された周囲光レベルの線形または多項式関数に基づく、請求項５９に記載の方法。
【請求項６１】
前記第２の波長を含む光の第２または第３の測定値のうちの１つのみが、取得され、
前記補正された第２の波長測定値を生成することは、（ｉ）前記第２の波長を含む光の第１の測定値から、前記第２の波長を含む光の第２または第３の測定値のうちの取得された１つを減算し、（ｉｉ）前記検出された周囲光レベルの関数に基づいて、前記第２の波長を含む光の第１の測定値に、オフセットを加算することを含む、
請求項５６に記載の方法。
【請求項６２】
前記オフセットは、前記検出された周囲光レベルの線形または多項式関数に基づく、請求項６１に記載の方法。
【請求項６３】
前記第２の波長を含む光の第２および第３の測定値の両方が、取得され、
前記補正された第２の波長測定値を生成することは、（ｉ）前記第２の波長を含む光の第１の測定値から、前記第２の波長を含む光の第２および第３の測定値の平均を減算し、（ｉｉ）前記検出された周囲光レベルの関数に基づいて、前記第２の波長を含む光の第１の測定値に、オフセットを加算することを含む、
請求項５６に記載の方法。
【請求項６４】
前記オフセットは、前記検出された周囲光レベルの線形または多項式関数に基づく、請求項６３に記載の方法。
【請求項６５】
前記筐体の外側の煙粒子の存在を判定することは、前記補正された第１の波長測定値と前記補正された第２の波長測定値との比率を第１の閾値と比較することを含み、煙粒子は、前記補正された第１の波長測定値と前記補正された第２の波長測定値との比率が前記第１の閾値より大きいとき、存在すると判定される、請求項５６に記載の方法。
【請求項６６】
前記補正された第１の波長測定値と前記補正された第２の波長測定値との比率に基づいて、前記煙粒子の平均直径より大きい平均直径を有する妨害粒子の存在を判定することをさらに含む、請求項５６に記載の方法。
【請求項６７】
前記筐体の外側の煙粒子の存在を判定することは、前記補正された第１の波長測定値と前記補正された第２の波長測定値との比率を第１の閾値と比較することを含み、煙粒子は、前記補正された第１の波長測定値と前記補正された第２の波長測定値との比率が前記第１の閾値より大きいとき、存在すると判定され、
前記妨害粒子の存在を判定することは、前記補正された第１の波長測定値と前記補正された第２の波長測定値との比率を第２の閾値と比較することを含み、妨害粒子は、前記補正された第１の波長測定値と前記補正された第２の波長測定値との比率が前記第２の閾値より小さいとき、存在すると判定される、
請求項６６に記載の方法。
【請求項６８】
前記第１の閾値は、前記第２の閾値とほぼ等しい、請求項６７に記載の方法。
【請求項６９】
前記第２の閾値は、前記第１の閾値より低い、請求項６７に記載の方法。
【請求項７０】
前記補正された第１の波長測定値または前記補正された第２の波長測定値のうちの少なくとも１つに基づいて、前記筐体の外側の障害物の存在を判定することをさらに含む、請求項５６に記載の方法。
【請求項７１】
前記障害物の存在を判定することは、前記補正された第１の波長測定値または前記補正された第２の波長測定値のうちの少なくとも１つを障害物閾値と比較することを含み、障害物は、前記補正された第１の波長測定値または前記補正された第２の波長測定値のうちの少なくとも１つが前記障害物閾値より大きいとき、存在すると判定される、請求項７０に記載の方法。
【請求項７２】
前記障害物閾値は、前記１つまたはそれを上回る検出器の単一測定サイクルの間の煙の蓄積を介して達成不可能な信号レベルに対応する、請求項７１に記載の方法。
【請求項７３】
前記１つまたはそれを上回る光エミッタは、ある範囲の波長にわたって光を放出する広帯域光源を備え、前記第１および第２の波長は、前記波長の範囲内である、請求項５６に記載の方法。
【請求項７４】
前記広帯域光源は、白色発光ダイオードを備える、請求項７３に記載の方法。
【請求項７５】
前記１つまたはそれを上回る光エミッタは、前記第１の波長で光を放出する第１の光エミッタと、前記第２の波長で光を放出する、前記第１の光エミッタと異なる第２の光エミッタとを備える、請求項５６に記載の方法。
【請求項７６】
前記第１の波長は、約３００ｎｍ〜約４８０ｎｍである、請求項５６に記載の方法。
【請求項７７】
前記第２の波長は、約６３０ｎｍ〜約１０００ｎｍである、請求項５６に記載の方法。
【発明の詳細な説明】
【技術分野】
【０００１】
（関連出願）
本願は、２０１３年１０月３０日に出願された米国特許出願第１４／０６７，４３１号および２０１４年１０月２４日に出願された米国特許出願第１４／５２２，９７１号の利益およびこれらに対する優先権を主張するものである。これらの出願の各々の全体の開示は、参照により本明細書中に援用される。
【０００２】
種々の実施形態では、本発明は、概して、煙検出器に関し、特に、外部サンプリング体積を有するそのような検出器に関する。
【背景技術】
【０００３】
外部サンプリング体積を伴う煙検出器は、その筐体の外側から光を放出し、サンプリング体積内に位置する煙粒子によって、筐体の中に後方散乱される光を検出することによって動作する。外部サンプリング体積を伴う煙検出器は、従来の電離および光電煙検出器に優るいくつかの重要な利点を有する。第１に、内部感知チャンバおよびその中への煙粒子の低速蓄積を排除することによって、閾値煙密度が検出器の外側に到達するときと、煙検出器が応答するときとの間の遅滞時間は、実質的に排除される。これは、火災が避難を不可能にする前に、占有者が建物から安全に避難するために利用可能な時間である、有効安全避難時間（ＡＳＥＴ）を増加させる。第２に、筐体の中への煙粒子の進入の必要性を省くことによって、煙検出器全体が、表面から外向きの最小限の突出部が存在するように、天井または壁の開口部内に搭載され得、煙検出器のそのような同一平面搭載は、審美的に美しい外観をもたらす。第３に、煙検出要素が、完全に試験され得る。試験特徴を具備する従来の電離および光電煙検出器では、試験機構は、外部サンプリング体積を伴う煙検出器内ではなく、電気回路のみを試験し、煙検出要素の動作は、物体をサンプリング体積の中に侵入させることによって試験され得る。
【０００４】
これらの利点にもかかわらず、外部サンプリング体積を伴う煙検出器は、広く展開されていない。１つの理由は、特に、周囲光レベルに変化が存在するとき、周囲光によって発生される信号から散乱された光によって発生される信号を単離することのこれらの煙検出器の困難点である。別の理由は、これらの煙検出器が煙粒子を妨害粒子または他の物体を区別することの困難点である。両例の曖昧性は、妨害源が存在するときの誤アラーム、または火災源が存在するときの応答の欠如につながり得る。
【０００５】
故に、外部サンプリング体積を伴う煙検出器と、周囲光の影響を除外し、煙粒子と妨害粒子および物体を区別することができる、関連検出技法とが必要とされる。
【発明の概要】
【課題を解決するための手段】
【０００６】
本発明の種々の実施形態によると、煙検出器は、近接センサ（または複数の構成要素が、集合的に、近接センサの機能性を提供する）を使用して、検出器外側の煙の存在を検出する。近接センサは、概して、光のビームを放出し、任意の散乱または反射された信号を規定された範囲内に位置する物体から検出することによって動作する。近接センサは、少なくとも１つの光検出器（典型的には、近接センサ内に内蔵されるが、必ずしもそうではない）とともに、制御回路および信号処理回路を特徴とする。少なくとも１つの光エミッタもまた、近接センサ内に内蔵されてもよく、または離散されるが、近接センサによって外部から駆動されてもよい。煙検出器はまた、周囲光センサを使用して、周囲光レベルを測定および補償する。周囲光センサは、少なくとも１つの光検出器（典型的には、周囲光センサ内に内蔵されるが、必ずしもそうではない）とともに、制御回路および信号処理回路を特徴とする。周囲光センサは、近接センサと別個であってもよく、または近接センサの一部であって（かつさらにその中に内蔵され）もよく、その場合、周囲光センサおよび近接センサは、共通光検出器を使用してもよい。本発明の代替実施形態は、煙検出器の機能性を改変せずに、近接センサの代わりに、離散光エミッタおよび光検出器を利用する。本明細書で利用されるように、「光検出器」は、光によって照明されるとき、光の存在を示す、および／またはその特性（例えば、輝度、波長等）を測定する、離散または内蔵電子構成要素である。
【０００７】
本発明の種々の実施形態によると、近接センサは、開口部真下の煙検出器の筐体の内側に配置される。開口部は、放出された光に少なくとも部分的に透過性である窓によって被覆されてもよく、もしくはそうでなくてもよく、および／またはレンズ、プリズム、ミラー、ならびに／もしくは格子等の光学要素を含有してもよい。放出されたビームの大部分は、開口部を通して煙検出器の外側の環境に通過する。煙検出器の外側であるが、近接センサ（または本明細書に説明される他の離散構成要素）の規定された範囲内にある領域は、本明細書では、「外部サンプリング体積」として画定される。煙または障害物が、外部サンプリング体積に進入する場合、近接センサによって発生される信号は、増加するであろう。煙の場合、信号の増加は、煙粒子によって放出されたビームの散乱から生じる。障害物の場合、信号の増加は、障害物からの放出されたビームの反射から生じる。近接センサは、開口部、窓、および／または光学要素を介して、外側環境に光学的に暴露されるため、その信号はまた、近接センサに入射する周囲光によっても増減され得る。周囲光は、本明細書で利用されるように、煙検出器の内側またはそれと関連付けられた光エミッタから生じていない、外部サンプリング体積または筐体に進入する任意の光である。例示的周囲光源は、太陽光、または白熱、蛍光、ハロゲン、もしくはＬＥＤ電球からの光を含む。
【０００８】
評価回路は、周期的または継続的に、信号を分析し、障害物、煙、またはシステム障害が存在するかどうかを判定してもよい。障害物による反射は、典型的には、煙粒子による散乱より明らかに強い信号を生成するため、障害物閾値は、典型的には、煙散乱によって発生される最大可能信号より高く設定される。信号が、所定の時間量の間、障害物閾値を超える場合、障害物アラームが、アクティブ化されてもよい。本所定の遅延は、典型的には、外部サンプリング体積を通して通過する昆虫等、一過性の事象から望ましくないアラームを排除する。
【０００９】
煙閾値は、概して、障害物閾値より低いが、背景信号より高く設定され、煙閾値は、検出器外側の所与の煙密度に対して発生される信号に対応し得る。ガスまたは熱センサ等の付加的センサが、煙検出器内に組み込まれる場合、煙閾値は、付加的センサからの信号が、より高速のアクティブ化および妨害源（すなわち、誤アラーム）からのより優れた識別力を提供し得るため、これらのセンサからの信号の増加に伴って低下されてもよい。本発明の実施形態の利点は、近接センサ（または均等物構成要素）が、直接、煙検出器の外側の煙密度を測定することであって、これは、従来の電離または光電煙検出器と比較して、遅滞時間を実質的に短縮させる。
【００１０】
煙検出器の動作は、手またはほうきの柄等の物体を外部サンプリング体積の中に挿入し、所定の遅延が経過した後に、障害物アラームをアクティブ化させることによって、手動で試験されてもよい。同様に、アラームがアクティブ化されている間、物体を外部サンプリング体積の中に侵入させることは、一時的に、アラームを静音化させ得る。
【００１１】
本発明の実施形態はまた、少なくとも部分的に、そのような粒子と光の複数の異なる波長との間の具体的相互作用に基づいて、煙粒子と妨害粒子とを区別する。（本明細書で利用されるように、「妨害粒子」は、広義には、火災から生じず、典型的には、典型的煙粒子より大きい平均直径（例えば、少なくとも１０倍より大きいおよび／または少なくとも１ミクロンの直径）を有する、蒸気または空気媒介粒子状物質を指す。妨害粒子の非限定的実施例は、水蒸気、料理煙霧質（例えば、植物油、トースト、ハンバーガー、ベーコン等）、粉末、および粉塵（例えば、セメント粉塵）である。）妨害粒子は、典型的には、煙粒子より大きいため、種々の波長の光を異なって散乱させる傾向となるであろう。したがって、複数の波長にわたる散乱挙動は、妨害粒子と煙粒子を区別するために利用され得る。さらに、本発明の実施形態はまた、（１）利用されている光エミッタの具体的挙動および特性と、（２）周囲光の量とに基づいて、外部サンプリング面積から受信された光検出信号を補正する。このように、本発明の実施形態による煙検出器は、従来のシステムの誤検知アラームを伴わずに、空気媒介粒子および障害物をより正確に識別する。
【００１２】
ある側面では、本発明の実施形態は、（ａ）筐体と、（ｂ）１つまたはそれを上回る光エミッタと、（ｃ）１つまたはそれを上回る光検出器とを備える、またはそれらから本質的に成る、煙検出器を利用した煙検出の方法を特徴とする。第１の時間において、筐体の外側から生じる第１の波長を含む光の第１の測定値が、１つまたはそれを上回る光エミッタからほぼ第１の波長の光を放出せずに、取得される。第１の時間の後の第２の時間において、筐体の外側から生じる第１の波長を含む光の第２の測定値が、少なくとも１つの該光エミッタを用いて、ほぼ第１の波長の光を放出しながら、取得される。第２の時間の後の第３の時間において、筐体の外側から生じる第１の波長を含む光の第３の測定値が、１つまたはそれを上回る光エミッタからほぼ第１の波長の光を放出せずに、取得される。第４の時間において、筐体の外側から生じる第２の波長を含む光の第１の測定値が、１つまたはそれを上回る光エミッタからほぼ第２の波長の光を放出せずに、取得される。第２の波長は、第１の波長より長い。第４の時間の後の第５の時間において、筐体の外側から生じる第２の波長を含む光の第２の測定値が、少なくとも１つの該光エミッタを用いて、ほぼ第２の波長の光を放出しながら、取得される。第５の時間の後の第６の時間において、筐体の外側から生じる第２の波長を含む光の第３の測定値が、１つまたはそれを上回る光エミッタからほぼ第２の波長の光を放出せずに、取得される。（本明細書で利用されるように、「筐体の外側から生じる」光は、光エミッタのうちの１つまたはそれを上回るものによって元々放出され、外部サンプリング面積内の物体または複数の粒子から光検出器のうちの１つまたはそれを上回るものに後方反射される光、ならびに他の源から生じ、光検出器のうちの１つまたはそれを上回るものによって検出される特定の波長の他の光（例えば、背景光）の部分を含む。）筐体の外側の周囲光レベルが、検出される。第１の波長を含む光の第２の測定値は、（ｉ）検出された周囲光レベルと、（ｉｉ）第１の波長を含む光の第１および／または第３の測定値とに基づいて、補正され、それによって、補正された第１の波長測定値を生成する。第２の波長を含む光の第２の測定値は、（ｉ）検出された周囲光レベルと、（ｉｉ）第２の波長を含む光の第１および／または第３の測定値とに基づいて、補正され、それによって、補正された第２の波長測定値を生成する。筐体の外側の煙粒子の存在は、補正された第１の波長測定値と補正された第２の波長測定値との比率に基づいて、判定される。
【００１３】
本発明の実施形態は、種々の異なる組み合わせのいずれかにおいて、以下のうちの１つまたはそれを上回るものを含んでもよい。第１または第２の波長を含む光の測定値は、第１または第２の波長を含むより広い範囲の波長の光の広帯域測定値であってもよく（例えば、広帯域検出器を介して）、または第１または第２の波長に実質的に等しい、もしくはそれらを含む、狭帯域の光の狭帯域測定値であってもよい（例えば、特定の波長または波長範囲にのみ応答する異なる狭帯域検出器を介して）。補正された第１の波長測定値を生成するステップは、（ｉ）第１の波長を含む光の第２の測定値から、第１の波長を含む光の第１および第３の測定値の平均を減算し、（ｉｉ）検出された周囲光レベルの関数に基づいて、第１の波長を含む光の第２の測定値に、オフセットを加算するステップを含む、またはそれらから本質的に成ってもよい。オフセットは、検出された周囲光レベルの線形または多項式関数に基づいてもよい。補正された第２の波長測定値を生成するステップは、（ｉ）第２の波長を含む光の第２の測定値から、第２の波長を含む光の第１および第３の測定値の平均を減算し、（ｉｉ）検出された周囲光レベルの関数に基づいて、第２の波長を含む光の第２の測定値に、オフセットを加算するステップを含む、またはそれらから本質的に成ってもよい。オフセットは、検出された周囲光レベルの線形または多項式関数に基づいてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定される。第１の閾値は、約０．５％／フィートの筐体の外側の煙による視界低下を介して発生される信号レベルより大きい信号レベルおよび／または約４％／フィートの筐体の外側の煙による視界低下を介して発生される信号レベルより小さい信号レベルに対応してもよい。
【００１４】
煙粒子の平均直径より大きい平均直径を有する妨害粒子の存在は、補正された第１の波長測定値と補正された第２の波長測定値との比率に基づいて、判定されてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定され、妨害粒子の存在を判定するステップは、補正された第１の波長測定値と補正された第２の波長測定値との比率を第２の閾値と比較するステップを含む、またはそれらから本質的に成ってもよく、妨害粒子は、補正された第１の波長測定値と補正された第２の波長測定値との比率が第２の閾値より小さいとき、存在すると判定される。第１の閾値は、第２の閾値にほぼ等しくてもよい、または第２の閾値は、第１の閾値より低くてもよい。
【００１５】
筐体の外側の障害物の存在は、補正された第１の波長測定値および／または補正された第２の波長測定値に基づいて、判定されてもよい。障害物の存在を判定するステップは、補正された第１の波長測定値および／または補正された第２の波長測定値を障害物閾値と比較するステップを含む、またはそれらから本質的に成ってもよく、障害物は、補正された第１の波長測定値および／または補正された第２の波長測定値が障害物閾値より大きいとき、存在すると判定される。障害物閾値は、１つまたはそれを上回る検出器の単一測定サイクルの間の煙の蓄積を介して達成不可能な信号レベルに対応してもよい。（種々の実施形態では、単一測定サイクルは、連続または周期的監視モードにあるとき、１つまたはそれを上回る検出器によって取得される測定値間の時間に対応する。）障害物閾値は、約４０％／フィートの筐体の外側の煙による視界低下を介して発生される信号レベルより大きい信号レベルに対応してもよい。
【００１６】
１００ミリ秒未満、またはさらに１ミリ秒未満が、第１の時間と第３の時間との間で経過してもよい。１００ミリ秒未満、またはさらに１ミリ秒未満が、第４の時間と第６の時間との間で経過してもよい。１つまたはそれを上回る光エミッタは、ある範囲の波長にわたって光を放出する広帯域光源を含む、またはそれから本質的に成ってもよく、第１および第２の波長は、波長の範囲内である。広帯域光源は、白色発光ダイオードを含む、またはそれから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。煙検出器は、近接センサを含んでもよい。少なくとも１つの光エミッタおよび／または少なくとも１つの光検出器は、近接センサ内に内蔵されてもよい。煙検出器は、近接センサから離散した周囲光センサを含んでもよい。少なくとも１つの光検出器は、周囲光センサ内に内蔵されてもよい。
【００１７】
第２の波長の光は、第２の時間に放出されなくてもよい。第１の波長の光は、第５の時間に放出されなくてもよい。第１の波長は、約３００ｎｍ〜約４８０ｎｍであってもよい。第２の波長は、約６３０ｎｍ〜約１０００ｎｍであってもよい。光は、第１および第３の時間に光エミッタのいずれによっても放出されなくてもよい。光は、第４および第６の時間に光エミッタのいずれによっても放出されなくてもよい。
【００１８】
別の側面では、本発明の実施形態は、筐体と、筐体の外側から、第１の波長および第１の波長より長い第２の波長の光を放出するための１つまたはそれを上回る光エミッタと、（ｉ）１つまたはそれを上回る光検出器に後方反射され、それによって、第１および第２の波長を含む反射された光の測定値を提供する、１つまたはそれを上回る光エミッタから放出された光と、（ｉｉ）筐体の外側の周囲光レベルとを検出するための１つまたはそれを上回る光検出器と、（ｉ）検出された周囲光レベルに基づいて、第１の波長を含む反射された光の測定値を補正し、それによって、補正された第１の波長測定値を生成し、（ｉｉ）検出された周囲光レベルに基づいて、第２の波長を含む反射された光の測定値を補正し、それによって、補正された第２の波長測定値を生成し、（ｉｉｉ）補正された第１の波長測定値と補正された第２の波長測定値との比率に基づいて、筐体の外側の煙粒子の存在を判定するための評価回路とを含む、またはそれらから本質的に成る、煙検出器を特徴とする。
【００１９】
本発明の実施形態は、種々の異なる組み合わせのいずれかにおいて、以下のうちの１つまたはそれを上回るものを含んでもよい。第１または第２の波長を含む光の測定値は、第１または第２の波長を含むより広い範囲の波長の光の広帯域測定値であってもよく（例えば、広帯域検出器を介して）、または第１または第２の波長に実質的に等しい、もしくはそれらを含む、狭帯域の光の狭帯域測定値であってもよい（例えば、特定の波長または波長範囲にのみ応答する異なる狭帯域検出器を介して）。評価回路は、（例えば、１つまたはそれを上回る光エミッタおよび１つまたはそれを上回る光検出器等の制御構成要素を介して）（ｉ）第１の時間において、１つまたはそれを上回る光エミッタからほぼ第１の波長の光を放出せずに、筐体の外側から生じる第１の波長を含む光の第１の測定値を取得し、（ｉｉ）第１の時間の後の第２の時間において、少なくとも１つの該光エミッタを用いて、ほぼ第１の波長の光を放出しながら、筐体の外側から生じる第１の波長を含む光の第２の測定値を取得し、（ｉｉｉ）第２の時間の後の第３の時間において、１つまたはそれを上回る光エミッタからほぼ第１の波長の光を放出せずに、筐体の外側から生じる第１の波長を含む光の第３の測定値を取得し、（ｉｖ）第４の時間において、１つまたはそれを上回る光エミッタからほぼ第２の波長の光を放出せずに、筐体の外側から生じる第２の波長を含む光の第１の測定値を取得し、（ｖ）第４の時間の後の第５の時間において、少なくとも１つの該光エミッタを用いて、ほぼ第２の波長の光を放出しながら、筐体の外側から生じる第２の波長を含む光の第２の測定値を取得し、（ｖｉ）第５の時間の後の第６の時間において、１つまたはそれを上回る光エミッタからほぼ第２の波長の光を放出せずに、筐体の外側から生じる第２の波長を含む光の第３の測定値を取得し、（ｖｉｉ）筐体の外側の周囲光レベルを検出するように構成されてもよい。
【００２０】
評価回路は、（ｉ）第１の波長を含む光の第２の測定値から、第１の波長を含む光の第１および第３の測定値の平均を減算し、（ｉｉ）検出された周囲光レベルの関数に基づいて、第１の波長を含む光の第２の測定値に、第１のオフセットを加算することによって、補正された第１の波長測定値を生成し、および／または（ｉ）第２の波長を含む光の第２の測定値から、第２の波長を含む光の第１および第３の測定値の平均を減算し、（ｉｉ）検出された周囲光レベルの関数に基づいて、第２の波長を含む光の第２の測定値に、第２のオフセットを加算することによって、補正された第２の波長測定値を生成するように構成されてもよい。第１のオフセットは、検出された周囲光レベルの線形または多項式関数に基づいてもよい。第２のオフセットは、検出された周囲光レベルの線形または多項式関数に基づいてもよい。評価回路は、補正された第１の波長測定値と補正された第２の波長測定値との比率を第１の閾値と比較することによって、筐体の外側の煙粒子の存在を判定し、煙粒子は、補正された第１の波長測定値と補正された第２の波長測定値との比率が第１の閾値より大きいとき、存在すると判定されるように構成されてもよい。第１の閾値は、約０．５％／フィートの筐体の外側の煙による視界低下を介して発生される信号レベルより大きい信号レベルおよび／または約４％／フィートの筐体の外側の煙による視界低下を介して発生される信号レベルより小さい信号レベルに対応してもよい。
【００２１】
評価回路は、補正された第１の波長測定値と補正された第２の波長測定値との比率に基づいて、煙粒子の平均直径より大きい平均直径を有する妨害粒子の存在を判定するように構成されてもよい。評価回路は、（ｉ）補正された第１の波長測定値と補正された第２の波長測定値との比率を第１の閾値と比較することによって、筐体の外側の煙粒子の存在を判定し、煙粒子は、補正された第１の波長測定値と補正された第２の波長測定値との比率が第１の閾値より大きいとき、存在すると判定され、（ｉｉ）補正された第１の波長測定値と補正された第２の波長測定値との比率を第２の閾値と比較することによって、妨害粒子の存在を判定し、妨害粒子は、補正された第１の波長測定値と補正された第２の波長測定値との比率が第２の閾値より小さいとき、存在すると判定されるように構成されてもよい。第１の閾値は、第２の閾値にほぼ等しくてもよい。第２の閾値は、第１の閾値より低くてもよい。
【００２２】
評価回路は、補正された第１の波長測定値および／または補正された第２の波長測定値に基づいて、筐体の外側の障害物の存在を判定するように構成されてもよい。評価回路は、補正された第１の波長測定値および／または補正された第２の波長測定値を障害物閾値と比較することによって、障害物の存在を判定し、障害物は、補正された第１の波長測定値および／または補正された第２の波長測定値が障害物閾値より大きいとき、存在すると判定されるように構成されてもよい。障害物閾値は、１つまたはそれを上回る検出器の単一測定サイクルの間の煙の蓄積を介して達成不可能な信号レベルに対応してもよい。障害物閾値は、約４０％／フィートの筐体の外側の煙による視界低下を介して発生される信号レベルより大きい信号レベルに対応してもよい。
【００２３】
少なくとも１つの光エミッタ（またはさらに全光エミッタ）が、少なくとも部分的に、筐体内に配置されてもよい。筐体は、それを通して光エミッタからの光が放出される、１つまたはそれを上回る開口部を画定してもよい。１つまたはそれを上回る開口部は、それぞれ、少なくとも１つの光エミッタと関連付けられる、複数の異なる開口部を含む、またはそれらから本質的に成ってもよい。各光エミッタは、異なる開口部を通して光を放出してもよい。筐体は、それを通して光エミッタからの光が放出される、１つまたはそれを上回る一体窓および／または光学要素を含む、またはそれらから本質的に成ってもよい。１つまたはそれを上回る一体窓は、それぞれ、少なくとも１つの光エミッタと関連付けられる、複数の異なる一体窓を含む、またはそれらから本質的に成ってもよい。各光エミッタは、異なる窓または光学要素を通して光を放出してもよい。１つまたはそれを上回る光エミッタは、ある範囲の波長にわたって光を放出する広帯域光源を含む、またはそれから本質的に成ってもよく、第１および第２の波長は、波長の範囲内である。広帯域光源は、白色発光ダイオードを含む、またはそれから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。第１の光エミッタは、第２の光エミッタが第２の波長の光を放出していないときのみ、第１の波長の光を放出するように構成されてもよく、および／または第２の光エミッタは、第１の光エミッタが第１の波長の光を放出していないときのみ、第２の波長の光を放出するように構成されてもよい。煙検出器は、近接センサを含んでもよい。少なくとも１つの光エミッタおよび／または少なくとも１つの光検出器は、近接センサ内に内蔵されてもよい。１つまたはそれを上回る光検出器は、近接センサから離散した周囲光センサを含んでもよい。近接センサは、筐体の外側の周囲光レベルを検出してもよい（すなわち、近接センサは、周囲光検出器をその中に含んでもよい）。第１の波長は、約３００ｎｍ〜約４８０ｎｍであってもよい。第２の波長は、約６３０ｎｍ〜約１０００ｎｍであってもよい。
【００２４】
評価回路は、経過時間を測定するためのタイマと、（ｉ）タイマによって測定された複数の異なる時間において、少なくとも１つの光検出器から信号を受信し、（ｉｉ）検出された周囲光レベルに基づいて、信号を受信するための受信機と、（ｉ）その間に光検出信号が受信される、複数の時間のうちの少なくとも１つの間、光を放出し、（ｉｉ）その間に光検出信号が受信される、複数の時間の少なくとも１つの他の間、光を放出しないように、少なくとも１つの光エミッタを制御するためのコントローラと、受信機によって受信された信号に基づいて、補正された第１の波長測定値および補正された第２の波長測定値を生成するための変換器と、筐体の外側の煙粒子の存在を判定するための信号分析器とを含む、またはそれらから本質的に成ってもよい。コントローラは、第１の波長の光を放出する第１の光エミッタと、第２の波長の光を放出する第２の光エミッタとを制御してもよい。
【００２５】
評価回路は、（ａ）第１の時間において、少なくとも１つの該光エミッタを用いて、ほぼ第１の波長の光を放出しながら、筐体の外側から生じる第１の波長を含む光の第１の測定値を取得し、（ｂ）（ｉ）第１の時間より早い第２の時間において、１つまたはそれを上回る光エミッタからほぼ第１の波長の光を放出せずに、筐体の外側から生じる第１の波長を含む光の第２の測定値を取得するか、または（ｉｉ）第１の時間より後の第３の時間において、１つまたはそれを上回る光エミッタからほぼ第１の波長の光を放出せずに、筐体の外側から生じる第１の波長を含む光の第３の測定値を取得するかのうちの少なくとも１つを行い、（ｃ）第４の時間において、少なくとも１つの該光エミッタを用いて、ほぼ第２の波長の光を放出しながら、筐体の外側から生じる第２の波長を含む光の第１の測定値を取得し、（ｄ）（ｉ）第４の時間より早い第５の時間において、１つまたはそれを上回る光エミッタからほぼ第２の波長の光を放出せずに、筐体の外側から生じる第２の波長を含む光の第２の測定値を取得するか、または（ｉｉ）第４の時間より後の第６の時間において、１つまたはそれを上回る光エミッタからほぼ第２の波長の光を放出せずに、筐体の外側から生じる第２の波長を含む光の第３の測定値を取得するかのうちの少なくとも１つを行い、（ｅ）筐体の外側の周囲光レベルを検出するように構成されてもよい。評価回路は、（ａ）第１の波長を含む光の第２または第３の測定値のうちの１つのみを取得し、（ｂ）（ｉ）第１の波長を含む光の第１の測定値から、第１の波長を含む光の第２または第３の測定値のうちの取得された１つを減算し、（ｉｉ）検出された周囲光レベルの関数に基づいて、第１の波長を含む光の第１の測定値に、オフセットを加算することによって、補正された第１の波長測定値を生成するように構成されてもよい。評価回路は、（ａ）第１の波長を含む光の第２および第３の測定値の両方を取得し、（ｂ）（ｉ）第１の波長を含む光の第１の測定値から、第１の波長を含む光の第２および第３の測定値の平均を減算し、（ｉｉ）検出された周囲光レベルの関数に基づいて、第１の波長を含む光の第１の測定値に、オフセットを加算することによって、補正された第１の波長測定値を生成するように構成されてもよい。評価回路は、（ａ）第２の波長を含む光の第２または第３の測定値のうちの１つのみを取得し、（ｂ）（ｉ）第２の波長を含む光の第１の測定値から、第２の波長を含む光の第２または第３の測定値のうちの取得された１つを減算し、（ｉｉ）検出された周囲光レベルの関数に基づいて、第２の波長を含む光の第１の測定値に、オフセットを加算することによって、補正された第２の波長測定値を生成するように構成されてもよい。評価回路は、（ａ）第２の波長を含む光の第２および第３の測定値の両方を取得し、（ｂ）（ｉ）第２の波長を含む光の第１の測定値から、第２の波長を含む光の第２および第３の測定値の平均を減算し、（ｉｉ）検出された周囲光レベルの関数に基づいて、第２の波長を含む光の第１の測定値に、オフセットを加算することによって、補正された第２の波長測定値を生成するように構成されてもよい。
【００２６】
評価回路は、（ａ）１つまたはそれを上回る光エミッタから、ほぼ第１の波長の光またはほぼ第２の波長の光を放出せずに、筐体の外側から生じる第１の波長および第２の波長を含む光の第１の非照明測定値を取得し、（ｂ）少なくとも１つの該光エミッタを用いて、ほぼ第１の波長の光を放出しながら、第１の波長を含む筐体の外側から生じる光の測定値を取得し、（ｃ）少なくとも１つの該光エミッタを用いて、ほぼ第２の波長の光を放出しながら、筐体の外側から生じる第２の波長を含む光の測定値を取得し、（ｄ）筐体の外側の周囲光レベルを検出するように構成されてもよい。評価回路は、（ａ）（ｉ）第１の波長を含む光の測定値から、第１の波長および第２の波長を含む光の第１の非照明測定値を減算し、（ｉｉ）検出された周囲光レベルの関数に基づいて、第１の波長を含む光の測定値に、第１のオフセットを加算することによって、補正された第１の波長測定値を生成し、および／または（ｂ）（ｉ）第２の波長を含む光の測定値から、第１の波長および第２の波長を含む光の第１の非照明測定値を減算し、（ｉｉ）検出された周囲光レベルの関数に基づいて、第２の波長を含む光の測定値に、第２のオフセットを加算することによって、補正された第２の波長測定値を生成するように構成されてもよい。第１のオフセットは、検出された周囲光レベルの線形または多項式関数に基づいてもよい。第２のオフセットは、検出された周囲光レベルの線形または多項式関数に基づいてもよい。
【００２７】
評価回路は、第１の波長を含む光の測定値および第２の波長を含む光の測定値が取得される前に、第１の波長および第２の波長を含む光の第１の非照明測定値を取得するように構成されてもよい。評価回路は、第１の波長および第２の波長を含む光の第１の非照明測定値が取得される前に、第１の波長を含む光の測定値または第２の波長を含む光の測定値のうちの少なくとも１つを取得するように構成されてもよい。評価回路は、第１の波長および第２の波長を含む光の第１の非照明測定値が取得される前に、第１の波長を含む光の測定値または第２の波長を含む光の測定値のうちの１つのみを取得するように構成されてもよい。
【００２８】
評価回路は、第１の波長および第２の波長を含む光の第１の非照明測定値を取得後、１つまたはそれを上回る光エミッタから、ほぼ第１の波長の光またはほぼ第２の波長の光を放出せずに、筐体の外側から生じる第１の波長および第２の波長を含む光の第２の非照明測定値を取得するように構成されてもよい。評価回路は、（ｉ）第１の波長を含む光の測定値または第２の波長を含む光の測定値のうちの少なくとも１つが取得される前に、第１の波長および第２の波長を含む光の第１の非照明測定値を取得し、（ｉｉ）第１の波長を含む光の測定値または第２の波長を含む光の測定値のうちの少なくとも１つが取得された後、第１の波長および第２の波長を含む光の第２の非照明測定値を取得するように構成されてもよい。評価回路は、（ｉ）第１の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第１の波長を含む光の測定値に、オフセットを加算することによって、補正された第１の波長測定値を生成するように構成されてもよい。評価回路は、（ｉ）第２の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第２の波長を含む光の測定値に、オフセットを加算することによって、補正された第２の波長測定値を生成するように構成されてもよい。
【００２９】
さらに別の側面では、本発明の実施形態は、（ａ）筐体と、（ｂ）１つまたはそれを上回る光エミッタと、（ｃ）１つまたはそれを上回る光検出器とを含む、またはそれらから本質的に成る、煙検出器を利用した煙検出の方法を特徴とする。第１の時間において、筐体の外側から生じる第１の波長を含む光の第１の測定値が、少なくとも１つの該光エミッタを用いて、ほぼ第１の波長の光を放出しながら、取得される。第１の時間より早い第２の時間において、筐体の外側から生じる第１の波長を含む光の第２の測定値が、１つまたはそれを上回る光エミッタからほぼ第１の波長の光を放出せずに、取得され、および／または、第１の時間より後の第３の時間において、筐体の外側から生じる第１の波長を含む光の第３の測定値が、１つまたはそれを上回る光エミッタからほぼ第１の波長の光を放出せずに、取得される。第４の時間において、筐体の外側から生じる第２の波長を含む光の第１の測定値が、少なくとも１つの該光エミッタを用いて、ほぼ第２の波長の光を放出しながら、取得される。第２の波長は、第１の波長より長い。第４の時間より早い第５の時間において、筐体の外側から生じる第２の波長を含む光の第２の測定値が、１つまたはそれを上回る光エミッタからほぼ第２の波長の光を放出せずに、取得される、および／または第４の時間より後の第６の時間において、筐体の外側から生じる第２の波長を含む光の第３の測定値が、１つまたはそれを上回る光エミッタからほぼ第２の波長の光を放出せずに、取得される。筐体の外側の周囲光レベルが、検出される。第１の波長を含む光の第１の測定値は、（ｉ）検出された周囲光レベルと、（ｉｉ）第１の波長を含む光の第２および／または第３の測定値とに基づいて、補正され、それによって、補正された第１の波長測定値を生成する。第２の波長を含む光の第１の測定値は、（ｉ）検出された周囲光レベルと、（ｉｉ）第２の波長を含む光の第２および／または第３の測定値とに基づいて、補正され、それによって、補正された第２の波長測定値を生成する。筐体の外側の煙粒子の存在は、補正された第１の波長測定値と補正された第２の波長測定値との比率に基づいて、判定される。
【００３０】
本発明の実施形態は、種々の異なる組み合わせのいずれかにおいて、以下のうちの１つまたはそれを上回るものを含んでもよい。第１または第２の波長を含む光の測定値は、第１または第２の波長を含むより広い範囲の波長の光の広帯域測定値であってもよく（例えば、広帯域検出器を介して）、または第１または第２の波長に実質的に等しい、もしくはそれらを含む、狭帯域の光の狭帯域測定値であってもよい（例えば、特定の波長または波長範囲にのみ応答する異なる狭帯域検出器を介して）。第１の波長を含む光の第２または第３の測定値のうちの１つのみが、取得されてもよく、補正された第１の波長測定値を生成するステップは、（ｉ）第１の波長を含む光の第１の測定値から、第１の波長を含む光の第２または第３の測定値のうちの取得された１つを減算し、（ｉｉ）検出された周囲光レベルの関数に基づいて、第１の波長を含む光の第１の測定値に、オフセットを加算するステップを含む、またはそれらから本質的に成ってもよい。オフセットは、検出された周囲光レベルの線形または多項式関数に基づいてもよい。第１の波長を含む光の第２および第３の測定値の両方が、取得されてもよく、補正された第１の波長測定値を生成するステップは、（ｉ）第１の波長を含む光の第１の測定値から、第１の波長を含む光の第２および第３の測定値の平均を減算し、（ｉｉ）検出された周囲光レベルの関数に基づいて、第１の波長を含む光の第１の測定値に、オフセットを加算するステップを含む、またはそれらから本質的に成ってもよい。オフセットは、検出された周囲光レベルの線形または多項式関数に基づいてもよい。第２の波長を含む光の第２または第３の測定値のうちの１つのみが、取得されてもよく、補正された第２の波長測定値を生成するステップは、（ｉ）第２の波長を含む光の第１の測定値から、第２の波長を含む光の第２または第３の測定値のうちの取得された１つを減算し、（ｉｉ）検出された周囲光レベルの関数に基づいて、第２の波長を含む光の第１の測定値に、オフセットを加算するステップを含む、またはそれらから本質的に成ってもよい。オフセットは、検出された周囲光レベルの線形または多項式関数に基づいてもよい。第２の波長を含む光の第２および第３の測定値の両方が、取得されてもよく、補正された第２の波長測定値を生成するステップは、（ｉ）第２の波長を含む光の第１の測定値から、第２の波長を含む光の第２および第３の測定値の平均を減算し、（ｉｉ）検出された周囲光レベルの関数に基づいて、第２の波長を含む光の第１の測定値に、オフセットを加算するステップを含む、またはそれらから本質的に成ってもよい。オフセットは、検出された周囲光レベルの線形または多項式関数に基づいてもよい。
【００３１】
筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定される。第１の閾値は、約０．５％／フィートの筐体の外側の煙による視界低下を介して発生される信号レベルより大きい信号レベルおよび／または約４％／フィートの筐体の外側の煙による視界低下を介して発生される信号レベルより小さい信号レベルに対応してもよい。
【００３２】
煙粒子の平均直径より大きい平均直径を有する妨害粒子の存在は、補正された第１の波長測定値と補正された第２の波長測定値との比率に基づいて、判定されてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定され、妨害粒子の存在を判定するステップは、補正された第１の波長測定値と補正された第２の波長測定値との比率を第２の閾値と比較するステップを含む、またはそれらから本質的に成ってもよく、妨害粒子は、補正された第１の波長測定値と補正された第２の波長測定値との比率が第２の閾値より小さいとき、存在すると判定される。第１の閾値は、第２の閾値にほぼ等しくてもよい。第２の閾値は、第１の閾値より低くてもよい。
【００３３】
筐体の外側の障害物の存在は、補正された第１の波長測定値および／または補正された第２の波長測定値に基づいて、判定されてもよい。障害物の存在を判定するステップは、補正された第１の波長測定値および／または補正された第２の波長測定値を障害物閾値と比較するステップを含む、またはそれらから本質的に成ってもよく、障害物は、補正された第１の波長測定値および／または補正された第２の波長測定値が障害物閾値より大きいとき、存在すると判定される。障害物閾値は、１つまたはそれを上回る検出器の単一測定サイクルの間の煙の蓄積を介して達成不可能な信号レベルに対応してもよい。障害物閾値は、約４０％／フィートの筐体の外側の煙による視界低下を介して発生される信号レベルより大きい信号レベルに対応してもよい。第１の波長を含む光の第１の測定値および第１の波長を含む光の第２および／または第３の測定値は、１００ミリ秒未満の時間周期にわたって取得されてもよい。第２の波長を含む光の第１の測定値および第２の波長を含む光の第２および／または第３の測定値は、１００ミリ秒未満の時間周期にわたって取得されてもよい。第１の波長を含む光の第１の測定値および第１の波長を含む光の第２および／または第３の測定値は、１ミリ秒未満の時間周期にわたって取得されてもよい。第２の波長を含む光の第１の測定値および第２の波長を含む光の第２および／または第３の測定値は、１ミリ秒未満の時間周期にわたって取得されてもよい。
【００３４】
１つまたはそれを上回る光エミッタは、ある範囲の波長にわたって光を放出する広帯域光源を含む、またはそれから本質的に成ってもよく、第１および第２の波長は、波長の範囲内である。広帯域光源は、白色発光ダイオードを含む、またはそれから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。煙検出器は、近接センサを含んでもよい。少なくとも１つの光エミッタおよび／または少なくとも１つの光検出器は、近接センサの一部である、および／またはその中に内蔵されてもよい。煙検出器は、近接センサから離散した周囲光センサを含んでもよい。少なくとも１つの光検出器は、周囲光センサの一部である、および／またはその中に内蔵されてもよい。第２の波長の光は、第１の時間に放出されなくてもよい。第１の波長の光は、第４の時間に放出されなくてもよい。第１の波長は、約３００ｎｍ〜約４８０ｎｍであってもよい。第２の波長は、約６３０ｎｍ〜約１０００ｎｍであってもよい。光は、第２および第３の時間において光エミッタのいずれによっても放出されなくてもよい。光は、第５および第６の時間において光エミッタのいずれによっても放出されなくてもよい。
【００３５】
別の側面では、本発明の実施形態は、（ａ）筐体と、（ｂ）１つまたはそれを上回る光エミッタと、（ｃ）１つまたはそれを上回る光検出器とを備える、煙検出器を利用した煙検出の方法を特徴とする。筐体の外側から生じる第１の波長および第１の波長より長い第２の波長の光の第１の非照明測定値が、１つまたはそれを上回る光エミッタから、ほぼ第１の波長の光またはほぼ第２の波長の光を放出せずに、取得される。筐体の外側から生じる第１の波長を含む光の測定値が、少なくとも１つの該光エミッタを用いて、ほぼ第１の波長の光を放出しながら、取得される。筐体の外側から生じる第２の波長を含む光の測定値が、少なくとも１つの該光エミッタを用いて、ほぼ第２の波長の光を放出しながら、取得される。筐体の外側の周囲光レベルが、検出される。第１の波長を含む光の測定値は、少なくとも部分的に、（ｉ）検出された周囲光レベルと、（ｉｉ）第１の波長および第２の波長を含む光の第１の非照明測定値とに基づいて、補正され、それによって、補正された第１の波長測定値を生成する。第２の波長を含む光の測定値は、少なくとも部分的に、（ｉ）検出された周囲光レベルと、（ｉｉ）第１の波長および第２の波長を含む光の第１の非照明測定値とに基づいて、補正され、それによって、補正された第２の波長測定値を生成する。筐体の外側の煙粒子の存在は、補正された第１の波長測定値と補正された第２の波長測定値との比率に基づいて、判定される。
【００３６】
本発明の実施形態は、種々の異なる組み合わせのいずれかにおいて、以下のうちの１つまたはそれを上回るものを含んでもよい。第１または第２の波長を含む光の測定値は、第１または第２の波長を含むより広い範囲の波長の光の広帯域測定値であってもよく（例えば、広帯域検出器を介して）、または第１または第２の波長に実質的に等しい、もしくはそれらを含む、狭帯域の光の狭帯域測定値であってもよい（例えば、特定の波長または波長範囲にのみ応答する異なる狭帯域検出器を介して）。補正された第１の波長測定値を生成するステップは、（ｉ）第１の波長を含む光の測定値から、第１の波長および第２の波長を含む光の第１の非照明測定値を減算し、（ｉｉ）検出された周囲光レベルの関数に基づいて、第１の波長を含む光の測定値に、オフセットを加算するステップを含む、またはそれらから本質的に成ってもよい。オフセットは、検出された周囲光レベルの線形または多項式関数に基づいてもよい。補正された第２の波長測定値を生成するステップは、（ｉ）第２の波長を含む光の測定値から、第１の波長および第２の波長を含む光の第１の非照明測定値を減算し、（ｉｉ）検出された周囲光レベルの関数に基づいて、第２の波長を含む光の測定値に、オフセットを加算するステップを含む、またはそれらから本質的に成ってもよい。オフセットは、検出された周囲光レベルの線形または多項式関数に基づいてもよい。
【００３７】
第１の波長および第２の波長を含む光の第１の非照明測定値は、第１の波長を含む光の測定値および第２の波長を含む光の測定値が取得される前に、取得されてもよい。第１の波長を含む光の測定値または第２の波長を含む光の測定値のうちの少なくとも１つは、第１の波長および第２の波長を含む光の第１の非照明測定値が取得される前に、取得されてもよい。１つのみの（すなわち、いずれか）の第１の波長を含む光の測定値または第２の波長を含む光の測定値は、第１の波長および第２の波長を含む光の第１の非照明測定値が取得される前に、取得されてもよい。
【００３８】
第１の波長および第２の波長を含む光の第１の非照明測定値を取得後、筐体の外側から生じる第１の波長および第２の波長を含む光の第２の非照明測定値は、１つまたはそれを上回る光エミッタから、ほぼ第１の波長の光またはほぼ第２の波長の光を放出せずに、取得されてもよい。第１の波長および第２の波長を含む光の第１の非照明測定値は、第１の波長を含む光の測定値または第２の波長を含む光の測定値のうちの少なくとも１つが取得される前に、取得されてもよい。第１の波長および第２の波長を含む光の第２の非照明測定値は、第１の波長を含む光の測定値または第２の波長を含む光の測定値のうちの少なくとも１つが取得された後、取得されてもよい。補正された第１の波長測定値を生成するステップは、（ｉ）第１の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第１の波長を含む光の測定値に、オフセットを加算するステップを含む、またはそれらから本質的に成ってもよい。オフセットは、検出された周囲光レベルの線形または多項式関数に基づいてもよい。補正された第２の波長測定値を生成するステップは、（ｉ）第２の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第２の波長を含む光の測定値に、オフセットを加算するステップを含む、またはそれらから本質的に成ってもよい。オフセットは、検出された周囲光レベルの線形または多項式関数に基づいてもよい。
【００３９】
筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定される。第１の閾値は、約０．５％／フィートの筐体の外側の煙による視界低下を介して発生される信号レベルより大きい信号レベルおよび／または約４％／フィートの筐体の外側の煙による視界低下を介して発生される信号レベルより小さい信号レベルに対応してもよい。
【００４０】
煙粒子の平均直径より大きい平均直径を有する妨害粒子の存在は、補正された第１の波長測定値と補正された第２の波長測定値との比率に基づいて、判定されてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定される。妨害粒子の存在を判定するステップは、補正された第１の波長測定値と補正された第２の波長測定値との比率を第２の閾値と比較するステップを含む、またはそれらから本質的に成ってもよく、妨害粒子は、補正された第１の波長測定値と補正された第２の波長測定値との比率が第２の閾値より小さいとき、存在すると判定される。第１の閾値は、第２の閾値にほぼ等しくてもよい。第２の閾値は、第１の閾値より低くてもよい。
【００４１】
筐体の外側の障害物の存在は、補正された第１の波長測定値または補正された第２の波長測定値のうちの少なくとも１つに基づいて、判定されてもよい。障害物の存在を判定するステップは、補正された第１の波長測定値および／または補正された第２の波長測定値を障害物閾値と比較するステップを含む、またはそれらから本質的に成ってもよく、障害物は、補正された第１の波長測定値および／または補正された第２の波長測定値が障害物閾値より大きいとき、存在すると判定される。障害物閾値は、１つまたはそれを上回る検出器の単一測定サイクルの間の煙の蓄積を介して達成不可能な信号レベルに対応してもよい。障害物閾値は、約４０％／フィートの筐体の外側の煙による視界低下を介して発生される信号レベルより大きい信号レベルに対応してもよい。
【００４２】
第１の波長および第２の波長を含む光の第１の非照明測定値、第１の波長を含む光の測定値、および第２の波長を含む光の測定値は、１００ミリ秒未満の時間周期またはさらに１ミリ秒未満の時間周期にわたって取得されてもよい。１つまたはそれを上回る光エミッタは、ある範囲の波長にわたって光を放出する広帯域光源を含む、またはそれから本質的に成ってもよく、第１および第２の波長は、波長の範囲内である。広帯域光源は、白色発光ダイオードを含む、またはそれから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。煙検出器は、近接センサを含んでもよく、少なくとも１つの光検出器は、近接センサ内に内蔵されてもよい。煙検出器は、近接センサから離散した周囲光センサを含んでもよく、少なくとも１つの光検出器は、周囲光センサ内に内蔵されてもよい。第１の波長は、約３００ｎｍ〜約４８０ｎｍであってもよい（それらの値を含む）。第２の波長は、約６３０ｎｍ〜約１０００ｎｍであってもよい（それらの値を含む）。光は、第１の波長および第２の波長を含む光の第１の非照明測定値の取得の間、１つまたはそれを上回る光エミッタのいずれによっても放出されなくてもよい。
【００４３】
別の側面では、本発明の実施形態は、筐体と、１つまたはそれを上回る光エミッタと、１つまたはそれを上回る光検出器と、１つまたはそれを上回る光学要素と、評価回路を含む、またはそれらから本質的に成る、煙検出器を特徴とする。１つまたはそれを上回る光エミッタは、筐体の外側から、第１の波長および第１の波長より長い第２の波長の光を放出する。１つまたはそれを上回る光検出器は、（ｉ）筐体の外側のサンプリング体積から１つまたはそれを上回る光検出器に後方反射され、それによって、第１および第２の波長を含む反射された光の測定値を提供する、１つまたはそれを上回る光エミッタから放出された光と、（ｉｉ）筐体の外側の周囲光レベルとを検出する。１つまたはそれを上回る光学要素は、１つまたはそれを上回る光エミッタのうちの少なくとも１つから放出された光の放出軌道を改変することによって、サンプリング体積の少なくとも一部の位置および／またはサイズを改変するように構成される（例えば、成形および／または位置付けられる）。評価回路は、（ｉ）検出された周囲光レベルに基づいて、第１の波長を含む反射された光の測定値を補正し、それによって、補正された第１の波長測定値を生成し、（ｉｉ）検出された周囲光レベルに基づいて、第２の波長を含む反射された光の測定値を補正し、それによって、補正された第２の波長測定値を生成し、（ｉｉｉ）補正された第１の波長測定値と補正された第２の波長測定値との比率に基づいて、筐体の外側の煙粒子の存在を判定する。
【００４４】
本発明の実施形態は、種々の異なる組み合わせのいずれかにおいて、以下のうちの１つまたはそれを上回るものを含んでもよい。第１または第２の波長を含む光の測定値は、第１または第２の波長を含むより広い範囲の波長の光の広帯域測定値であってもよく（例えば、広帯域検出器を介して）、または第１または第２の波長に実質的に等しい、もしくはそれらを含む、狭帯域の光の狭帯域測定値であってもよい（例えば、特定の波長または波長範囲にのみ応答する異なる狭帯域検出器を介して）。評価回路は、（例えば、１つまたはそれを上回る光エミッタおよび１つまたはそれを上回る光検出器等の制御構成要素を介して）（ｉ）第１の時間において、１つまたはそれを上回る光エミッタからほぼ第１の波長の光を放出せずに、筐体の外側から生じる第１の波長を含む光の第１の測定値を取得し、（ｉｉ）第１の時間の後の第２の時間において、少なくとも１つの該光エミッタを用いて、ほぼ第１の波長の光を放出しながら、筐体の外側から生じる第１の波長を含む光の第２の測定値を取得し、（ｉｉｉ）第２の時間の後の第３の時間において、１つまたはそれを上回る光エミッタからほぼ第１の波長の光を放出せずに、筐体の外側から生じる第１の波長を含む光の第３の測定値を取得し、（ｉｖ）第４の時間において、１つまたはそれを上回る光エミッタからほぼ第２の波長の光を放出せずに、筐体の外側から生じる第２の波長を含む光の第１の測定値を取得し、（ｖ）第４の時間の後の第５の時間において、少なくとも１つの該光エミッタを用いて、ほぼ第２の波長の光を放出しながら、筐体の外側から生じる第２の波長を含む光の第２の測定値を取得し、（ｖｉ）第５の時間の後の第６の時間において、１つまたはそれを上回る光エミッタからほぼ第２の波長の光を放出せずに、筐体の外側から生じる第２の波長を含む光の第３の測定値を取得し、（ｖｉｉ）筐体の外側の周囲光レベルを検出するように構成されてもよい。
【００４５】
評価回路は、（ｉ）第１の波長を含む光の第２の測定値から、第１の波長を含む光の第１および第３の測定値の平均を減算し、（ｉｉ）検出された周囲光レベルの関数に基づいて、第１の波長を含む光の第２の測定値に、第１のオフセットを加算することによって、補正された第１の波長測定値を生成し、および／または（ｉ）第２の波長を含む光の第２の測定値から、第２の波長を含む光の第１および第３の測定値の平均を減算し、（ｉｉ）検出された周囲光レベルの関数に基づいて、第２の波長を含む光の第２の測定値に、第２のオフセットを加算することによって、補正された第２の波長測定値を生成するように構成されてもよい。第１のオフセットは、検出された周囲光レベルの線形または多項式関数に基づいてもよい。第２のオフセットは、検出された周囲光レベルの線形または多項式関数に基づいてもよい。評価回路は、補正された第１の波長測定値と補正された第２の波長測定値との比率を第１の閾値と比較することによって、筐体の外側の煙粒子の存在を判定し、煙粒子は、補正された第１の波長測定値と補正された第２の波長測定値との比率が第１の閾値より大きいとき、存在すると判定されるように構成されてもよい。第１の閾値は、約０．５％／フィートの筐体の外側の煙による視界低下を介して発生される信号レベルより大きい信号レベルおよび／または約４％／フィートの筐体の外側の煙による視界低下を介して発生される信号レベルより小さい信号レベルに対応してもよい。
【００４６】
評価回路は、補正された第１の波長測定値と補正された第２の波長測定値との比率に基づいて、煙粒子の平均直径より大きい平均直径を有する妨害粒子の存在を判定するように構成されてもよい。評価回路は、（ｉ）補正された第１の波長測定値と補正された第２の波長測定値との比率を第１の閾値と比較することによって、筐体の外側の煙粒子の存在を判定し、煙粒子は、補正された第１の波長測定値と補正された第２の波長測定値との比率が第１の閾値より大きいとき、存在すると判定され、（ｉｉ）補正された第１の波長測定値と補正された第２の波長測定値との比率を第２の閾値と比較することによって、妨害粒子の存在を判定し、妨害粒子は、補正された第１の波長測定値と補正された第２の波長測定値との比率が第２の閾値より小さいとき、存在すると判定されるように構成されてもよい。第１の閾値は、第２の閾値にほぼ等しくてもよい。第２の閾値は、第１の閾値より低くてもよい。
【００４７】
評価回路は、補正された第１の波長測定値および／または補正された第２の波長測定値に基づいて、筐体の外側の障害物の存在を判定するように構成されてもよい。評価回路は、補正された第１の波長測定値および／または補正された第２の波長測定値を障害物閾値と比較することによって、障害物の存在を判定し、障害物は、補正された第１の波長測定値および／または補正された第２の波長測定値が障害物閾値より大きいとき、存在すると判定されるように構成されてもよい。障害物閾値は、１つまたはそれを上回る検出器の単一測定サイクルの間の煙の蓄積を介して達成不可能な信号レベルに対応してもよい。障害物閾値は、約４０％／フィートの筐体の外側の煙による視界低下を介して発生される信号レベルより大きい信号レベルに対応してもよい。
【００４８】
少なくとも１つの光エミッタ（またはさらに全光エミッタ）は、少なくとも部分的に、筐体内に配置されてもよい。筐体は、それを通して光エミッタからの光が放出される、１つまたはそれを上回る開口部を画定してもよい。光エミッタのうちの１つまたはそれを上回るものは、開口部を通して突出してもよい。１つまたはそれを上回る開口部は、それぞれ、少なくとも１つの光エミッタと関連付けられる、複数の異なる開口部を含む、またはそれらから本質的に成ってもよい。各光エミッタは、異なる開口部を通して光を放出してもよい。筐体は、それを通して光エミッタからの光が放出される、１つまたはそれを上回る一体窓を含む、またはそれらから本質的に成ってもよい。１つまたはそれを上回る一体窓は、それぞれ、少なくとも１つの光エミッタと関連付けられる、複数の異なる一体窓を含む、またはそれらから本質的に成ってもよい。各光エミッタは、異なる窓を通して光を放出してもよい。１つまたはそれを上回る光エミッタは、ある範囲の波長にわたって光を放出する広帯域光源を含む、またはそれから本質的に成ってもよく、第１および第２の波長は、波長の範囲内である。広帯域光源は、白色発光ダイオードを含む、またはそれから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。第１の光エミッタは、第２の光エミッタが第２の波長の光を放出していないときのみ、第１の波長の光を放出するように構成されてもよく、および／または第２の光エミッタは、第１の光エミッタが第１の波長の光を放出していないときのみ、第２の波長の光を放出するように構成されてもよい。煙検出器は、近接センサを含んでもよい。少なくとも１つの光エミッタおよび／または少なくとも１つの光検出器は、近接センサ内に内蔵されてもよい。１つまたはそれを上回る光検出器は、近接センサから離散した周囲光センサを含んでもよい。近接センサは、筐体の外側の周囲光レベルを検出してもよい（すなわち、近接センサは、周囲光検出器をその中に含んでもよい）。第１の波長は、約３００ｎｍ〜約４８０ｎｍであってもよい。第２の波長は、約６３０ｎｍ〜約１０００ｎｍであってもよい。
【００４９】
評価回路は、経過時間を測定するためのタイマと、（ｉ）タイマによって測定された複数の異なる時間において、少なくとも１つの光検出器から信号を受信し、（ｉｉ）検出された周囲光レベルに基づいて、信号を受信するための受信機と、（ｉ）その間に光検出信号が受信される、複数の時間のうちの少なくとも１つの間、光を放出し、（ｉｉ）その間に光検出信号が受信される、複数の時間の少なくとも１つの他の間、光を放出しないように、少なくとも１つの光エミッタを制御するためのコントローラと、受信機によって受信された信号に基づいて、補正された第１の波長測定値および補正された第２の波長測定値を生成するための変換器と、筐体の外側の煙粒子の存在を判定するための信号分析器とを含む、またはそれらから本質的に成ってもよい。コントローラは、第１の波長の光を放出する第１の光エミッタと、第２の波長の光を放出する第２の光エミッタとを制御してもよい。
【００５０】
評価回路は、（ａ）第１の時間において、少なくとも１つの該光エミッタを用いて、ほぼ第１の波長の光を放出しながら、筐体の外側から生じる第１の波長を含む光の第１の測定値を取得し、（ｂ）（ｉ）第１の時間より早い第２の時間において、１つまたはそれを上回る光エミッタからほぼ第１の波長の光を放出せずに、筐体の外側から生じる第１の波長を含む光の第２の測定値を取得するか、または（ｉｉ）第１の時間より後の第３の時間において、１つまたはそれを上回る光エミッタからほぼ第１の波長の光を放出せずに、筐体の外側から生じる第１の波長を含む光の第３の測定値を取得するかのうちの少なくとも１つを行い、（ｃ）第４の時間において、少なくとも１つの該光エミッタを用いて、ほぼ第２の波長の光を放出しながら、筐体の外側から生じる第２の波長を含む光の第１の測定値を取得し、（ｄ）（ｉ）第４の時間より早い第５の時間において、１つまたはそれを上回る光エミッタからほぼ第２の波長の光を放出せずに、筐体の外側から生じる第２の波長を含む光の第２の測定値を取得するか、または（ｉｉ）第４の時間より後の第６の時間において、１つまたはそれを上回る光エミッタからほぼ第２の波長の光を放出せずに、筐体の外側から生じる第２の波長を含む光の第３の測定値を取得するかのうちの少なくとも１つを行い、（ｅ）筐体の外側の周囲光レベルを検出するように構成されてもよい。評価回路は、（ａ）第１の波長を含む光の第２または第３の測定値のうちの１つのみを取得し、（ｂ）（ｉ）第１の波長を含む光の第１の測定値から、第１の波長を含む光の第２または第３の測定値のうちの取得された１つを減算し、（ｉｉ）検出された周囲光レベルの関数に基づいて、第１の波長を含む光の第１の測定値に、オフセットを加算することによって、補正された第１の波長測定値を生成するように構成されてもよい。評価回路は、（ａ）第１の波長を含む光の第２および第３の測定値の両方を取得し、（ｂ）（ｉ）第１の波長を含む光の第１の測定値から、第１の波長を含む光の第２および第３の測定値の平均を減算し、（ｉｉ）検出された周囲光レベルの関数に基づいて、第１の波長を含む光の第１の測定値に、オフセットを加算することによって、補正された第１の波長測定値を生成するように構成されてもよい。評価回路は、（ａ）第２の波長を含む光の第２または第３の測定値のうちの１つのみを取得し、（ｂ）（ｉ）第２の波長を含む光の第１の測定値から、第２の波長を含む光の第２または第３の測定値のうちの取得された１つを減算し、（ｉｉ）検出された周囲光レベルの関数に基づいて、第２の波長を含む光の第１の測定値に、オフセットを加算することによって、補正された第２の波長測定値を生成するように構成されてもよい。評価回路は、（ａ）第２の波長を含む光の第２および第３の測定値の両方を取得し、（ｂ）（ｉ）第２の波長を含む光の第１の測定値から、第２の波長を含む光の第２および第３の測定値の平均を減算し、（ｉｉ）検出された周囲光レベルの関数に基づいて、第２の波長を含む光の第１の測定値に、オフセットを加算することによって、補正された第２の波長測定値を生成するように構成されてもよい。
【００５１】
評価回路は、（ａ）１つまたはそれを上回る光エミッタから、ほぼ第１の波長の光またはほぼ第２の波長の光を放出せずに、筐体の外側から生じる第１の波長および第２の波長を含む光の第１の非照明測定値を取得し、（ｂ）少なくとも１つの該光エミッタを用いて、ほぼ第１の波長の光を放出しながら、筐体の外側から生じる第１の波長を含む光の測定値を取得し、（ｃ）少なくとも１つの該光エミッタを用いて、ほぼ第２の波長の光を放出しながら、筐体の外側から生じる第２の波長を含む光の測定値を取得し、（ｄ）筐体の外側の周囲光レベルを検出するように構成されてもよい。評価回路は、（ａ）（ｉ）第１の波長を含む光の測定値から、第１の波長および第２の波長を含む光の第１の非照明測定値を減算し、（ｉｉ）検出された周囲光レベルの関数に基づいて、第１の波長を含む光の測定値に、第１のオフセットを加算することによって、補正された第１の波長測定値を生成し、および／または（ｂ）（ｉ）第２の波長を含む光の測定値から、第１の波長および第２の波長を含む光の第１の非照明測定値を減算し、（ｉｉ）検出された周囲光レベルの関数に基づいて、第２の波長を含む光の測定値に、第２のオフセットを加算することによって、補正された第２の波長測定値を生成するように構成されてもよい。第１のオフセットは、検出された周囲光レベルの線形または多項式関数に基づいてもよい。第２のオフセットは、検出された周囲光レベルの線形または多項式関数に基づいてもよい。
【００５２】
評価回路は、第１の波長を含む光の測定値および第２の波長を含む光の測定値が取得される前に、第１の波長および第２の波長を含む光の第１の非照明測定値を取得するように構成されてもよい。評価回路は、第１の波長および第２の波長を含む光の第１の非照明測定値が取得される前に、第１の波長を含む光の測定値または第２の波長を含む光の測定値のうちの少なくとも１つを取得するように構成されてもよい。評価回路は、第１の波長および第２の波長を含む光の第１の非照明測定値が取得される前に、第１の波長を含む光の測定値または第２の波長を含む光の測定値のうちの１つのみを取得するように構成されてもよい。
【００５３】
評価回路は、第１の波長および第２の波長を含む光の第１の非照明測定値を取得後、１つまたはそれを上回る光エミッタから、ほぼ第１の波長の光またはほぼ第２の波長の光を放出せずに、筐体の外側から生じる第１の波長および第２の波長を含む光の第２の非照明測定値を取得するように構成されてもよい。評価回路は、（ｉ）第１の波長を含む光の測定値または第２の波長を含む光の測定値のうちの少なくとも１つが取得される前に、第１の波長および第２の波長を含む光の第１の非照明測定値を取得し、（ｉｉ）第１の波長を含む光の測定値または第２の波長を含む光の測定値のうちの少なくとも１つが取得された後、第１の波長および第２の波長を含む光の第２の非照明測定値を取得するように構成されてもよい。評価回路は、（ｉ）第１の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第１の波長を含む光の測定値に、オフセットを加算することによって、補正された第１の波長測定値を生成するように構成されてもよい。評価回路は、（ｉ）第２の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第２の波長を含む光の測定値に、オフセットを加算することによって、補正された第２の波長測定値を生成するように構成されてもよい。
【００５４】
１つまたはそれを上回る光学要素は、サンプリング体積の少なくとも一部を、直接、１つまたはそれを上回る光検出器（および／または煙検出器が近接センサを含む場合、近接センサ）のうちの少なくとも１つにわたって位置付けるように構成されてもよい。１つまたはそれを上回る光学要素は、レンズ、プリズム、格子、および／またはミラーを含む、またはそれらから本質的に成ってもよい。
【００５５】
別の側面では、本発明の実施形態は、（ａ）筐体と、（ｂ）１つまたはそれを上回る光エミッタと、（ｃ）１つまたはそれを上回る光検出器とを備える、煙検出器を利用した煙検出の方法を特徴とする。筐体の外側の第１のサンプリング体積から生じる第１の波長を含む光の測定値が、（ｉ）少なくとも１つの該光エミッタを用いて、ほぼ第１の波長の光を放出し、（ｉｉ）ほぼ第１の波長の放出された光の放出軌道を改変することによって、第１のサンプリング体積の少なくとも一部の位置を改変しながら、取得される。筐体の外側の第２のサンプリング体積から生じる第２の波長を含む光の測定値が、（ｉ）少なくとも１つの該光エミッタを用いて、ほぼ第２の波長の光を放出し、（ｉｉ）ほぼ第２の波長の放出された光の放出軌道を改変することによって、第２のサンプリング体積の少なくとも一部の位置を改変しながら、取得される。第２の波長は、第１の波長より長い。第１および第２のサンプリング体積は、実質的に同一であってもよい、または異なってもよい（すなわち、空間内で部分的または完全に重複してもよく、もしくはそうでなくてもよい）。筐体の外側の周囲光レベルが、検出される。第１の波長を含む光の測定値は、少なくとも部分的に、検出された周囲光レベルに基づいて、補正され、それによって、補正された第１の波長測定値を生成する。第２の波長を含む光の測定値は、少なくとも部分的に、検出された周囲光レベルに基づいて、補正され、それによって、補正された第２の波長測定値を生成する。筐体の外側の煙粒子の存在は、補正された第１の波長測定値と補正された第２の波長測定値との比率に基づいて、判定される。本発明のいくつかの実施形態では、例えば、第１または第２のサンプリング体積のうちの１つのみの少なくとも一部の位置は、第１または第２の波長の放出された光の放出軌道を改変することを介して改変される一方、他方は、実質的に改変されないままである。
【００５６】
本発明の実施形態は、種々の異なる組み合わせのいずれかにおいて、以下のうちの１つまたはそれを上回るものを含んでもよい。補正された第１の波長測定値を生成するステップは、検出された周囲光レベルの関数に基づいて、第１の波長を含む光の測定値に、第１のオフセットを加算するステップを含む、またはそれらから本質的に成ってもよい。補正された第２の波長測定値を生成するステップは、検出された周囲光レベルの関数に基づいて、第１の波長を含む光の測定値に、第２のオフセットを加算するステップを含む、またはそれらから本質的に成ってもよい。第１のオフセットは、検出された周囲光レベルの線形または多項式関数に基づいてもよい。第２のオフセットは、検出された周囲光レベルの線形または多項式関数に基づいてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定されてもよい。第１の閾値は、（ｉ）約０．５％／フィートの筐体の外側の煙による視界低下を介して発生される信号レベルより大きい信号レベルおよび／または（ｉｉ）約４％／フィートの筐体の外側の煙による視界低下を介して発生される信号レベルより小さい信号レベルに対応してもよい。
【００５７】
煙粒子の平均直径より大きい平均直径を有する妨害粒子の存在は、補正された第１の波長測定値と補正された第２の波長測定値との比率に基づいて、判定されてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定されてもよい。妨害粒子の存在を判定するステップは、補正された第１の波長測定値と補正された第２の波長測定値との比率を第２の閾値と比較するステップを含む、またはそれらから本質的に成ってもよく、妨害粒子は、補正された第１の波長測定値と補正された第２の波長測定値との比率が第２の閾値より小さいとき、存在すると判定されてもよい。第１の閾値は、第２の閾値とほぼ等しい、またはそれより低くてもよい。
【００５８】
筐体の外側の障害物の存在は、少なくとも部分的に、補正された第１の波長測定値または補正された第２の波長測定値のうちの少なくとも１つと障害物閾値を比較することによって、判定されてもよく、障害物は、補正された第１の波長測定値または補正された第２の波長測定値のうちの少なくとも１つが障害物閾値より大きいとき、存在すると判定されてもよい。障害物閾値は、（ｉ）１つまたはそれを上回る検出器の単一測定サイクルの間の煙の蓄積を介して達成不可能な信号レベルおよび／または（ｉｉ）約４０％／フィートの筐体の外側の煙による視界低下を介して発生される信号レベルより大きい信号レベルに対応してもよい。
【００５９】
１つまたはそれを上回る光エミッタは、ある範囲の波長にわたって光を放出する広帯域光源を含む、またはそれから本質的に成ってもよく、第１および第２の波長は、波長の範囲内である。広帯域光源は、１つまたはそれを上回る白色発光ダイオードを含む、またはそれらから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。煙検出器は、近接センサを含んでもよく、少なくとも１つの該光検出器は、近接センサ内に内蔵されてもよい。煙検出器は、近接センサから離散した周囲光センサを含んでもよく、少なくとも１つの該光検出器は、周囲光センサ内に内蔵されてもよい。第１の波長は、約３００ｎｍ〜約４８０ｎｍであってもよい。第２の波長は、約６３０ｎｍ〜約１０００ｎｍであってもよい。
【００６０】
筐体の外側から生じる第１の波長および第２の波長を含む光の第１の非照明測定値は、１つまたはそれを上回る光エミッタから、ほぼ第１の波長の光またはほぼ第２の波長の光を放出せずに、取得されてもよい。補正された第１の波長測定値を生成するステップは、第１の波長を含む光の測定値から、第１の波長および第２の波長を含む光の第１の非照明測定値を減算するステップを含む、またはそれらから本質的に成ってもよい。補正された第２の波長測定値を生成するステップは、第２の波長を含む光の測定値から、第１の波長および第２の波長を含む光の第１の非照明測定値を減算するステップを含む、またはそれらから本質的に成ってもよい。第１の波長および第２の波長を含む光の第１の非照明測定値は、第１の波長を含む光の測定値および第２の波長を含む光の測定値が取得される前に、取得されてもよい。第１の波長を含む光の測定値および／または第２の波長を含む光の測定値は、第１の波長および第２の波長を含む光の第１の非照明測定値が取得される前に、取得されてもよい。第１の波長および第２の波長を含む光の第１の非照明測定値は、第１の波長を含む光の測定値および第２の波長を含む光の測定値が取得された後に、取得されてもよい。
【００６１】
ほぼ第１の波長の放出された光の放出軌道および／またはほぼ第２の波長の放出された光の放出軌道は、１つまたはそれを上回る光学要素によって改変されてもよい。１つまたはそれを上回る光学要素は、レンズ、プリズム、格子、またはミラーを含む、またはそれらから本質的に成ってもよい。第１のサンプリング体積の少なくとも一部は、直接、１つまたはそれを上回る光検出器のうちの少なくとも１つにわたって配置されてもよい。第２のサンプリング体積の少なくとも一部は、直接、１つまたはそれを上回る光検出器のうちの少なくとも１つにわたって配置されてもよい。
【００６２】
別の側面では、本発明の実施形態は、筐体と、１つまたはそれを上回る光エミッタと、１つまたはそれを上回る光検出器と、評価回路とを含む、またはそれらから本質的に成る、煙検出器を特徴とする。１つまたはそれを上回る光エミッタは、筐体の外側から、第１の波長および第１の波長より長い第２の波長の光を放出する。光エミッタのうちの少なくとも１つの一部は、筐体の表面と実質的に同一平面に配置される、または筐体から突出する。１つまたはそれを上回る光検出器は、（ｉ）筐体の外側のサンプリング体積から１つまたはそれを上回る光検出器に後方反射され、それによって、第１および第２の波長を含む反射された光の測定値を提供する、１つまたはそれを上回る光エミッタから放出された光と、（ｉｉ）筐体の外側の周囲光レベルとを検出する。評価回路は、（ｉ）検出された周囲光レベルに基づいて、第１の波長を含む反射された光の測定値を補正し、それによって、補正された第１の波長測定値を生成し、（ｉｉ）検出された周囲光レベルに基づいて、第２の波長を含む反射された光の測定値を補正し、それによって、補正された第２の波長測定値を生成し、（ｉｉｉ）補正された第１の波長測定値と補正された第２の波長測定値との比率に基づいて、筐体の外側の煙粒子の存在を判定する。
【００６３】
本発明の実施形態は、種々の異なる組み合わせのいずれかにおいて、以下のうちの１つまたはそれを上回るものを含んでもよい。第１または第２の波長を含む光の測定値は、第１または第２の波長を含むより広い範囲の波長の光の広帯域測定値であってもよく（例えば、広帯域検出器を介して）、または第１または第２の波長に実質的に等しい、もしくはそれらを含む、狭帯域の光の狭帯域測定値であってもよい（例えば、特定の波長または波長範囲にのみ応答する異なる狭帯域検出器を介して）。評価回路は、（例えば、１つまたはそれを上回る光エミッタおよび１つまたはそれを上回る光検出器等の制御構成要素を介して）（ｉ）第１の時間において、１つまたはそれを上回る光エミッタからほぼ第１の波長の光を放出せずに、筐体の外側から生じる第１の波長を含む光の第１の測定値を取得し、（ｉｉ）第１の時間の後の第２の時間において、少なくとも１つの該光エミッタを用いて、ほぼ第１の波長の光を放出しながら、筐体の外側から生じる第１の波長を含む光の第２の測定値を取得し、（ｉｉｉ）第２の時間の後の第３の時間において、１つまたはそれを上回る光エミッタからほぼ第１の波長の光を放出せずに、筐体の外側から生じる第１の波長を含む光の第３の測定値を取得し、（ｉｖ）第４の時間において、１つまたはそれを上回る光エミッタからほぼ第２の波長の光を放出せずに、筐体の外側から生じる第２の波長を含む光の第１の測定値を取得し、（ｖ）第４の時間の後の第５の時間において、少なくとも１つの該光エミッタを用いて、ほぼ第２の波長の光を放出しながら、筐体の外側から生じる第２の波長を含む光の第２の測定値を取得し、（ｖｉ）第５の時間の後の第６の時間において、１つまたはそれを上回る光エミッタからほぼ第２の波長の光を放出せずに、筐体の外側から生じる第２の波長を含む光の第３の測定値を取得し、（ｖｉｉ）筐体の外側の周囲光レベルを検出するように構成されてもよい。
【００６４】
評価回路は、（ｉ）第１の波長を含む光の第２の測定値から、第１の波長を含む光の第１および第３の測定値の平均を減算し、（ｉｉ）検出された周囲光レベルの関数に基づいて、第１の波長を含む光の第２の測定値に、第１のオフセットを加算することによって、補正された第１の波長測定値を生成し、および／または（ｉ）第２の波長を含む光の第２の測定値から、第２の波長を含む光の第１および第３の測定値の平均を減算し、（ｉｉ）検出された周囲光レベルの関数に基づいて、第２の波長を含む光の第２の測定値に、第２のオフセットを加算することによって、補正された第２の波長測定値を生成するように構成されてもよい。第１のオフセットは、検出された周囲光レベルの線形または多項式関数に基づいてもよい。第２のオフセットは、検出された周囲光レベルの線形または多項式関数に基づいてもよい。評価回路は、補正された第１の波長測定値と補正された第２の波長測定値との比率を第１の閾値と比較することによって、筐体の外側の煙粒子の存在を判定し、煙粒子は、補正された第１の波長測定値と補正された第２の波長測定値との比率が第１の閾値より大きいとき、存在すると判定されるように構成されてもよい。第１の閾値は、約０．５％／フィートの筐体の外側の煙による視界低下を介して発生される信号レベルより大きい信号レベルおよび／または約４％／フィートの筐体の外側の煙による視界低下を介して発生される信号レベルより小さい信号レベルに対応してもよい。
【００６５】
評価回路は、補正された第１の波長測定値と補正された第２の波長測定値との比率に基づいて、煙粒子の平均直径より大きい平均直径を有する妨害粒子の存在を判定するように構成されてもよい。評価回路は、（ｉ）補正された第１の波長測定値と補正された第２の波長測定値との比率を第１の閾値と比較することによって、筐体の外側の煙粒子の存在を判定し、煙粒子は、補正された第１の波長測定値と補正された第２の波長測定値との比率が第１の閾値より大きいとき、存在すると判定され、（ｉｉ）補正された第１の波長測定値と補正された第２の波長測定値との比率を第２の閾値と比較することによって、妨害粒子の存在を判定し、妨害粒子は、補正された第１の波長測定値と補正された第２の波長測定値との比率が第２の閾値より小さいとき、存在すると判定されるように構成されてもよい。第１の閾値は、第２の閾値にほぼ等しくてもよい。第２の閾値は、第１の閾値より低くてもよい。
【００６６】
評価回路は、補正された第１の波長測定値および／または補正された第２の波長測定値に基づいて、筐体の外側の障害物の存在を判定するように構成されてもよい。評価回路は、補正された第１の波長測定値および／または補正された第２の波長測定値を障害物閾値と比較することによって、障害物の存在を判定し、障害物は、補正された第１の波長測定値および／または補正された第２の波長測定値が障害物閾値より大きいとき、存在すると判定されるように構成されてもよい。障害物閾値は、１つまたはそれを上回る検出器の単一測定サイクルの間の煙の蓄積を介して達成不可能な信号レベルに対応してもよい。障害物閾値は、約４０％／フィートの筐体の外側の煙による視界低下を介して発生される信号レベルより大きい信号レベルに対応してもよい。
【００６７】
筐体は、それを通して少なくとも１つの該光エミッタの一部が突出する、またはその中で少なくとも１つの該光エミッタの一部が筐体の表面と実質的に同一平面にある、１つまたはそれを上回る開口部を画定する。１つまたはそれを上回る開口部は、それぞれ、少なくとも１つの光エミッタと関連付けられる、複数の異なる開口部を含む、またはそれらから本質的に成ってもよい。各光エミッタは、部分的に、異なる開口部を通して突出してもよい。１つまたはそれを上回る光エミッタは、ある範囲の波長にわたって光を放出する広帯域光源を含む、またはそれから本質的に成ってもよく、第１および第２の波長は、波長の範囲内である。広帯域光源は、白色発光ダイオードを含む、またはそれから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。第１の光エミッタは、第２の光エミッタが第２の波長の光を放出していないときのみ、第１の波長の光を放出するように構成されてもよく、および／または第２の光エミッタは、第１の光エミッタが第１の波長の光を放出していないときのみ、第２の波長の光を放出するように構成されてもよい。煙検出器は、近接センサを含んでもよい。少なくとも１つの光エミッタおよび／または少なくとも１つの光検出器は、近接センサ内に内蔵されてもよい。１つまたはそれを上回る光検出器は、近接センサから離散した周囲光センサを含んでもよい。近接センサは、筐体の外側の周囲光レベルを検出してもよい（すなわち、近接センサは、周囲光検出器をその中に含んでもよい）。第１の波長は、約３００ｎｍ〜約４８０ｎｍであってもよい。第２の波長は、約６３０ｎｍ〜約１０００ｎｍであってもよい。
【００６８】
評価回路は、経過時間を測定するためのタイマと、（ｉ）タイマによって測定された複数の異なる時間において、少なくとも１つの光検出器から信号を受信し、（ｉｉ）検出された周囲光レベルに基づいて、信号を受信するための受信機と、（ｉ）その間に光検出信号が受信される、複数の時間のうちの少なくとも１つの間、光を放出し、（ｉｉ）その間に光検出信号が受信される、複数の時間の少なくとも１つの他の間、光を放出しないように、少なくとも１つの光エミッタを制御するためのコントローラと、受信機によって受信された信号に基づいて、補正された第１の波長測定値および補正された第２の波長測定値を生成するための変換器と、筐体の外側の煙粒子の存在を判定するための信号分析器とを含む、またはそれらから本質的に成ってもよい。コントローラは、第１の波長の光を放出する第１の光エミッタと、第２の波長の光を放出する第２の光エミッタとを制御してもよい。
【００６９】
評価回路は、（ａ）第１の時間において、少なくとも１つの該光エミッタを用いて、ほぼ第１の波長の光を放出しながら、筐体の外側から生じる第１の波長を含む光の第１の測定値を取得し、（ｂ）（ｉ）第１の時間より早い第２の時間において、１つまたはそれを上回る光エミッタからほぼ第１の波長の光を放出せずに、筐体の外側から生じる第１の波長を含む光の第２の測定値を取得するか、または（ｉｉ）第１の時間より後の第３の時間において、１つまたはそれを上回る光エミッタからほぼ第１の波長の光を放出せずに、筐体の外側から生じる第１の波長を含む光の第３の測定値を取得するかのうちの少なくとも１つを行い、（ｃ）第４の時間において、少なくとも１つの該光エミッタを用いて、ほぼ第２の波長の光を放出しながら、筐体の外側から生じる第２の波長を含む光の第１の測定値を取得し、（ｄ）（ｉ）第４の時間より早い第５の時間において、１つまたはそれを上回る光エミッタからほぼ第２の波長の光を放出せずに、筐体の外側から生じる第２の波長を含む光の第２の測定値を取得するか、または（ｉｉ）第４の時間より後の第６の時間において、１つまたはそれを上回る光エミッタからほぼ第２の波長の光を放出せずに、筐体の外側から生じる第２の波長を含む光の第３の測定値を取得するかのうちの少なくとも１つを行い、（ｅ）筐体の外側の周囲光レベルを検出するように構成されてもよい。評価回路は、（ａ）第１の波長を含む光の第２または第３の測定値のうちの１つのみを取得し、（ｂ）（ｉ）第１の波長を含む光の第１の測定値から、第１の波長を含む光の第２または第３の測定値のうちの取得された１つを減算し、（ｉｉ）検出された周囲光レベルの関数に基づいて、第１の波長を含む光の第１の測定値に、オフセットを加算することによって、補正された第１の波長測定値を生成するように構成されてもよい。評価回路は、（ａ）第１の波長を含む光の第２および第３の測定値の両方を取得し、（ｂ）（ｉ）第１の波長を含む光の第１の測定値から、第１の波長を含む光の第２および第３の測定値の平均を減算し、（ｉｉ）検出された周囲光レベルの関数に基づいて、第１の波長を含む光の第１の測定値に、オフセットを加算することによって、補正された第１の波長測定値を生成するように構成されてもよい。評価回路は、（ａ）第２の波長を含む光の第２または第３の測定値のうちの１つのみを取得し、（ｂ）（ｉ）第２の波長を含む光の第１の測定値から、第２の波長を含む光の第２または第３の測定値のうちの取得された１つを減算し、（ｉｉ）検出された周囲光レベルの関数に基づいて、第２の波長を含む光の第１の測定値に、オフセットを加算することによって、補正された第２の波長測定値を生成するように構成されてもよい。評価回路は、（ａ）第２の波長を含む光の第２および第３の測定値の両方を取得し、（ｂ）（ｉ）第２の波長を含む光の第１の測定値から、第２の波長を含む光の第２および第３の測定値の平均を減算し、（ｉｉ）検出された周囲光レベルの関数に基づいて、第２の波長を含む光の第１の測定値に、オフセットを加算することによって、補正された第２の波長測定値を生成するように構成されてもよい。
【００７０】
評価回路は、（ａ）１つまたはそれを上回る光エミッタから、ほぼ第１の波長の光またはほぼ第２の波長の光を放出せずに、筐体の外側から生じる第１の波長および第２の波長を含む光の第１の非照明測定値を取得し、（ｂ）少なくとも１つの該光エミッタを用いて、ほぼ第１の波長の光を放出しながら、第１の波長を含む筐体の外側から生じる光の測定値を取得し、（ｃ）少なくとも１つの該光エミッタを用いて、ほぼ第２の波長の光を放出しながら、筐体の外側から生じる第２の波長を含む光の測定値を取得し、（ｄ）筐体の外側の周囲光レベルを検出するように構成されてもよい。評価回路は、（ａ）（ｉ）第１の波長を含む光の測定値から、第１の波長および第２の波長を含む光の第１の非照明測定値を減算し、（ｉｉ）検出された周囲光レベルの関数に基づいて、第１の波長を含む光の測定値に、第１のオフセットを加算することによって、補正された第１の波長測定値を生成し、および／または（ｂ）（ｉ）第２の波長を含む光の測定値から、第１の波長および第２の波長を含む光の第１の非照明測定値を減算し、（ｉｉ）検出された周囲光レベルの関数に基づいて、第２の波長を含む光の測定値に、第２のオフセットを加算することによって補正された第２の波長測定値を生成するように構成されてもよい。第１のオフセットは、検出された周囲光レベルの線形または多項式関数に基づいてもよい。第２のオフセットは、検出された周囲光レベルの線形または多項式関数に基づいてもよい。
【００７１】
評価回路は、第１の波長を含む光の測定値および第２の波長を含む光の測定値が取得される前に、第１の波長および第２の波長を含む光の第１の非照明測定値を取得するように構成されてもよい。評価回路は、第１の波長および第２の波長を含む光の第１の非照明測定値が取得される前に、第１の波長を含む光の測定値または第２の波長を含む光の測定値のうちの少なくとも１つを取得するように構成されてもよい。評価回路は、第１の波長および第２の波長を含む光の第１の非照明測定値が取得される前に、第１の波長を含む光の測定値または第２の波長を含む光の測定値のうちの１つのみを取得するように構成されてもよい。
【００７２】
評価回路は、第１の波長および第２の波長を含む光の第１の非照明測定値を取得後、１つまたはそれを上回る光エミッタから、ほぼ第１の波長の光またはほぼ第２の波長の光を放出せずに、筐体の外側から生じる第１の波長および第２の波長を含む光の第２の非照明測定値を取得するように構成されてもよい。評価回路は、（ｉ）第１の波長を含む光の測定値または第２の波長を含む光の測定値のうちの少なくとも１つが取得される前に、第１の波長および第２の波長を含む光の第１の非照明測定値を取得し、（ｉｉ）第１の波長を含む光の測定値または第２の波長を含む光の測定値のうちの少なくとも１つが取得された後、第１の波長および第２の波長を含む光の第２の非照明測定値を取得するように構成されてもよい。評価回路は、（ｉ）第１の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第１の波長を含む光の測定値に、オフセットを加算することによって、補正された第１の波長測定値を生成するように構成されてもよい。評価回路は、（ｉ）第２の波長を含む光の測定値から、（ａ）第１の波長および第２の波長を含む光の第１の非照明測定値と、（ｂ）第１の波長および第２の波長を含む光の第２の非照明測定値の平均を減算し、（ｉｉ）検出された周囲光レベルの関数に基づいて、第２の波長を含む光の測定値に、オフセットを加算することによって、補正された第２の波長測定値を生成するように構成されてもよい。
【００７３】
煙検出器は、例えば、１つまたはそれを上回る光エミッタのうちの少なくとも１つから放出された光の放出軌道を改変することによって、サンプリング体積の少なくとも一部の位置（および／またはサイズ）を改変するように構成される、１つまたはそれを上回る光学要素を含んでもよい。１つまたはそれを上回る光学要素は、サンプリング体積の少なくとも一部を、直接、１つまたはそれを上回る光検出器（および／または煙検出器が近接センサを含む場合、近接センサ）のうちの少なくとも１つにわたって位置付けるように構成されてもよい。１つまたはそれを上回る光学要素は、レンズ、プリズム、格子、および／またはミラーを含む、またはそれらから本質的に成ってもよい。光エミッタの１つまたはそれを上回るもの（またはさらに全部）の一部は、筐体から突出してもよい。
【００７４】
別の側面では、本発明の実施形態は、（ａ）筐体と、（ｂ）１つまたはそれを上回る光エミッタと、（ｃ）１つまたはそれを上回る光検出器とを備える、煙検出器を利用した煙検出の方法を特徴とする。筐体の外側の第１のサンプリング体積から生じる第１の波長の光の測定値が、少なくとも１つの該光エミッタを用いて、ほぼ第１の波長の光を放出しながら、取得される。筐体の外側の第２のサンプリング体積から生じる第２の波長を含む光の測定値が、少なくとも１つの該光エミッタを用いて、ほぼ第２の波長の光を放出しながら、取得される。第２の波長は、第１の波長より長い。第１および第２のサンプリング体積は、実質的に同一であってもよい、または異なってもよい（すなわち、空間内で部分的または完全に重複してもよく、もしくはそうでなくてもよい）。筐体の外側の周囲光レベルが、検出される。第１の波長を含む光の測定値は、少なくとも部分的に、検出された周囲光レベルに基づいて、補正され、それによって、補正された第１の波長測定値を生成する。第２の波長を含む光の測定値は、少なくとも部分的に、検出された周囲光レベルに少なくとも部分的に基づいて、補正され、それによって、補正された第２の波長測定値を生成する。筐体の外側の煙粒子の存在は、補正された第１の波長測定値と補正された第２の波長測定値との比率に基づいて、判定される。少なくとも１つの光エミッタの一部は、筐体の表面と実質的に同一平面に配置される、または筐体から突出する。
【００７５】
本発明の実施形態は、種々の異なる組み合わせのいずれかにおいて、以下のうちの１つまたはそれを上回るものを含んでもよい。補正された第１の波長測定値を生成するステップは、検出された周囲光レベルの関数に基づいて、第１の波長を含む光の測定値に、第１のオフセットを加算するステップを含む、またはそれらから本質的に成ってもよい。補正された第２の波長測定値を生成するステップは、検出された周囲光レベルの関数に基づいて、第１の波長を含む光の測定値に、第２のオフセットを加算するステップを含む、またはそれらから本質的に成ってもよい。第１のオフセットは、検出された周囲光レベルの線形または多項式関数に基づいてもよい。第２のオフセットは、検出された周囲光レベルの線形または多項式関数に基づいてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定されてもよい。第１の閾値は、（ｉ）約０．５％／フィートの筐体の外側の煙による視界低下を介して発生される信号レベルより大きい信号レベルおよび／または（ｉｉ）約４％／フィートの筐体の外側の煙による視界低下を介して発生される信号レベルより小さい信号レベルに対応してもよい。
【００７６】
煙粒子の平均直径より大きい平均直径を有する妨害粒子の存在は、補正された第１の波長測定値と補正された第２の波長測定値との比率に基づいて、判定されてもよい。筐体の外側の煙粒子の存在を判定するステップは、補正された第１の波長測定値と補正された第２の波長測定値との比率を第１の閾値と比較するステップを含む、またはそれらから本質的に成ってもよく、煙粒子は、補正された第１の波長測定値と補正された第２の波長測定値との比率が第１の閾値より大きいとき、存在すると判定されてもよい。妨害粒子の存在を判定するステップは、補正された第１の波長測定値と補正された第２の波長測定値との比率を第２の閾値と比較するステップを含む、またはそれらから本質的に成ってもよく、妨害粒子は、補正された第１の波長測定値と補正された第２の波長測定値との比率が第２の閾値より小さいとき、存在すると判定されてもよい。第１の閾値は、第２の閾値とほぼ等しい、またはそれより低くてもよい。
【００７７】
筐体の外側の障害物の存在は、少なくとも部分的に、補正された第１の波長測定値または補正された第２の波長測定値のうちの少なくとも１つを障害物閾値と比較することによって、判定されてもよく、障害物は、補正された第１の波長測定値または補正された第２の波長測定値のうちの少なくとも１つが障害物閾値より大きいとき、存在すると判定されてもよい。障害物閾値は、（ｉ）１つまたはそれを上回る検出器の単一測定サイクルの間の煙の蓄積を介して達成不可能な信号レベルおよび／または（ｉｉ）約４０％／フィートの筐体の外側の煙による視界低下を介して発生される信号レベルより大きい信号レベルに対応してもよい。
【００７８】
１つまたはそれを上回る光エミッタは、ある範囲の波長にわたって光を放出する広帯域光源を含む、またはそれから本質的に成ってもよく、第１および第２の波長は、波長の範囲内である。広帯域光源は、１つまたはそれを上回る白色発光ダイオードを含む、またはそれらから本質的に成ってもよい。１つまたはそれを上回る光エミッタは、第１の波長で光を放出する第１の光エミッタと、第２の波長で光を放出する、第１の光エミッタと異なる第２の光エミッタとを含む、またはそれらから本質的に成ってもよい。煙検出器は、近接センサを含んでもよく、少なくとも１つの該光検出器は、近接センサ内に内蔵されてもよい。煙検出器は、近接センサから離散した周囲光センサを含んでもよく、少なくとも１つの該光検出器は、周囲光センサ内に内蔵されてもよい。第１の波長は、約３００ｎｍ〜約４８０ｎｍであってもよい。第２の波長は、約６３０ｎｍ〜約１０００ｎｍであってもよい。
【００７９】
筐体の外側から生じる第１の波長および第２の波長を含む光の第１の非照明測定値は、１つまたはそれを上回る光エミッタから、ほぼ第１の波長の光またはほぼ第２の波長の光を放出せずに、取得されてもよい。補正された第１の波長測定値を生成するステップは、第１の波長を含む光の測定値から、第１の波長および第２の波長を含む光の第１の非照明測定値を減算するステップを含む、またはそれらから本質的に成ってもよい。補正された第２の波長測定値を生成するステップは、第２の波長を含む光の測定値から、第１の波長および第２の波長を含む光の第１の非照明測定値を減算するステップを含む、またはそれらから本質的に成ってもよい。第１の波長および第２の波長を含む光の第１の非照明測定値は、第１の波長を含む光の測定値および第２の波長を含む光の測定値が取得される前に、取得されてもよい。第１の波長を含む光の測定値および／または第２の波長を含む光の測定値は、第１の波長および第２の波長を含む光の第１の非照明測定値が取得される前に、取得されてもよい。第１の波長および第２の波長を含む光の第１の非照明測定値は、第１の波長を含む光の測定値および第２の波長を含む光の測定値が取得された後に、取得されてもよい。
【００８０】
筐体の外側の第１のサンプリング体積から生じる第１の波長を含む光の測定値を取得しながら、第１のサンプリング体積の少なくとも一部の位置および／またはサイズは、ほぼ第１の波長の放出された光の放出軌道を改変することによって、改変されてもよい。筐体の外側の第２のサンプリング体積から生じる第２の波長を含む光の測定値を取得しながら、第２のサンプリング体積の少なくとも一部の位置および／またはサイズは、ほぼ第２の波長の放出された光の放出軌道を改変することによって、改変されてもよい。ほぼ第１の波長の放出された光の放出軌道および／またはほぼ第２の波長の放出された光の放出軌道は、１つまたはそれを上回る光学要素によって改変されてもよい。１つまたはそれを上回る光学要素は、レンズ、プリズム、格子、またはミラーを含む、またはそれらから本質的に成ってもよい。第１のサンプリング体積の少なくとも一部は、直接、１つまたはそれを上回る光検出器のうちの少なくとも１つにわたって配置されてもよい。第２のサンプリング体積の少なくとも一部は、直接、１つまたはそれを上回る光検出器のうちの少なくとも１つにわたって配置されてもよい。本発明のいくつかの実施形態では、第１または第２のサンプリング体積のうちの１つのみの少なくとも一部の位置は、例えば、第１または第２の波長の放出された光の放出軌道を改変することを介して改変される一方、他方は、実質的に改変されないままである。
【００８１】
本発明の前述の側面のいずれかの実施形態は、種々の組み合わせのいずれかにおいて、以下のうちの１つまたはそれを上回るものを含んでもよい。１つまたはそれを上回る光エミッタは、（ｉ）筐体の外側から第１の光部分を放出し、（ｉｉ）そこからの放出を実質的に伴わずに、筐体内に第２の光部分を放出するように構成されてもよい。１つまたはそれを上回る光検出器は、筐体の中に後方反射された第１の光部分からの光および筐体内の第２の光部分からの光を受信するように構成されてもよい。評価回路は、部分的に、（ｉ）第１の光部分からの１つまたはそれを上回る光検出器によって受信された光と、（ｉｉ）第２の光部分からの１つまたはそれを上回る光検出器によって受信された光とに基づいて、筐体の外側の煙粒子の存在を判定してもよい。筐体の外側の煙粒子の存在は、部分的に、（ｉ）第１の光部分から受信された光の輝度および／または輝度の変化率と、（ｉｉ）第２の光部分から受信された光の輝度とに基づいて、判定されてもよい。第２の光部分からの光は、筐体内の開口部に近接する筐体の一部によって反射されてもよい。第２の光部分からの光は、筐体内の窓および／または光学要素によって反射されてもよい。１つまたはそれを上回る光エミッタおよび／または１つまたはそれを上回る光検出器は、単一電子構成要素、例えば、近接センサの一部であってもよい。１つまたはそれを上回る光エミッタおよび／または１つまたはそれを上回る光検出器は、単一電子構成要素の一部ではなくてもよい（したがって、独立して動作可能である、別個の電子構成要素であってもよい）。ガスセンサは、少なくとも部分的に、筐体内または上に配置されてもよい。筐体の外側の煙粒子の存在は、部分的に、（ｉ）ガスセンサによって感知されるガス濃度、および／または（ｉｉ）ガスセンサによって感知されるガス濃度の一時的発生に基づいて、判定されてもよい。ガスセンサは、一酸化酸化物および／または二酸化炭素を感知するように構成されてもよい。手動試験ボタンが、筐体上に配置され、評価回路に電気的に接続されてもよい。手動試験ボタンの作動後、評価回路は、試験シーケンスを行ってもよい。試験シーケンスは、少なくとも部分的に、受信された第１の光部分の輝度と受信された第２の光部分の輝度、および／または補正された第１の波長測定値と補正された第２の波長測定値とに基づいてもよい。１つまたはそれを上回る光検出器は、それぞれ、１つまたはそれを上回る光エミッタによって放出された波長の範囲の一部のみにわたって光を感知する、複数の光検出器を含む、またはそれらから本質的に成ってもよい。周囲光センサは、可視および／または赤外線光を感知してもよい。第１の光部分から反射された光および第２の光部分からの光は、同一光検出器によって検出されてもよい。保守アラームが、第２の光部分から検出された光の輝度が保守閾値を下回って降下する場合、アクティブ化されてもよい。筐体の外側のガス濃度、例えば、一酸化炭素および／または二酸化炭素の濃度が、感知されてもよい。筐体の外側の煙粒子の存在は、部分的に、感知されたガス濃度に基づいて、判定されてもよい。
【００８２】
これらおよび他の目的は、本発明の利点および特徴とともに、以下の説明、付随の図面、および請求項の参照を通してより明白となるであろう。さらに、本明細書に説明される種々の実施形態の特徴は、相互に排他ではなく、種々の組み合わせおよび順列において存在することができることを理解されたい。本明細書全体を通して、「一実施例」、「ある実施例」、「一実施形態」、または「ある実施形態」の言及は、実施例に関して説明される特定の特徴、構造、または特性が、本技術の少なくとも一実施例に含まれることを意味する。したがって、本明細書全体を通した種々の場所における語句「一実施例では」、「ある実施例では」、「一実施形態」、または「ある実施形態」の表出は、必ずしも、全て同一実施例を参照するわけではない。さらに、特定の特徴、構造、ルーチン、ステップ、または特性は、技術の１つまたはそれを上回る実施例において、任意の好適な様式において組み合わせられてもよい。用語「光」は、広義には、限定ではないが、可視光、紫外線放射、および赤外線放射を含む、電磁スペクトル内の任意の波長または複数の波長帯域を示す。同様に、「輝度」、「光束」、および「光度」等の測光用語は、「放射」、「放射束」、および「放射度」等のその放射測定均等物まで拡張され、それらを含む。本明細書で使用されるように、「光の一部」は、同一光の他の部分から離散されてもよく、またはそうでなくてもよい、光の強度または指向性割合を意味する。本明細書で使用されるように、用語「実質的に」は、±１０％、いくつかの実施形態では、±５％を意味する。用語「〜から本質的に成る」は、本明細書において別様に定義されない限り、機能に寄与する他の材料を除外することを意味する。それでもなお、そのような他の材料は、集合的または個々に、微量に存在し得る。
本発明は、例えば、以下の項目を提供する。
（項目１）
煙検出器であって、
筐体と、
前記筐体の外側から、第１の波長および前記第１の波長より長い第２の波長の光を放出するための１つまたはそれを上回る光エミッタと、
（ｉ）前記筐体の外側のサンプリング体積から前記１つまたはそれを上回る光検出器に後方反射され、それによって、前記第１および第２の波長を含む反射された光の測定値を提供する、前記１つまたはそれを上回る光エミッタから放出された光と、（ｉｉ）前記筐体の外側の周囲光レベルとを検出するための１つまたはそれを上回る光検出器と、
前記１つまたはそれを上回る光エミッタのうちの少なくとも１つから放出された光の放出軌道を改変することによって、前記サンプリング体積の少なくとも一部の位置を改変するように構成される、１つまたはそれを上回る光学要素と、
（ｉ）前記検出された周囲光レベルに基づいて、前記第１の波長を含む反射された光の測定値を補正し、それによって、補正された第１の波長測定値を生成し、（ｉｉ）前記検出された周囲光レベルに基づいて、前記第２の波長を含む反射された光の測定値を補正し、それによって、補正された第２の波長測定値を生成し、（ｉｉｉ）前記補正された第１の波長測定値と前記補正された第２の波長測定値との比率に基づいて、前記筐体の外側の煙粒子の存在を判定するための評価回路と
を備える、煙検出器。
（項目２）
前記評価回路は、
第１の時間において、前記１つまたはそれを上回る光エミッタからほぼ前記第１の波長の光を放出せずに、前記筐体の外側から生じる前記第１の波長を含む光の第１の測定値を取得することと、
前記第１の時間の後の第２の時間において、少なくとも１つの前記光エミッタを用いて、ほぼ前記第１の波長の光を放出しながら、前記筐体の外側から生じる前記第１の波長を含む光の第２の測定値を取得することと、
前記第２の時間の後の第３の時間において、前記１つまたはそれを上回る光エミッタからほぼ前記第１の波長の光を放出せずに、前記筐体の外側から生じる前記第１の波長を含む光の第３の測定値を取得することと、
第４の時間において、前記１つまたはそれを上回る光エミッタからほぼ前記第２の波長の光を放出せずに、前記筐体の外側から生じる前記第２の波長を含む光の第１の測定値を取得することと、
前記第４の時間の後の第５の時間において、少なくとも１つの前記光エミッタを用いて、ほぼ前記第２の波長の光を放出しながら、前記筐体の外側から生じる前記第２の波長を含む光の第２の測定値を取得することと、
前記第５の時間の後の第６の時間において、前記１つまたはそれを上回る光エミッタからほぼ前記第２の波長の光を放出せずに、前記筐体の外側から生じる前記第２の波長を含む光の第３の測定値を取得することと、
前記筐体の外側の周囲光レベルを検出することと
を行うように構成される、項目１に記載の煙検出器。
（項目３）
前記評価回路は、
（ｉ）前記第１の波長を含む前記光の第２の測定値から、前記第１の波長を含む前記光の第１および第３の測定値の平均を減算し、（ｉｉ）前記検出された周囲光レベルの関数に基づいて、前記第１の波長を含む前記光の第２の測定値に、第１のオフセットを加算することによって、前記補正された第１の波長測定値を生成することと、
（ｉ）前記第２の波長を含む前記光の第２の測定値から、前記第２の波長を含む前記光の第１および第３の測定値の平均を減算し、（ｉｉ）前記検出された周囲光レベルの関数に基づいて、前記第２の波長を含む前記光の第２の測定値に、第２のオフセットを加算することによって、前記補正された第２の波長測定値を生成することと
を行うように構成される、項目２に記載の煙検出器。
（項目４）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目３に記載の煙検出器。
（項目５）
前記評価回路は、前記補正された第１の波長測定値と前記補正された第２の波長測定値との比率を第１の閾値と比較することによって、前記筐体の外側の煙粒子の存在を判定するように構成され、煙粒子は、前記補正された第１の波長測定値と前記補正された第２の波長測定値との比率が前記第１の閾値より大きいとき、存在すると判定される、項目１に記載の煙検出器。
（項目６）
前記第１の閾値は、約０．５％／フィートの前記筐体の外側の煙による視界低下を介して発生される信号レベルより大きい信号レベルに対応する、項目５に記載の煙検出器。
（項目７）
前記第１の閾値は、約４％／フィートの前記筐体の外側の煙による視界低下を介して発生される信号レベルより小さい信号レベルに対応する、項目６に記載の煙検出器。
（項目８）
前記第１の閾値は、約４％／フィートの前記筐体の外側の煙による視界低下を介して発生される信号レベルより小さい信号レベルに対応する、項目５に記載の煙検出器。
（項目９）
前記評価回路は、前記補正された第１の波長測定値と前記補正された第２の波長測定値との比率に基づいて、前記煙粒子の平均直径より大きい平均直径を有する妨害粒子の存在を判定するように構成される、項目１に記載の煙検出器。
（項目１０）
前記評価回路は、
前記補正された第１の波長測定値と前記補正された第２の波長測定値との比率を第１の閾値と比較することによって、前記筐体の外側の煙粒子の存在を判定することであって、煙粒子は、前記補正された第１の波長測定値と前記補正された第２の波長測定値との比率が前記第１の閾値より大きいとき、存在すると判定される、ことと、
前記補正された第１の波長測定値と前記補正された第２の波長測定値との比率を第２の閾値と比較することによって、前記妨害粒子の存在を判定することであって、妨害粒子は、前記補正された第１の波長測定値と前記補正された第２の波長測定値との比率が前記第２の閾値より小さいとき、存在すると判定される、ことと
を行うように構成される、項目９に記載の煙検出器。
（項目１１）
前記第１の閾値は、前記第２の閾値とほぼ等しい、項目１０に記載の煙検出器。
（項目１２）
前記第２の閾値は、前記第１の閾値より低い、項目１０に記載の煙検出器。
（項目１３）
前記評価回路は、前記補正された第１の波長測定値または前記補正された第２の波長測定値のうちの少なくとも１つに基づいて、前記筐体の外側の障害物の存在を判定するように構成される、項目１に記載の煙検出器。
（項目１４）
前記評価回路は、前記補正された第１の波長測定値または前記補正された第２の波長測定値のうちの少なくとも１つを障害物閾値と比較することによって、前記障害物の存在を判定するように構成され、障害物は、前記補正された第１の波長測定値または前記補正された第２の波長測定値のうちの少なくとも１つが前記障害物閾値より大きいとき、存在すると判定される、項目１３に記載の煙検出器。
（項目１５）
前記障害物閾値は、前記１つまたはそれを上回る検出器の単一測定サイクルの間の煙の蓄積を介して達成不可能な信号レベルに対応する、項目１４に記載の煙検出器。
（項目１６）
前記障害物閾値は、約４０％／フィートの前記筐体の外側の煙による視界低下を介して発生される信号レベルより大きい信号レベルに対応する、項目１４に記載の煙検出器。
（項目１７）
少なくとも１つの前記光エミッタは、少なくとも部分的に、前記筐体内に配置される、項目１に記載の煙検出器。
（項目１８）
前記筐体は、それを通して前記少なくとも１つの前記光エミッタからの光が放出される、１つまたはそれを上回る開口部を画定する、項目１７に記載の煙検出器。
（項目１９）
前記１つまたはそれを上回る開口部は、それぞれ、少なくとも１つの光エミッタと関連付けられる、複数の異なる開口部を備える、項目１８に記載の煙検出器。
（項目２０）
前記筐体は、それを通して前記少なくとも１つの前記光エミッタからの光が放出される、１つまたはそれを上回る一体窓を備える、項目１７に記載の煙検出器。
（項目２１）
前記１つまたはそれを上回る一体窓は、それぞれ、少なくとも１つの光エミッタと関連付けられる、複数の異なる一体窓を備える、項目２０に記載の煙検出器。
（項目２２）
前記１つまたはそれを上回る光エミッタは、ある範囲の波長にわたって光を放出する広帯域光源を備え、前記第１および第２の波長は、前記波長の範囲内である、項目１に記載の煙検出器。
（項目２３）
前記広帯域光源は、白色発光ダイオードを備える、項目２２に記載の煙検出器。
（項目２４）
前記１つまたはそれを上回る光エミッタは、前記第１の波長で光を放出する第１の光エミッタと、前記第２の波長で光を放出する、前記第１の光エミッタと異なる第２の光エミッタとを備える、項目１に記載の煙検出器。
（項目２５）
（ｉ）前記第１の光エミッタは、前記第２の光エミッタが前記第２の波長の光を放出していないときのみ、前記第１の波長の光を放出するように構成され、（ｉｉ）前記第２の光エミッタは、前記第１の光エミッタが前記第１の波長の光を放出していないときのみ、前記第２の波長の光を放出するように構成される、項目２４に記載の煙検出器。
（項目２６）
近接センサをさらに備え、少なくとも１つの前記光検出器は、前記近接センサ内に内蔵される、項目１に記載の煙検出器。
（項目２７）
前記１つまたはそれを上回る光検出器は、前記近接センサから離散した周囲光センサを備える、項目２６に記載の煙検出器。
（項目２８）
前記近接センサは、前記筐体の外側の周囲光レベルを検出する、項目２６に記載の煙検出器。
（項目２９）
前記第１の波長は、約３００ｎｍ〜約４８０ｎｍである、項目１に記載の煙検出器。
（項目３０）
前記第２の波長は、約６３０ｎｍ〜約１０００ｎｍである、項目１に記載の煙検出器。
（項目３１）
前記評価回路は、
経過時間を測定するためのタイマと、
（ｉ）前記タイマによって測定された複数の異なる時間において、少なくとも１つの光検出器から信号を受信し、（ｉｉ）前記検出された周囲光レベルに基づいて、信号を受信するための受信機と、
（ｉ）その間に光検出信号が受信される、前記複数の時間のうちの少なくとも１つの間、光を放出し、（ｉｉ）その間に光検出信号が受信される、前記複数の時間の少なくとも１つの他の間、光を放出しないように、少なくとも１つの光エミッタを制御するためのコントローラと、
前記受信機によって受信された信号に基づいて、前記補正された第１の波長測定値および前記補正された第２の波長測定値を生成するための変換器と、
前記筐体の外側の煙粒子の存在を判定するための信号分析器と、
を備える、項目１に記載の煙検出器。
（項目３２）
前記コントローラは、前記第１の波長の光を放出する第１の光エミッタと、前記第２の波長の光を放出する第２の光エミッタとを制御する、項目３１に記載の煙検出器。
（項目３３）
前記評価回路は、
第１の時間において、少なくとも１つの前記光エミッタを用いて、ほぼ前記第１の波長の光を放出しながら、前記筐体の外側から生じる前記第１の波長を含む光の第１の測定値を取得することと、
（ｉ）前記第１の時間より早い第２の時間において、前記１つまたはそれを上回る光エミッタからほぼ前記第１の波長の光を放出せずに、前記筐体の外側から生じる前記第１の波長を含む光の第２の測定値を取得するか、または（ｉｉ）前記第１の時間より後の第３の時間において、前記１つまたはそれを上回る光エミッタからほぼ前記第１の波長の光を放出せずに、前記筐体の外側から生じる前記第１の波長を含む光の第３の測定値を取得するかのうちの少なくとも１つを行うことと、
第４の時間において、少なくとも１つの前記光エミッタを用いて、ほぼ前記第２の波長の光を放出しながら、前記筐体の外側から生じる前記第２の波長を含む光の第１の測定値を取得することと、
（ｉ）前記第４の時間より早い第５の時間において、前記１つまたはそれを上回る光エミッタからほぼ前記第２の波長の光を放出せずに、前記筐体の外側から生じる前記第２の波長を含む光の第２の測定値を取得するか、または（ｉｉ）前記第４の時間より後の第６の時間において、前記１つまたはそれを上回る光エミッタからほぼ前記第２の波長の光を放出せずに、前記筐体の外側から生じる前記第２の波長を含む光の第３の測定値を取得するかのうちの少なくとも１つを行うことと、
前記筐体の外側の周囲光レベルを検出することと
を行うように構成される、項目１に記載の煙検出器。
（項目３４）
前記評価回路は、
前記第１の波長を含む光の前記第２または第３の測定値のうちの１つのみを取得することと、
（ｉ）前記第１の波長を含む光の第１の測定値から、前記第１の波長を含む光の前記第２または第３の測定値のうちの取得された１つを減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、項目３３に記載の煙検出器。
（項目３５）
前記評価回路は、
前記第１の波長を含む光の第２および第３の測定値の両方を取得することと、
（ｉ）前記第１の波長を含む光の第１の測定値から、前記第１の波長を含む光の第２および第３の測定値の平均を減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、項目３３に記載の煙検出器。
（項目３６）
前記評価回路は、
前記第２の波長を含む光の第２または第３の測定値のうちの１つのみを取得することと、
（ｉ）前記第２の波長を含む光の第１の測定値から、前記第２の波長を含む光の第２または第３の測定値のうちの取得された１つを減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、項目３３に記載の煙検出器。
（項目３７）
前記評価回路は、
前記第２の波長を含む光の第２および第３の測定値の両方を取得することと、
（ｉ）前記第２の波長を含む光の第１の測定値から、前記第２の波長を含む光の第２および第３の測定値の平均を減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、項目３３に記載の煙検出器。
（項目３８）
前記評価回路は、
前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得することと、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、項目１に記載の煙検出器。
（項目３９）
前記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、項目３８に記載の煙検出器。
（項目４０）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目３９に記載の煙検出器。
（項目４１）
前記評価回路は、前記第１の波長を含む光の測定値および前記第２の波長を含む光の測定値が取得される前に、前記第１の波長および前記第２の波長を含む光の第１の非照明測定値を取得するように構成される、項目３８に記載の煙検出器。
（項目４２）
前記評価回路は、前記第１の波長および前記第２の波長を含む光の第１の非照明測定値が取得される前に、前記第１の波長を含む光の測定値または前記第２の波長を含む光の測定値のうちの少なくとも１つを取得するように構成される、項目３８に記載の煙検出器。
（項目４３）
前記評価回路は、前記第１の波長および前記第２の波長を含む光の第１の非照明測定値が取得される前に、前記第１の波長を含む光の測定値または前記第２の波長を含む光の測定値のうちの１つのみを取得するように構成される、項目３８に記載の煙検出器。
（項目４４）
前記評価回路は、前記第１の波長および前記第２の波長を含む光の第１の非照明測定値を取得後、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第２の非照明測定値を取得するように構成される、項目３８に記載の煙検出器。
（項目４５）
前記評価回路は、（ｉ）前記第１の波長を含む光の測定値または前記第２の波長を含む光の測定値のうちの少なくとも１つが取得される前に、前記第１の波長および前記第２の波長を含む光の第１の非照明測定値を取得し、（ｉｉ）前記第１の波長を含む光の測定値または前記第２の波長を含む光の測定値のうちの少なくとも１つが取得された後、前記第１の波長および前記第２の波長を含む光の第２の非照明測定値を取得するように構成される、項目４４に記載の煙検出器。
（項目４６）
前記評価回路は、（ｉ）前記第１の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第１の波長を含む光の測定値に、オフセットを加算することによって、前記補正された第１の波長測定値を生成するように構成される、項目４４に記載の煙検出器。
（項目４７）
前記評価回路は、（ｉ）前記第２の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第２の波長を含む光の測定値に、オフセットを加算することによって、前記補正された第２の波長測定値を生成するように構成される、項目４４に記載の煙検出器。
（項目４８）
前記評価回路は、
経過時間を測定するためのタイマと、
（ｉ）前記タイマによって測定された複数の異なる時間において、少なくとも１つの光検出器から信号を受信し、（ｉｉ）前記検出された周囲光レベルに基づいて、信号を受信するための受信機と、
その間に光検出信号が受信される、前記複数の時間のうちの少なくとも１つの間、光を放出するように少なくとも１つの光エミッタを制御するためのコントローラと、
前記受信機によって受信された信号に基づいて、前記補正された第１の波長測定値および前記補正された第２の波長測定値を生成するための変換器と、
前記筐体の外側の煙粒子の存在を判定するための信号分析器と、
を備える、項目１に記載の煙検出器。
（項目４９）
前記コントローラは、その間に光検出信号が受信される、前記複数の時間の少なくとも１つの他の間、光を放出しないように少なくとも１つの光エミッタを制御する、項目４８に記載の煙検出器。
（項目５０）
前記評価回路は、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、項目１に記載の煙検出器。
（項目５１）
前記評価回路は、
少なくとも部分的に、前記検出された周囲光レベルの関数に基づいて、前記第１の波長を含む光の測定値に、第１のオフセットを加算することによって、前記補正された第１の波長測定値を生成することと、
少なくとも部分的に、前記検出された周囲光レベルの関数に基づいて、前記第２の波長を含む光の測定値に、第２のオフセットを加算することによって、前記補正された第２の波長測定値を生成することと
を行うように構成される、項目５０に記載の煙検出器。
（項目５２）
前記評価回路は、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得するように構成される、項目５０に記載の煙検出器。
（項目５３）
前記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、項目５２に記載の煙検出器。
（項目５４）
前記１つまたはそれを上回る光学要素は、直接、前記１つまたはそれを上回る光検出器のうちの少なくとも１つにわたって前記サンプリング体積の少なくとも一部を位置付けるように構成される、項目１に記載の煙検出器。
（項目５５）
前記１つまたはそれを上回る光学要素は、レンズ、プリズム、格子、またはミラーのうちの少なくとも１つを備える、項目１に記載の煙検出器。
（項目５６）
（ａ）筐体と、（ｂ）１つまたはそれを上回る光エミッタと、（ｃ）１つまたはそれを上回る光検出器とを備える、煙検出器を利用した煙検出の方法であって、
（ｉ）少なくとも１つの前記光エミッタを用いて、ほぼ前記第１の波長の光を放出し、（ｉｉ）ほぼ前記第１の波長の前記放出された光の放出軌道を改変することによって、第１のサンプリング体積の少なくとも一部の位置を改変しながら、前記筐体の外側の第１のサンプリング体積から生じる第１の波長を含む光の測定値を取得するステップと、
（ｉ）少なくとも１つの前記光エミッタを用いて、ほぼ前記第２の波長の光を放出し、（ｉｉ）ほぼ前記第２の波長の前記放出された光の放出軌道を改変することによって、第２のサンプリング体積の少なくとも一部の位置を改変しながら、前記筐体の外側の第２のサンプリング体積から生じる第２の波長を含む光の測定値を取得するステップであって、前記第２の波長は、前記第１の波長より長い、ステップと、
前記筐体の外側の周囲光レベルを検出するステップと、
少なくとも部分的に、前記検出された周囲光レベルに基づいて、前記第１の波長を含む光の測定値を補正し、それによって、補正された第１の波長測定値を生成するステップと、
少なくとも部分的に、前記検出された周囲光レベルに基づいて、前記第２の波長を含む光の測定値を補正し、それによって、補正された第２の波長測定値を生成するステップと、
前記補正された第１の波長測定値と前記補正された第２の波長測定値との比率に基づいて、前記筐体の外側の煙粒子の存在を判定するステップと、
を含む、方法。
（項目５７）
（ｉ）前記補正された第１の波長測定値を生成するステップは、前記検出された周囲光レベルの関数に基づいて、前記第１の波長を含む光の測定値に、第１のオフセットを加算するステップを含み、（ｉｉ）前記補正された第２の波長測定値を生成するステップは、前記検出された周囲光レベルの関数に基づいて、前記第１の波長を含む光の測定値に、第２のオフセットを加算するステップを含む、項目５６に記載の方法。
（項目５８）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目５７に記載の方法。
（項目５９）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定される、項目５６に記載の方法。
（項目６０）
前記第１の閾値は、（ｉ）約０．５％／フィートの前記筐体の外側の煙による視界低下を介して発生される信号レベルより大きい信号レベル、または（ｉｉ）約４％／フィートの前記筐体の外側の煙による視界低下を介して発生される信号レベルより小さい信号レベルのうちの少なくとも１つに対応する、項目５９に記載の方法。
（項目６１）
前記補正された第１の波長測定値と前記補正された第２の波長測定値との比率に基づいて、前記煙粒子の平均直径より大きい平均直径を有する妨害粒子の存在を判定するステップをさらに含み、
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定され、
前記妨害粒子の存在を判定するステップは、前記補正された第１の波長測定値と前記補正された第２の波長測定値との比率を第２の閾値と比較するステップを含み、妨害粒子は、前記補正された第１の波長測定値と前記補正された第２の波長測定値との比率が前記第２の閾値より小さいとき、存在すると判定される、項目５６に記載の方法。
（項目６２）
前記第１の閾値は、前記第２の閾値とほぼ等しい、項目６１に記載の方法。
（項目６３）
前記第２の閾値は、前記第１の閾値より低い、項目６１に記載の方法。
（項目６４）
少なくとも部分的に、前記補正された第１の波長測定値または前記補正された第２の波長測定値のうちの少なくとも１つを障害物閾値と比較することによって、前記筐体の外側の障害物の存在を判定するステップをさらに含み、障害物は、前記補正された第１の波長測定値または前記補正された第２の波長測定値のうちの少なくとも１つが前記障害物閾値より大きいとき、存在すると判定される、項目５６に記載の方法。
（項目６５）
前記障害物閾値は、（ｉ）前記１つまたはそれを上回る検出器の単一測定サイクルの間の煙の蓄積を介して達成不可能な信号レベル、または（ｉｉ）約４０％／フィートの前記筐体の外側の煙による視界低下を介して発生される信号レベルより大きい信号レベルのうちの少なくとも１つに対応する、項目６４に記載の方法。
（項目６６）
前記１つまたはそれを上回る光エミッタは、ある範囲の波長にわたって光を放出する広帯域光源を備え、前記第１および第２の波長は、前記波長の範囲内である、項目５６に記載の方法。
（項目６７）
前記広帯域光源は、白色発光ダイオードを備える、項目６６に記載の方法。
（項目６８）
前記１つまたはそれを上回る光エミッタは、前記第１の波長で光を放出する第１の光エミッタと、前記第２の波長で光を放出する、前記第１の光エミッタと異なる第２の光エミッタとを備える、項目５６に記載の方法。
（項目６９）
前記煙検出器は、近接センサを備え、少なくとも１つの前記光検出器は、前記近接センサ内に内蔵される、項目５６に記載の方法。
（項目７０）
前記煙検出器は、前記近接センサから離散した周囲光センサを備え、少なくとも１つの前記光検出器は、前記周囲光センサ内に内蔵される、項目６９に記載の方法。
（項目７１）
前記第１の波長は、約３００ｎｍ〜約４８０ｎｍである、項目５６に記載の方法。
（項目７２）
前記第２の波長は、約６３０ｎｍ〜約１０００ｎｍである、項目５６に記載の方法。
（項目７３）
前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得するステップをさらに含む、項目５６に記載の方法。
（項目７４）
（ｉ）前記補正された第１の波長測定値を生成するステップは、前記第１の波長を含む光の測定値から、前記第１の波長および前記第２の波長を含む光の第１の非照明測定値を減算するステップを含み、（ｉｉ）前記補正された第２の波長測定値を生成するステップは、前記第２の波長を含む光の測定値から、前記第１の波長および前記第２の波長を含む光の第１の非照明測定値を減算するステップを含む、項目７３に記載の方法。
（項目７５）
前記第１の波長および前記第２の波長を含む光の第１の非照明測定値は、前記第１の波長を含む光の測定値および前記第２の波長を含む光の測定値が取得される前に、取得される、項目７３に記載の方法。
（項目７６）
前記第１の波長を含む光の測定値または前記第２の波長を含む光の測定値のうちの少なくとも１つは、前記第１の波長および前記第２の波長を含む光の第１の非照明測定値が取得される前に、取得される、項目７３に記載の方法。
（項目７７）
前記第１の波長および前記第２の波長を含む光の第１の非照明測定値は、前記第１の波長を含む光の測定値および前記第２の波長を含む光の測定値が取得された後に、取得される、項目７３に記載の方法。
（項目７８）
ほぼ前記第１の波長の放出された光の放出軌道またはほぼ前記第２の波長の前記放出された光の放出軌道のうちの少なくとも１つは、１つまたはそれを上回る光学要素によって改変される、項目５６に記載の方法。
（項目７９）
前記１つまたはそれを上回る光学要素は、レンズ、プリズム、格子、またはミラーのうちの少なくとも１つを備える、項目７８に記載の方法。
（項目８０）
前記第１のサンプリング体積の少なくとも一部は、直接、前記１つまたはそれを上回る光検出器のうちの少なくとも１つにわたって配置される、項目５６に記載の方法。
（項目８１）
前記第２のサンプリング体積の少なくとも一部は、直接、前記１つまたはそれを上回る光検出器のうちの少なくとも１つにわたって配置される、項目５６に記載の方法。
（項目８２）
煙検出器であって、
筐体と、
前記筐体の外側から、第１の波長および前記第１の波長より長い第２の波長の光を放出するための１つまたはそれを上回る光エミッタであって、その一部は、前記筐体の表面と実質的に同一平面に配置される、または前記筐体から突出する、少なくとも１つの光エミッタと、
（ｉ）前記筐体の外側のサンプリング体積から前記１つまたはそれを上回る光検出器に後方反射され、それによって、前記第１および第２の波長を含む反射された光の測定値を提供する、前記１つまたはそれを上回る光エミッタから放出された光と、（ｉｉ）前記筐体の外側の周囲光レベルとを検出するための１つまたはそれを上回る光検出器と、
（ｉ）前記検出された周囲光レベルに基づいて、前記第１の波長を含む反射された光の測定値を補正し、それによって、補正された第１の波長測定値を生成し、（ｉｉ）前記検出された周囲光レベルに基づいて、前記第２の波長を含む反射された光の測定値を補正し、それによって、補正された第２の波長測定値を生成し、（ｉｉｉ）前記補正された第１の波長測定値と前記補正された第２の波長測定値との比率に基づいて、前記筐体の外側の煙粒子の存在を判定するための評価回路と、
を備える、煙検出器。
（項目８３）
前記評価回路は、
第１の時間において、前記１つまたはそれを上回る光エミッタからほぼ前記第１の波長の光を放出せずに、前記筐体の外側から生じる前記第１の波長を含む光の第１の測定値を取得することと、
前記第１の時間の後の第２の時間において、少なくとも１つの前記光エミッタを用いて、ほぼ前記第１の波長の光を放出しながら、前記筐体の外側から生じる前記第１の波長を含む光の第２の測定値を取得することと、
前記第２の時間の後の第３の時間において、前記１つまたはそれを上回る光エミッタからほぼ前記第１の波長の光を放出せずに、前記筐体の外側から生じる前記第１の波長を含む光の第３の測定値を取得することと、
第４の時間において、前記１つまたはそれを上回る光エミッタからほぼ前記第２の波長の光を放出せずに、前記筐体の外側から生じる前記第２の波長を含む光の第１の測定値を取得することと、
前記第４の時間の後の第５の時間において、少なくとも１つの前記光エミッタを用いて、ほぼ前記第２の波長の光を放出しながら、前記筐体の外側から生じる前記第２の波長を含む光の第２の測定値を取得することと、
前記第５の時間の後の第６の時間において、前記１つまたはそれを上回る光エミッタからほぼ前記第２の波長の光を放出せずに、前記筐体の外側から生じる前記第２の波長を含む光の第３の測定値を取得することと、
前記筐体の外側の周囲光レベルを検出することと
を行うように構成される、項目８２に記載の煙検出器。
（項目８４）
前記評価回路は、
（ｉ）前記第１の波長を含む前記光の第２の測定値から、前記第１の波長を含む前記光の第１および第３の測定値の平均を減算し、（ｉｉ）前記検出された周囲光レベルの関数に基づいて、前記第１の波長を含む前記光の第２の測定値に、第１のオフセットを加算することによって、前記補正された第１の波長測定値を生成することと、
（ｉ）前記第２の波長を含む前記光の第２の測定値から、前記第２の波長を含む前記光の第１および第３の測定値の平均を減算し、（ｉｉ）前記検出された周囲光レベルの関数に基づいて、前記第２の波長を含む前記光の第２の測定値に、第２のオフセットを加算することによって、前記補正された第２の波長測定値を生成することと
を行うように構成される、項目８３に記載の煙検出器。
（項目８５）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目８４に記載の煙検出器。
（項目８６）
前記評価回路は、前記補正された第１の波長測定値と前記補正された第２の波長測定値との比率を第１の閾値と比較することによって、前記筐体の外側の煙粒子の存在を判定するように構成され、煙粒子は、前記補正された第１の波長測定値と前記補正された第２の波長測定値との比率が前記第１の閾値より大きいとき、存在すると判定される、項目８２に記載の煙検出器。
（項目８７）
前記第１の閾値は、約０．５％／フィートの前記筐体の外側の煙による視界低下を介して発生される信号レベルより大きい信号レベルに対応する、項目８６に記載の煙検出器。
（項目８８）
前記第１の閾値は、約４％／フィートの前記筐体の外側の煙による視界低下を介して発生される信号レベルより小さい信号レベルに対応する、項目８７に記載の煙検出器。
（項目８９）
前記第１の閾値は、約４％／フィートの前記筐体の外側の煙による視界低下を介して発生される信号レベルより小さい信号レベルに対応する、項目８６に記載の煙検出器。
（項目９０）
前記評価回路は、前記補正された第１の波長測定値と前記補正された第２の波長測定値との比率に基づいて、前記煙粒子の平均直径より大きい平均直径を有する妨害粒子の存在を判定するように構成される、項目８２に記載の煙検出器。
（項目９１）
前記評価回路は、
前記補正された第１の波長測定値と前記補正された第２の波長測定値との比率を第１の閾値と比較することによって、前記筐体の外側の煙粒子の存在を判定することであって、煙粒子は、前記補正された第１の波長測定値と前記補正された第２の波長測定値との比率が前記第１の閾値より大きいとき、存在すると判定される、ことと、
前記補正された第１の波長測定値と前記補正された第２の波長測定値との比率を第２の閾値と比較することによって、前記妨害粒子の存在を判定することであって、妨害粒子は、前記補正された第１の波長測定値と前記補正された第２の波長測定値との比率が前記第２の閾値より小さいとき、存在すると判定される、ことと
を行うように構成される、項目９０に記載の煙検出器。
（項目９２）
前記第１の閾値は、前記第２の閾値とほぼ等しい、項目９１に記載の煙検出器。
（項目９３）
前記第２の閾値は、前記第１の閾値より低い、項目９１に記載の煙検出器。
（項目９４）
前記評価回路は、前記補正された第１の波長測定値または前記補正された第２の波長測定値のうちの少なくとも１つに基づいて、前記筐体の外側の障害物の存在を判定するように構成される、項目８２に記載の煙検出器。
（項目９５）
前記評価回路は、前記補正された第１の波長測定値または前記補正された第２の波長測定値のうちの少なくとも１つを障害物閾値と比較することによって、前記障害物の存在を判定するように構成され、障害物は、前記補正された第１の波長測定値または前記補正された第２の波長測定値のうちの少なくとも１つが前記障害物閾値より大きいとき、存在すると判定される、項目９４に記載の煙検出器。
（項目９６）
前記障害物閾値は、前記１つまたはそれを上回る検出器の単一測定サイクルの間の煙の蓄積を介して達成不可能な信号レベルに対応する、項目９５に記載の煙検出器。
（項目９７）
前記障害物閾値は、約４０％／フィートの前記筐体の外側の煙による視界低下を介して発生される信号レベルより大きい信号レベルに対応する、項目９５に記載の煙検出器。
（項目９８）
前記筐体は、それを通して少なくとも１つの前記光エミッタの一部が突出する、１つまたはそれを上回る開口部を画定する、項目８２に記載の煙検出器。
（項目９９）
前記１つまたはそれを上回る開口部は、それぞれ、少なくとも１つの光エミッタと関連付けられる、複数の異なる開口部を備える、項目９８に記載の煙検出器。
（項目１００）
前記１つまたはそれを上回る光エミッタは、ある範囲の波長にわたって光を放出する広帯域光源を備え、前記第１および第２の波長は、前記波長の範囲内である、項目８２に記載の煙検出器。
（項目１０１）
前記広帯域光源は、白色発光ダイオードを備える、項目１００に記載の煙検出器。
（項目１０２）
前記１つまたはそれを上回る光エミッタは、前記第１の波長で光を放出する第１の光エミッタと、前記第２の波長で光を放出する、前記第１の光エミッタと異なる第２の光エミッタとを備える、項目８２に記載の煙検出器。
（項目１０３）
（ｉ）前記第１の光エミッタは、前記第２の光エミッタが前記第２の波長の光を放出していないときのみ、前記第１の波長の光を放出するように構成され、（ｉｉ）前記第２の光エミッタは、前記第１の光エミッタが前記第１の波長の光を放出していないときのみ、前記第２の波長の光を放出するように構成される、項目１０２に記載の煙検出器。
（項目１０４）
近接センサをさらに備え、少なくとも１つの前記光検出器は、前記近接センサ内に内蔵される、項目８２に記載の煙検出器。
（項目１０５）
前記１つまたはそれを上回る光検出器は、前記近接センサから離散した周囲光センサを備える、項目１０４に記載の煙検出器。
（項目１０６）
前記近接センサは、前記筐体の外側の周囲光レベルを検出する、項目１０４に記載の煙検出器。
（項目１０７）
前記第１の波長は、の間である、項目８２に記載の煙検出器。
（項目１０８）
前記第２の波長は、約６３０ｎｍ〜約１０００ｎｍである、項目８２に記載の煙検出器。
（項目１０９）
前記評価回路は、
経過時間を測定するためのタイマと、
（ｉ）前記タイマによって測定された複数の異なる時間において、少なくとも１つの光検出器から信号を受信し、（ｉｉ）前記検出された周囲光レベルに基づいて、信号を受信するための受信機と、
（ｉ）その間に光検出信号が受信される、前記複数の時間のうちの少なくとも１つの間、光を放出し、（ｉｉ）その間に光検出信号が受信される、前記複数の時間の少なくとも１つの他の間、光を放出しないように、少なくとも１つの光エミッタを制御するためのコントローラと、
前記受信機によって受信された信号に基づいて、前記補正された第１の波長測定値および前記補正された第２の波長測定値を生成するための変換器と、
前記筐体の外側の煙粒子の存在を判定するための信号分析器と、
備える、項目８２に記載の煙検出器。
（項目１１０）
前記コントローラは、前記第１の波長の光を放出する第１の光エミッタと、前記第２の波長の光を放出する第２の光エミッタとを制御する、項目１０９に記載の煙検出器。
（項目１１１）
前記評価回路は、
第１の時間において、少なくとも１つの前記光エミッタを用いて、ほぼ前記第１の波長の光を放出しながら、前記筐体の外側から生じる前記第１の波長を含む光の第１の測定値を取得することと、
（ｉ）前記第１の時間より早い第２の時間において、前記１つまたはそれを上回る光エミッタからほぼ前記第１の波長の光を放出せずに、前記筐体の外側から生じる前記第１の波長を含む光の第２の測定値を取得するか、または（ｉｉ）前記第１の時間より後の第３の時間において、前記１つまたはそれを上回る光エミッタからほぼ前記第１の波長の光を放出せずに、前記筐体の外側から生じる前記第１の波長を含む光の第３の測定値を取得するかのうちの少なくとも１つを行うことと、
第４の時間において、少なくとも１つの前記光エミッタを用いて、ほぼ前記第２の波長の光を放出しながら、前記筐体の外側から生じる前記第２の波長を含む光の第１の測定値を取得することと、
（ｉ）前記第４の時間より早い第５の時間において、前記１つまたはそれを上回る光エミッタからほぼ前記第２の波長の光を放出せずに、前記筐体の外側から生じる前記第２の波長を含む光の第２の測定値を取得するか、または（ｉｉ）前記第４の時間より後の第６の時間において、前記１つまたはそれを上回る光エミッタからほぼ前記第２の波長の光を放出せずに、前記筐体の外側から生じる前記第２の波長を含む光の第３の測定値を取得するかのうちの少なくとも１つを行うことと、
前記筐体の外側の周囲光レベルを検出することと
を行うように構成される、項目８２に記載の煙検出器。
（項目１１２）
前記評価回路は、
前記第１の波長を含む光の前記第２または第３の測定値のうちの１つのみを取得することと、
（ｉ）前記第１の波長を含む光の第１の測定値から、前記第１の波長を含む光の前記第２または第３の測定値のうちの取得された１つを減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、項目１１１に記載の煙検出器。
（項目１１３）
前記評価回路は、
前記第１の波長を含む光の第２および第３の測定値の両方を取得することと、
（ｉ）前記第１の波長を含む光の第１の測定値から、前記第１の波長を含む光の第２および第３の測定値の平均を減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、項目１１１に記載の煙検出器。
（項目１１４）
前記評価回路は、
前記第２の波長を含む光の第２または第３の測定値のうちの１つのみを取得することと、
（ｉ）前記第２の波長を含む光の第１の測定値から、前記第２の波長を含む光の第２または第３の測定値のうちの取得された１つを減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、項目１１１に記載の煙検出器。
（項目１１５）
前記評価回路は、
前記第２の波長を含む光の第２および第３の測定値の両方を取得することと、
（ｉ）前記第２の波長を含む光の第１の測定値から、前記第２の波長を含む光の第２および第３の測定値の平均を減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、項目１１１に記載の煙検出器。
（項目１１６）
前記評価回路は、
前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得することと、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、項目８２に記載の煙検出器。
（項目１１７）
記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、項目１１６に記載の煙検出器。
（項目１１８）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目１１７に記載の煙検出器。
（項目１１９）
前記評価回路は、前記第１の波長を含む光の測定値および前記第２の波長を含む光の測定値が取得される前に、前記第１の波長および前記第２の波長を含む光の第１の非照明測定値を取得するように構成される、項目１１６に記載の煙検出器。
（項目１２０）
前記評価回路は、前記第１の波長および前記第２の波長を含む光の第１の非照明測定値が取得される前に、前記第１の波長を含む光の測定値または前記第２の波長を含む光の測定値のうちの少なくとも１つを取得するように構成される、項目１１６に記載の煙検出器。
（項目１２１）
前記評価回路は、前記第１の波長および前記第２の波長を含む光の第１の非照明測定値が取得される前に、前記第１の波長を含む光の測定値または前記第２の波長を含む光の測定値のうちの１つのみを取得するように構成される、項目１１６に記載の煙検出器。
（項目１２２）
前記評価回路は、前記第１の波長および前記第２の波長を含む光の第１の非照明測定値を取得後、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第２の非照明測定値を取得するように構成される、項目１１６に記載の煙検出器。
（項目１２３）
前記評価回路は、（ｉ）前記第１の波長を含む光の測定値または前記第２の波長を含む光の測定値のうちの少なくとも１つが取得される前に、前記第１の波長および前記第２の波長を含む光の第１の非照明測定値を取得し、（ｉｉ）前記第１の波長を含む光の測定値または前記第２の波長を含む光の測定値のうちの少なくとも１つが取得された後、前記第１の波長および前記第２の波長を含む光の第２の非照明測定値を取得するように構成される、項目１２２に記載の煙検出器。
（項目１２４）
前記評価回路は、（ｉ）前記第１の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第１の波長を含む光の測定値に、オフセットを加算することによって、前記補正された第１の波長測定値を生成するように構成される、項目１２２に記載の煙検出器。
（項目１２５）
前記評価回路は、（ｉ）前記第２の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第２の波長を含む光の測定値に、オフセットを加算することによって、前記補正された第２の波長測定値を生成するように構成される、項目１２２に記載の煙検出器。
（項目１２６）
前記評価回路は、
経過時間を測定するためのタイマと、
（ｉ）前記タイマによって測定された複数の異なる時間において、少なくとも１つの光検出器から信号を受信し、（ｉｉ）前記検出された周囲光レベルに基づいて、信号を受信するための受信機と、
その間に光検出信号が受信される、前記複数の時間のうちの少なくとも１つの間、光を放出するように少なくとも１つの光エミッタを制御するためのコントローラと、
前記受信機によって受信された信号に基づいて、前記補正された第１の波長測定値および前記補正された第２の波長測定値を生成するための変換器と、
前記筐体の外側の煙粒子の存在を判定するための信号分析器と、
を備える、項目８２に記載の煙検出器。
（項目１２７）
前記コントローラは、その間に光検出信号が受信される、前記複数の時間の少なくとも１つの他の間、光を放出しないように少なくとも１つの光エミッタを制御する、項目１２６に記載の煙検出器。
（項目１２８）
前記評価回路は、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、項目８２に記載の煙検出器。
（項目１２９）
前記評価回路は、
少なくとも部分的に、前記検出された周囲光レベルの関数に基づいて、前記第１の波長を含む光の測定値に、第１のオフセットを加算することによって、前記補正された第１の波長測定値を生成することと、
少なくとも部分的に、前記検出された周囲光レベルの関数に基づいて、前記第２の波長を含む光の測定値に、第２のオフセットを加算することによって、前記補正された第２の波長測定値を生成することと
を行うように構成される、項目１２８に記載の煙検出器。
（項目１３０）
前記評価回路は、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得するように構成される、項目１２８に記載の煙検出器。
（項目１３１）
前記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、項目１３０に記載の煙検出器。
（項目１３２）
前記１つまたはそれを上回る光エミッタのうちの少なくとも１つから放出された光の放出軌道を改変することによって、前記サンプリング体積の少なくとも一部の位置を改変するように構成される、１つまたはそれを上回る光学要素をさらに備える、項目８２に記載の煙検出器。
（項目１３３）
前記１つまたはそれを上回る光学要素は、直接、前記１つまたはそれを上回る光検出器のうちの少なくとも１つにわたって前記サンプリング体積の少なくとも一部を位置付けるように構成される、項目１３２に記載の煙検出器。
（項目１３４）
前記１つまたはそれを上回る光学要素は、レンズ、プリズム、格子、またはミラーのうちの少なくとも１つを備える、項目１３２に記載の煙検出器。
（項目１３５）
少なくとも１つの前記光エミッタの一部は、前記筐体から突出する、項目８２に記載の煙検出器。
（項目１３６）
各前記光エミッタの一部は、前記筐体から突出する、項目８２に記載の煙検出器。
（項目１３７）
（ａ）筐体と、（ｂ）１つまたはそれを上回る光エミッタと、（ｃ）１つまたはそれを上回る光検出器とを備える、煙検出器を利用した煙検出の方法であって、
少なくとも１つの前記光エミッタを用いて、ほぼ前記第１の波長の光を放出しながら、前記筐体の外側の第１のサンプリング体積から生じる第１の波長の光の測定値を取得するステップと、
少なくとも１つの前記光エミッタを用いて、ほぼ前記第２の波長の光を放出しながら、前記第２の波長は、前記第１の波長より長い、前記筐体の外側の第２のサンプリング体積から生じる第２の波長を含む光の測定値を取得するステップと、
前記筐体の外側の周囲光レベルを検出するステップと、
少なくとも部分的に、前記検出された周囲光レベルに基づいて、前記第１の波長を含む光の測定値を補正し、それによって、補正された第１の波長測定値を生成するステップと、
少なくとも部分的に、前記検出された周囲光レベルに基づいて、前記第２の波長を含む光の測定値を補正し、それによって、補正された第２の波長測定値を生成するステップと、
前記補正された第１の波長測定値と前記補正された第２の波長測定値との比率に基づいて、前記筐体の外側の煙粒子の存在を判定するステップと、
を含み、
少なくとも１つの光エミッタの一部は、前記筐体の表面と実質的に同一平面に配置される、または前記筐体から突出する、方法。
（項目１３８）
（ｉ）前記補正された第１の波長測定値を生成するステップは、前記検出された周囲光レベルの関数に基づいて、前記第１の波長を含む光の測定値に、第１のオフセットを加算するステップを含み、（ｉｉ）前記補正された第２の波長測定値を生成するステップは、前記検出された周囲光レベルの関数に基づいて、前記第１の波長を含む光の測定値に、第２のオフセットを加算するステップを含む、項目１３７に記載の方法。
（項目１３９）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目１３８に記載の方法。
（項目１４０）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定される、項目１３７に記載の方法。
（項目１４１）
前記第１の閾値は、（ｉ）約０．５％／フィートの前記筐体の外側の煙による視界低下を介して発生される信号レベルより大きい信号レベル、または（ｉｉ）約４％／フィートの前記筐体の外側の煙による視界低下を介して発生される信号レベルより小さい信号レベルのうちの少なくとも１つに対応する、項目１４０に記載の方法。
（項目１４２）
前記補正された第１の波長測定値と前記補正された第２の波長測定値との比率に基づいて、前記煙粒子の平均直径より大きい平均直径を有する妨害粒子の存在を判定するステップをさらに含み、
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定され、
前記妨害粒子の存在を判定するステップは、前記補正された第１の波長測定値と前記補正された第２の波長測定値との比率を第２の閾値と比較するステップを含み、妨害粒子は、前記補正された第１の波長測定値と前記補正された第２の波長測定値との比率が前記第２の閾値より小さいとき、存在すると判定される、
項目１３７に記載の方法。
（項目１４３）
前記第１の閾値は、前記第２の閾値とほぼ等しい、項目１４２に記載の方法。
（項目１４４）
前記第２の閾値は、前記第１の閾値より低い、項目１４２に記載の方法。
（項目１４５）
少なくとも部分的に、前記補正された第１の波長測定値または前記補正された第２の波長測定値のうちの少なくとも１つを障害物閾値と比較することによって、前記筐体の外側の障害物の存在を判定するステップをさらに含み、障害物は、前記補正された第１の波長測定値または前記補正された第２の波長測定値のうちの少なくとも１つが前記障害物閾値より大きいとき、存在すると判定される、項目１３７に記載の方法。
（項目１４６）
前記障害物閾値は、（ｉ）前記１つまたはそれを上回る検出器の単一測定サイクルの間の煙の蓄積を介して達成不可能な信号レベル、または（ｉｉ）約４０％／フィートの前記筐体の外側の煙による視界低下を介して発生される信号レベルより大きい信号レベルのうちの少なくとも１つに対応する、項目１４５に記載の方法。
（項目１４７）
前記１つまたはそれを上回る光エミッタは、ある範囲の波長にわたって光を放出する広帯域光源を備え、前記第１および第２の波長は、前記波長の範囲内である、項目１３７に記載の方法。
（項目１４８）
前記広帯域光源は、白色発光ダイオードを備える、項目１４７に記載の方法。
（項目１４９）
前記１つまたはそれを上回る光エミッタは、前記第１の波長で光を放出する第１の光エミッタと、前記第２の波長で光を放出する、前記第１の光エミッタと異なる第２の光エミッタとを備える、項目１３７に記載の方法。
（項目１５０）
前記煙検出器は、近接センサを備え、少なくとも１つの前記光検出器は、前記近接センサ内に内蔵される、項目１３７に記載の方法。
（項目１５１）
前記煙検出器は、前記近接センサから離散した周囲光センサを備え、少なくとも１つの前記光検出器は、前記周囲光センサ内に内蔵される、項目１５０に記載の方法。
（項目１５２）
前記第１の波長は、約３００ｎｍ〜約４８０ｎｍである、項目１３７に記載の方法。
（項目１５３）
前記第２の波長は、約６３０ｎｍ〜約１０００ｎｍである、項目１３７に記載の方法。
（項目１５４）
前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得するステップをさらに含む、項目１３７に記載の方法。
（項目１５５）
（ｉ）前記補正された第１の波長測定値を生成するステップは、前記第１の波長を含む光の測定値から、前記第１の波長および前記第２の波長を含む光の第１の非照明測定値を減算するステップを含み、（ｉｉ）前記補正された第２の波長測定値を生成するステップは、前記第２の波長を含む光の測定値から、前記第１の波長および前記第２の波長を含む光の第１の非照明測定値を減算するステップを含む、項目１５４に記載の方法。
（項目１５６）
前記第１の波長および前記第２の波長を含む光の第１の非照明測定値は、前記第１の波長を含む光の測定値および前記第２の波長を含む光の測定値が取得される前に、取得される、項目１５４に記載の方法。
（項目１５７）
前記第１の波長を含む光の測定値または前記第２の波長を含む光の測定値のうちの少なくとも１つは、前記第１の波長および前記第２の波長を含む光の第１の非照明測定値が取得される前に、取得される、項目１５４に記載の方法。
（項目１５８）
前記第１の波長および前記第２の波長を含む光の第１の非照明測定値は、前記第１の波長を含む光の測定値および前記第２の波長を含む光の測定値が取得された後に、取得される、項目１５４に記載の方法。
（項目１５９）
前記筐体の外側の第１のサンプリング体積から生じる前記第１の波長を含む光の測定値を取得しながら、ほぼ前記第１の波長の放出された光の放出軌道を改変することによって、前記第１のサンプリング体積の少なくとも一部の位置を改変するステップと、または
前記前記筐体の外側の第２のサンプリング体積から生じる前記第２の波長を含む光の測定値を取得しながら、ほぼ前記第２の波長の前記放出された光の放出軌道を改変することによって、前記第２のサンプリング体積の少なくとも一部の位置を改変するステップと、
のうちの少なくとも１つをさらに含む、項目１３７に記載の方法。
（項目１６０）
ほぼ前記第１の波長の放出された光の放出軌道またはほぼ前記第２の波長の前記放出された光の放出軌道のうちの少なくとも１つは、１つまたはそれを上回る光学要素によって改変される、項目１５９に記載の方法。
（項目１６１）
前記１つまたはそれを上回る光学要素は、レンズ、プリズム、格子、またはミラーのうちの少なくとも１つを備える、項目１６０に記載の方法。
（項目１６２）
前記第１のサンプリング体積の少なくとも一部は、直接、前記１つまたはそれを上回る光検出器のうちの少なくとも１つにわたって配置される、項目１５９に記載の方法。
（項目１６３）
前記第２のサンプリング体積の少なくとも一部は、直接、前記１つまたはそれを上回る光検出器のうちの少なくとも１つにわたって配置される、項目１５９に記載の方法。
（項目１６４）
（ａ）筐体と、（ｂ）１つまたはそれを上回る光エミッタと、（ｃ）１つまたはそれを上回る光検出器とを備える、煙検出器を利用した煙検出の方法であって、
第１の時間において、前記１つまたはそれを上回る光エミッタからほぼ前記第１の波長の光を放出せずに、前記筐体の外側から生じる第１の波長を含む光の第１の測定値を取得するステップと、
前記第１の時間の後の第２の時間において、少なくとも１つの前記光エミッタを用いて、ほぼ前記第１の波長の光を放出しながら、前記筐体の外側から生じる前記第１の波長を含む光の第２の測定値を取得するステップと、
前記第２の時間の後の第３の時間において、前記１つまたはそれを上回る光エミッタからほぼ前記第１の波長の光を放出せずに、前記筐体の外側から生じる前記第１の波長を含む光の第３の測定値を取得するステップと、
第４の時間において、前記１つまたはそれを上回る光エミッタからほぼ前記第２の波長の光を放出せずに、前記筐体の外側から生じる第２の波長を含む光の第１の測定値を取得するステップであって、前記第２の波長は、前記第１の波長より長い、ステップと、
前記第４の時間の後の第５の時間において、少なくとも１つの前記光エミッタを用いて、ほぼ前記第２の波長の光を放出しながら、前記筐体の外側から生じる前記第２の波長を含む光の第２の測定値を取得するステップと、
前記第５の時間の後の第６の時間において、前記１つまたはそれを上回る光エミッタからほぼ前記第２の波長の光を放出せずに、前記筐体の外側から生じる前記第２の波長を含む光の第３の測定値を取得するステップと、
前記筐体の外側の周囲光レベルを検出するステップと、
（ｉ）前記検出された周囲光レベルと、（ｉｉ）前記第１の波長を含む光の第１または第３の測定値のうちの少なくとも１つとに基づいて、前記第１の波長を含む光の第２の測定値を補正し、それによって、補正された第１の波長測定値を生成するステップと、
（ｉ）前記検出された周囲光レベルと、（ｉｉ）前記第２の波長を含む光の第１または第３の測定値のうちの少なくとも１つとに基づいて、前記第２の波長を含む光の第２の測定値を補正し、それによって、補正された第２の波長測定値を生成するステップと、
前記補正された第１の波長測定値と前記補正された第２の波長測定値との比率に基づいて、前記筐体の外側の煙粒子の存在を判定するステップと、
含む、方法。
（項目１６５）
前記補正された第１の波長測定値を生成するステップは、（ｉ）前記第１の波長を含む前記光の第２の測定値から、前記第１の波長を含む前記光の第１および第３の測定値の平均を減算し、（ｉｉ）前記検出された周囲光レベルの関数に基づいて、前記第１の波長を含む前記光の第２の測定値に、オフセットを加算するステップを含む、項目１６４に記載の方法。
（項目１６６）
前記オフセットは、前記検出された周囲光レベルの線形または多項式関数に基づく、項目１６５に記載の方法。
（項目１６７）
前記補正された第２の波長測定値を生成するステップは、（ｉ）前記第２の波長を含む前記光の第２の測定値から、前記第２の波長を含む前記光の第１および第３の測定値の平均を減算し、（ｉｉ）前記検出された周囲光レベルの関数に基づいて、前記第２の波長を含む前記光の第２の測定値に、オフセットを加算するステップを含む、項目１６４に記載の方法。
（項目１６８）
前記オフセットは、前記検出された周囲光レベルの線形または多項式関数に基づく、項目１６７に記載の方法。
（項目１６９）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定される、項目１６４に記載の方法。
（項目１７０）
前記第１の閾値は、約０．５％／フィートの前記筐体の外側の煙による視界低下を介して発生される信号レベルより大きい信号レベルに対応する、項目１６９に記載の方法。
（項目１７１）
前記第１の閾値は、約４％／フィートの前記筐体の外側の煙による視界低下を介して発生される信号レベルより小さい信号レベルに対応する、項目１７０に記載の方法。
（項目１７２）
前記第１の閾値は、約４％／フィートの前記筐体の外側の煙による視界低下を介して発生される信号レベルより小さい信号レベルに対応する、項目１６９に記載の方法。
（項目１７３）
前記補正された第１の波長測定値と前記補正された第２の波長測定値との比率に基づいて、前記煙粒子の平均直径より大きい平均直径を有する妨害粒子の存在を判定するステップをさらに含む、項目１６４に記載の方法。
（項目１７４）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定され、
前記妨害粒子の存在を判定するステップは、前記補正された第１の波長測定値と前記補正された第２の波長測定値との比率を第２の閾値と比較するステップを含み、妨害粒子は、前記補正された第１の波長測定値と前記補正された第２の波長測定値との比率が前記第２の閾値より小さいとき、存在すると判定される、項目１７３に記載の方法。
（項目１７５）
前記第１の閾値は、前記第２の閾値とほぼ等しい、項目１７４に記載の方法。
（項目１７６）
前記第２の閾値は、前記第１の閾値より低い、項目１７４に記載の方法。
（項目１７７）
前記補正された第１の波長測定値または前記補正された第２の波長測定値のうちの少なくとも１つに基づいて、前記筐体の外側の障害物の存在を判定するステップをさらに含む、項目１６４に記載の方法。
（項目１７８）
前記障害物の存在を判定するステップは、前記補正された第１の波長測定値または前記補正された第２の波長測定値のうちの少なくとも１つを障害物閾値と比較するステップを含み、障害物は、前記補正された第１の波長測定値または前記補正された第２の波長測定値のうちの少なくとも１つが前記障害物閾値より大きいとき、存在すると判定される、項目１７７に記載の方法。
（項目１７９）
前記障害物閾値は、前記１つまたはそれを上回る検出器の単一測定サイクルの間の煙の蓄積を介して達成不可能な信号レベルに対応する、項目１７８に記載の方法。
（項目１８０）
前記障害物閾値は、約４０％／フィートの前記筐体の外側の煙による視界低下を介して発生される信号レベルより大きい信号レベルに対応する、項目１７８に記載の方法。
（項目１８１）
（ｉ）１００ミリ秒未満が、前記第１の時間と前記第３の時間との間で経過し、（ｉｉ）１００ミリ秒未満が、前記第４の時間と前記第６の時間との間で経過する、項目１６４に記載の方法。
（項目１８２）
（ｉ）１ミリ秒未満が、前記第１の時間と前記第３の時間との間で経過し、（ｉｉ）１ミリ秒未満が、前記第４の時間と前記第６の時間との間で経過する、項目１６４に記載の方法。
（項目１８３）
前記１つまたはそれを上回る光エミッタは、ある範囲の波長にわたって光を放出する広帯域光源を備え、前記第１および第２の波長は、前記波長の範囲内である、項目１６４に記載の方法。
（項目１８４）
前記広帯域光源は、白色発光ダイオードを備える、項目１８３に記載の方法。
（項目１８５）
前記１つまたはそれを上回る光エミッタは、前記第１の波長で光を放出する第１の光エミッタと、前記第２の波長で光を放出する、前記第１の光エミッタと異なる第２の光エミッタとを備える、項目１６４に記載の方法。
（項目１８６）
前記煙検出器は、近接センサを備え、少なくとも１つの前記光検出器は、前記近接センサ内に内蔵される、項目１６４に記載の方法。
（項目１８７）
前記煙検出器は、前記近接センサから離散した周囲光センサを備え、少なくとも１つの前記光検出器は、前記周囲光センサ内に内蔵される、項目１８６に記載の方法。
（項目１８８）
前記第２の波長の光は、前記第２の時間に放出されない、項目１６４に記載の方法。
（項目１８９）
前記第１の波長の光は、前記第５の時間に放出されない、項目１６４に記載の方法。
（項目１９０）
前記第１の波長は、約３００ｎｍ〜約４８０ｎｍである、項目１６４に記載の方法。
（項目１９１）
前記第２の波長は、約６３０ｎｍ〜約１０００ｎｍである、項目１６４に記載の方法。
（項目１９２）
前記１つまたはそれを上回る光エミッタのいずれも、前記第１および第３の時間に光を放出しない、項目１６４に記載の方法。
（項目１９３）
前記１つまたはそれを上回る光エミッタのいずれも、前記第４および第６の時間に光を放出しない、項目１６４に記載の方法。
（項目１９４）
煙検出器であって、
筐体と、
前記筐体の外側から、第１の波長および前記第１の波長より長い第２の波長の光を放出するための１つまたはそれを上回る光エミッタと、
（ｉ）前記１つまたはそれを上回る光検出器に後方反射され、それによって、前記第１および第２の波長を含む反射された光の測定値を提供する、前記１つまたはそれを上回る光エミッタから放出された光と、（ｉｉ）前記筐体の外側の周囲光レベルとを検出するための１つまたはそれを上回る光検出器と、
（ｉ）前記検出された周囲光レベルに基づいて、前記第１の波長を含む反射された光の測定値を補正し、それによって、補正された第１の波長測定値を生成し、（ｉｉ）前記検出された周囲光レベルに基づいて、前記第２の波長を含む反射された光の測定値を補正し、それによって、補正された第２の波長測定値を生成し、（ｉｉｉ）前記補正された第１の波長測定値と前記補正された第２の波長測定値との比率に基づいて、前記筐体の外側の煙粒子の存在を判定するための評価回路と、
を備える、煙検出器
（項目１９５）
前記評価回路は、
第１の時間において、前記１つまたはそれを上回る光エミッタからほぼ前記第１の波長の光を放出せずに、前記筐体の外側から生じる前記第１の波長を含む光の第１の測定値を取得することと、
前記第１の時間の後の第２の時間において、少なくとも１つの前記光エミッタを用いて、ほぼ前記第１の波長の光を放出しながら、前記筐体の外側から生じる前記第１の波長を含む光の第２の測定値を取得することと、
前記第２の時間の後の第３の時間において、前記１つまたはそれを上回る光エミッタからほぼ前記第１の波長の光を放出せずに、前記筐体の外側から生じる前記第１の波長を含む光の第３の測定値を取得することと、
第４の時間において、前記１つまたはそれを上回る光エミッタからほぼ前記第２の波長の光を放出せずに、前記筐体の外側から生じる前記第２の波長を含む光の第１の測定値を取得することと、
前記第４の時間の後の第５の時間において、少なくとも１つの前記光エミッタを用いて、ほぼ前記第２の波長の光を放出しながら、前記筐体の外側から生じる前記第２の波長を含む光の第２の測定値を取得することと、
前記第５の時間の後の第６の時間において、前記１つまたはそれを上回る光エミッタからほぼ前記第２の波長の光を放出せずに、前記筐体の外側から生じる前記第２の波長を含む光の第３の測定値を取得することと、
前記筐体の外側の周囲光レベルを検出することと
を行うように構成される、項目１９４に記載の煙検出器。
（項目１９６）
前記評価回路は、
（ｉ）前記第１の波長を含む前記光の第２の測定値から、前記第１の波長を含む前記光の第１および第３の測定値の平均を減算し、（ｉｉ）前記検出された周囲光レベルの関数に基づいて、前記第１の波長を含む前記光の第２の測定値に、第１のオフセットを加算することによって、前記補正された第１の波長測定値を生成し、
（ｉ）前記第２の波長を含む前記光の第２の測定値から、前記第２の波長を含む前記光の
第１および第３の測定値の平均を減算し、（ｉｉ）前記検出された周囲光レベルの関数に基づいて、前記第２の波長を含む前記光の第２の測定値に、第２のオフセットを加算することによって、前記補正された第２の波長測定値を生成する、
ように構成される、項目１９５に記載の煙検出器。
（項目１９７）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目１９６に記載の煙検出器。
（項目１９８）
前記評価回路は、前記補正された第１の波長測定値と前記補正された第２の波長測定値との比率を第１の閾値と比較することによって、前記筐体の外側の煙粒子の存在を判定するように構成され、煙粒子は、前記補正された第１の波長測定値と前記補正された第２の波長測定値との比率が前記第１の閾値より大きいとき、存在すると判定される、項目１９４に記載の煙検出器。
（項目１９９）
前記第１の閾値は、約０．５％／フィートの前記筐体の外側の煙による視界低下を介して発生される信号レベルより大きい信号レベルに対応する、項目１９８に記載の煙検出器。
（項目２００）
前記第１の閾値は、約４％／フィートの前記筐体の外側の煙による視界低下を介して発生される信号レベルより小さい信号レベルに対応する、項目１９９に記載の煙検出器。
（項目２０１）
前記第１の閾値は、約４％／フィートの前記筐体の外側の煙による視界低下を介して発生される信号レベルより小さい信号レベルに対応する、項目１９８に記載の煙検出器。
（項目２０２）
前記評価回路は、前記補正された第１の波長測定値と前記補正された第２の波長測定値との比率に基づいて、前記煙粒子の平均直径より大きい平均直径を有する妨害粒子の存在を判定するように構成される、項目１９４に記載の煙検出器。
（項目２０３）
前記評価回路は、
前記補正された第１の波長測定値と前記補正された第２の波長測定値との比率を第１の閾値と比較することによって、前記筐体の外側の煙粒子の存在を判定することであって、煙粒子は、前記補正された第１の波長測定値と前記補正された第２の波長測定値との比率が前記第１の閾値より大きいとき、存在すると判定される、ことと、
前記補正された第１の波長測定値と前記補正された第２の波長測定値との比率を第２の閾値と比較することによって、前記妨害粒子の存在を判定することであって、妨害粒子は、前記補正された第１の波長測定値と前記補正された第２の波長測定値との比率が前記第２の閾値より小さいとき、存在すると判定される、ことと
を行うように構成される、項目２０２に記載の煙検出器。
（項目２０４）
前記第１の閾値は、前記第２の閾値とほぼ等しい、項目２０３に記載の煙検出器。
（項目２０５）
前記第２の閾値は、前記第１の閾値より低い、項目２０３に記載の煙検出器。
（項目２０６）
前記評価回路は、前記補正された第１の波長測定値または前記補正された第２の波長測定値のうちの少なくとも１つに基づいて、前記筐体の外側の障害物の存在を判定するように構成される、項目１９４に記載の煙検出器。
（項目２０７）
前記評価回路は、前記補正された第１の波長測定値または前記補正された第２の波長測定値のうちの少なくとも１つを障害物閾値と比較することによって、前記障害物の存在を判定するように構成され、障害物は、前記補正された第１の波長測定値または前記補正された第２の波長測定値のうちの少なくとも１つが前記障害物閾値より大きいとき、存在すると判定される、項目２０６に記載の煙検出器。
（項目２０８）
前記障害物閾値は、前記１つまたはそれを上回る検出器の単一測定サイクルの間の煙の蓄積を介して達成不可能な信号レベルに対応する、項目２０７に記載の煙検出器。
（項目２０９）
前記障害物閾値は、約４０％／フィートの前記筐体の外側の煙による視界低下を介して発生される信号レベルより大きい信号レベルに対応する、項目２０７に記載の煙検出器。
（項目２１０）
少なくとも１つの前記光エミッタは、前記筐体内に配置される、項目１９４に記載の煙検出器。
（項目２１１）
前記筐体は、それを通して前記少なくとも１つの前記光エミッタからの光が放出される、１つまたはそれを上回る開口部を画定する、項目２１０に記載の煙検出器。
（項目２１２）
前記１つまたはそれを上回る開口部は、それぞれ、少なくとも１つの光エミッタと関連付けられる、複数の異なる開口部を備える、項目２１１に記載の煙検出器。
（項目２１３）
前記筐体は、それを通して前記少なくとも１つの前記光エミッタからの光が放出される、１つまたはそれを上回る一体窓を備える、項目２１０に記載の煙検出器。
（項目２１４）
前記１つまたはそれを上回る一体窓は、それぞれ、少なくとも１つの光エミッタと関連付けられる、複数の異なる一体窓を備える、項目２１３に記載の煙検出器。
（項目２１５）
前記１つまたはそれを上回る光エミッタは、ある範囲の波長にわたって光を放出する広帯域光源を備え、前記第１および第２の波長は、前記波長の範囲内である、項目１９４に記載の煙検出器。
（項目２１６）
前記広帯域光源は、白色発光ダイオードを備える、項目２１５に記載の煙検出器。
（項目２１７）
前記１つまたはそれを上回る光エミッタは、前記第１の波長で光を放出する第１の光エミッタと、前記第２の波長で光を放出する、前記第１の光エミッタと異なる第２の光エミッタとを備える、項目１９４に記載の煙検出器。
（項目２１８）
（ｉ）前記第１の光エミッタは、前記第２の光エミッタが前記第２の波長の光を放出していないときのみ、前記第１の波長の光を放出するように構成され、（ｉｉ）前記第２の光エミッタは、前記第１の光エミッタが前記第１の波長の光を放出していないときのみ、前記第２の波長の光を放出するように構成される、項目２１７に記載の煙検出器。
（項目２１９）
近接センサをさらに備え、少なくとも１つの前記光検出器は、前記近接センサ内に内蔵される、項目１９４に記載の煙検出器。
（項目２２０）
前記１つまたはそれを上回る光検出器は、前記近接センサから離散した周囲光センサを備える、項目２１９に記載の煙検出器。
（項目２２１）
前記近接センサは、前記筐体の外側の周囲光レベルを検出する、項目２１９に記載の煙検出器。
（項目２２２）
前記第１の波長は、約３００ｎｍ〜約４８０ｎｍである、項目１９４に記載の煙検出器。
（項目２２３）
前記第２の波長は、約６３０ｎｍ〜約１０００ｎｍである、項目１９４に記載の煙検出器。
（項目２２４）
前記評価回路は、
経過時間を測定するためのタイマと、
（ｉ）前記タイマによって測定された複数の異なる時間において、少なくとも１つの光検出器から信号を受信し、（ｉｉ）前記検出された周囲光レベルに基づいて、信号を受信するための受信機と、
（ｉ）その間に光検出信号が受信される、前記複数の時間のうちの少なくとも１つの間、光を放出し、（ｉｉ）その間に光検出信号が受信される、前記複数の時間の少なくとも１つの他の間、光を放出しないように、少なくとも１つの光エミッタを制御するためのコントローラと、
前記受信機によって受信された信号に基づいて、前記補正された第１の波長測定値および前記補正された第２の波長測定値を生成するための変換器と、
前記筐体の外側の煙粒子の存在を判定するための信号分析器と、
を備える、項目１９４に記載の煙検出器。
（項目２２５）
前記コントローラは、前記第１の波長の光を放出する第１の光エミッタと、前記第２の波長の光を放出する第２の光エミッタとを制御する、項目２２４に記載の煙検出器。
（項目２２６）
前記評価回路は、
第１の時間において、少なくとも１つの前記光エミッタを用いて、ほぼ前記第１の波長の光を放出しながら、前記筐体の外側から生じる前記第１の波長を含む光の第１の測定値を取得することと、
（ｉ）前記第１の時間より早い第２の時間において、前記１つまたはそれを上回る光エミッタからほぼ前記第１の波長の光を放出せずに、前記筐体の外側から生じる前記第１の波長を含む光の第２の測定値を取得するか、または（ｉｉ）前記第１の時間より後の第３の時間において、前記１つまたはそれを上回る光エミッタからほぼ前記第１の波長の光を放出せずに、前記筐体の外側から生じる前記第１の波長を含む光の第３の測定値を取得するかのうちの少なくとも１つを行うことと、
第４の時間において、少なくとも１つの前記光エミッタを用いて、ほぼ前記第２の波長の光を放出しながら、前記筐体の外側から生じる前記第２の波長を含む光の第１の測定値を取得することと、
（ｉ）前記第４の時間より早い第５の時間において、前記１つまたはそれを上回る光エミッタからほぼ前記第２の波長の光を放出せずに、前記筐体の外側から生じる前記第２の波長を含む光の第２の測定値を取得するか、または（ｉｉ）前記第４の時間より後の第６の時間において、前記１つまたはそれを上回る光エミッタからほぼ前記第２の波長の光を放出せずに、前記筐体の外側から生じる前記第２の波長を含む光の第３の測定値を取得するかのうちの少なくとも１つを行うことと、
前記筐体の外側の周囲光レベルを検出することと
を行うように構成される、項目１９４に記載の煙検出器。
（項目２２７）
前記評価回路は、
前記第１の波長を含む光の前記第２または第３の測定値のうちの１つのみを取得することと、
（ｉ）前記第１の波長を含む光の第１の測定値から、前記第１の波長を含む光の前記第２または第３の測定値のうちの取得された１つを減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、項目２２６に記載の煙検出器。
（項目２２８）
前記評価回路は、
前記第１の波長を含む光の第２および第３の測定値の両方を取得することと、
（ｉ）前記第１の波長を含む光の第１の測定値から、前記第１の波長を含む光の第２および第３の測定値の平均を減算し、（ｉｉ）前記検出された周囲光レベルの関数に基づいて、前記第１の波長を含む光の第１の測定値に、オフセットを加算することによって、前記補正された第１の波長測定値を生成することと
を行うように構成される、項目２２６に記載の煙検出器。
（項目２２９）
前記評価回路は、
前記第２の波長を含む光の第２または第３の測定値のうちの１つのみを取得することと、
（ｉ）前記第２の波長を含む光の第１の測定値から、前記第２の波長を含む光の第２または第３の測定値のうちの取得された１つを減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、項目２２６に記載の煙検出器。
（項目２３０）
前記評価回路は、
前記第２の波長を含む光の第２および第３の測定値の両方を取得することと、
（ｉ）前記第２の波長を含む光の第１の測定値から、前記第２の波長を含む光の第２および第３の測定値の平均を減算し、（ｉｉ）前記検出された周囲光レベルの関数に基づいて、前記第２の波長を含む光の第１の測定値に、オフセットを加算することによって、前記補正された第２の波長測定値を生成することと
を行うように構成される、項目２２６に記載の煙検出器。
（項目２３１）
前記評価回路は、
前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得することと、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、項目１９４に記載の煙検出器。
（項目２３２）
前記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、項目２３１に記載の煙検出器。
（項目２３３）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目２３２に記載の煙検出器。
（項目２３４）
前記評価回路は、前記第１の波長を含む光の測定値および前記第２の波長を含む光の測定値が取得される前に、前記第１の波長および前記第２の波長を含む光の第１の非照明測定値を取得するように構成される、項目２３１に記載の煙検出器。
（項目２３５）
前記評価回路は、前記第１の波長および前記第２の波長を含む光の第１の非照明測定値が取得される前に、前記第１の波長を含む光の測定値または前記第２の波長を含む光の測定値のうちの少なくとも１つを取得するように構成される、項目２３１に記載の煙検出器。
（項目２３６）
前記評価回路は、前記第１の波長および前記第２の波長を含む光の第１の非照明測定値が取得される前に、前記第１の波長を含む光の測定値または前記第２の波長を含む光の測定値のうちの１つのみを取得するように構成される、項目２３１に記載の煙検出器。
（項目２３７）
前記評価回路は、前記第１の波長および前記第２の波長を含む光の第１の非照明測定値を取得後、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第２の非照明測定値を取得するように構成される、項目２３１に記載の煙検出器。
（項目２３８）
前記評価回路は、（ｉ）前記第１の波長を含む光の測定値または前記第２の波長を含む光の測定値のうちの少なくとも１つが取得される前に、前記第１の波長および前記第２の波長を含む光の第１の非照明測定値を取得し、（ｉｉ）前記第１の波長を含む光の測定値または前記第２の波長を含む光の測定値のうちの少なくとも１つが取得された後、前記第１の波長および前記第２の波長を含む光の第２の非照明測定値を取得するように構成される、項目２３７に記載の煙検出器。
（項目２３９）
前記評価回路は、（ｉ）前記第１の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第１の波長を含む光の測定値に、オフセットを加算することによって、前記補正された第１の波長測定値を生成するように構成される、項目２３７に記載の煙検出器。
（項目２４０）
前記評価回路は、（ｉ）前記第２の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第２の波長を含む光の測定値に、オフセットを加算することによって、前記補正された第２の波長測定値を生成するように構成される、項目２３７に記載の煙検出器。
（項目２４１）
前記評価回路は、
経過時間を測定するためのタイマと、
（ｉ）前記タイマによって測定された複数の異なる時間において、少なくとも１つの光検出器から信号を受信し、（ｉｉ）前記検出された周囲光レベルに基づいて、信号を受信するための受信機と、
その間に光検出信号が受信される、前記複数の時間のうちの少なくとも１つの間、光を放出するように少なくとも１つの光エミッタを制御するためのコントローラと、
前記受信機によって受信された信号に基づいて、前記補正された第１の波長測定値および前記補正された第２の波長測定値を生成するための変換器と、
前記筐体の外側の煙粒子の存在を判定するための信号分析器と、
を備える、項目１９４に記載の煙検出器。
（項目２４２）
前記コントローラは、その間に光検出信号が受信される、前記複数の時間の少なくとも１つの他の間、光を放出しないように少なくとも１つの光エミッタを制御する、項目２４１に記載の煙検出器。
（項目２４３）
前記評価回路は、
少なくとも１つの前記光エミッタを用いて、ほぼ前記第１の波長の光を放出しながら、前記筐体の外側から生じる前記第１の波長を含む光の測定値を取得することと、
少なくとも１つの前記光エミッタを用いて、ほぼ前記第２の波長の光を放出しながら、前記筐体の外側から生じる前記第２の波長を含む光の測定値を取得することと、
前記筐体の外側の周囲光レベルを検出することと
を行うように構成される、項目１９４に記載の煙検出器。
（項目２４４）
前記評価回路は、
少なくとも部分的に、前記検出された周囲光レベルの関数に基づいて、前記第１の波長を含む光の測定値に、第１のオフセットを加算することによって、前記補正された第１の波長測定値を生成することと、
少なくとも部分的に、前記検出された周囲光レベルの関数に基づいて、前記第２の波長を含む光の測定値に、第２のオフセットを加算することによって、前記補正された第２の波長測定値を生成することと
を行うように構成される、項目２４３に記載の煙検出器。
（項目２４５）
前記評価回路は、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得するように構成される、項目２４３に記載の煙検出器。
（項目２４６）
前記評価回路は、
（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、第１のオフセットを加算することによって、前記補正された第１の波長測定値を生成することと、
（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、第２のオフセットを加算することによって、前記補正された第２の波長測定値を生成することと
を行うように構成される、項目２４５に記載の煙検出器。
（項目２４７）
（ａ）筐体と、（ｂ）１つまたはそれを上回る光エミッタと、（ｃ）１つまたはそれを上回る光検出器とを備える、煙検出器を利用した煙検出の方法であって、
第１の時間において、少なくとも１つの前記光エミッタを用いて、ほぼ前記第１の波長の光を放出しながら、前記筐体の外側から生じる第１の波長を含む光の第１の測定値を取得するステップと、
（ｉ）前記第１の時間より早い第２の時間において、前記１つまたはそれを上回る光エミッタからほぼ前記第１の波長の光を放出せずに、前記筐体の外側から生じる前記第１の波長を含む光の第２の測定値を取得するステップと、または（ｉｉ）前記第１の時間より後の第３の時間において、前記１つまたはそれを上回る光エミッタからほぼ前記第１の波長の光を放出せずに、前記筐体の外側から生じる前記第１の波長を含む光の第３の測定値を取得するステップとのうちの少なくとも１つを行うステップと、
第４の時間において、少なくとも１つの前記光エミッタを用いて、ほぼ前記第２の波長の光を放出しながら、前記筐体の外側から生じる第２の波長を含む光の第１の測定値を取得するステップであって、前記第２の波長は、前記第１の波長より長い、ステップと、
（ｉ）前記第４の時間より早い第５の時間において、前記１つまたはそれを上回る光エミッタからほぼ前記第２の波長の光を放出せずに、前記筐体の外側から生じる前記第２の波長を含む光の第２の測定値を取得するステップと、または（ｉｉ）前記第４の時間より後の第６の時間において、前記１つまたはそれを上回る光エミッタからほぼ前記第２の波長の光を放出せずに、前記筐体の外側から生じる前記第２の波長を含む光の第３の測定値を取得するステップとのうちの少なくとも１つを行うステップと、
前記筐体の外側の周囲光レベルを検出するステップと、
（ｉ）前記検出された周囲光レベルと、（ｉｉ）前記第１の波長の光の第２または第３の測定値のうちの少なくとも１つとに基づいて、前記第１の波長の光の第１の測定値を補正し、それによって、補正された第１の波長測定値を生成するステップと、
（ｉ）前記検出された周囲光レベルと、（ｉｉ）前記第２の波長の光の第２または第３の測定値のうちの少なくとも１つに基づいて、前記第２の波長の光の第１の測定値を補正し、それによって、補正された第２の波長測定値を生成するステップと、
前記補正された第１の波長測定値と前記補正された第２の波長測定値との比率に基づいて、前記筐体の外側の煙粒子の存在を判定するステップと、
を含む、方法。
（項目２４８）
前記第１の波長を含む光の第２または第３の測定値のうちの１つのみが、取得され、
前記補正された第１の波長測定値を生成するステップは、（ｉ）前記第１の波長を含む光の第１の測定値から、前記第１の波長を含む光の前記第２または第３の測定値のうちの取得された１つを減算し、（ｉｉ）前記検出された周囲光レベルの関数に基づいて、前記第１の波長を含む光の第１の測定値に、オフセットを加算するステップを含む、
項目２４７に記載の方法。
（項目２４９）
前記オフセットは、前記検出された周囲光レベルの線形または多項式関数に基づく、項目２４８に記載の方法。
（項目２５０）
前記第１の波長を含む光の第２および第３の測定値の両方が、取得され、
前記補正された第１の波長測定値を生成するステップは、（ｉ）前記第１の波長を含む光の第１の測定値から、前記第１の波長を含む光の第２および第３の測定値の平均を減算し、（ｉｉ）前記検出された周囲光レベルの関数に基づいて、前記第１の波長を含む光の第１の測定値に、オフセットを加算するステップを含む、
項目２４７に記載の方法。
（項目２５１）
前記オフセットは、前記検出された周囲光レベルの線形または多項式関数に基づく、項目２５０に記載の方法。
（項目２５２）
前記第２の波長を含む光の第２または第３の測定値のうちの１つのみが、取得され、
前記補正された第２の波長測定値を生成するステップは、（ｉ）前記第２の波長を含む光の第１の測定値から、前記第２の波長を含む光の第２または第３の測定値のうちの取得された１つを減算し、（ｉｉ）前記検出された周囲光レベルの関数に基づいて、前記第２の波長を含む光の第１の測定値に、オフセットを加算するステップを含む、
項目２４７に記載の方法。
（項目２５３）
前記オフセットは、前記検出された周囲光レベルの線形または多項式関数に基づく、項目２５２に記載の方法。
（項目２５４）
前記第２の波長を含む光の第２および第３の測定値の両方が、取得され、
前記補正された第２の波長測定値を生成するステップは、（ｉ）前記第２の波長を含む光の第１の測定値から、前記第２の波長を含む光の第２および第３の測定値の平均を減算し、（ｉｉ）前記検出された周囲光レベルの関数に基づいて、前記第２の波長を含む光の第１の測定値に、オフセットを加算するステップを含む、
項目２４７に記載の方法。
（項目２５５）
前記オフセットは、前記検出された周囲光レベルの線形または多項式関数に基づく、項目２５４に記載の方法。
（項目２５６）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定される、項目２４７に記載の方法。
（項目２５７）
前記第１の閾値は、約０．５％／フィートの前記筐体の外側の煙による視界低下を介して発生される信号レベルより大きい信号レベルに対応する、項目２５６に記載の方法。
（項目２５８）
前記第１の閾値は、約４％／フィートの前記筐体の外側の煙による視界低下を介して発生される信号レベルより小さい信号レベルに対応する、項目２５７に記載の方法。
（項目２５９）
前記第１の閾値は、約４％／フィートの前記筐体の外側の煙による視界低下を介して発生される信号レベルより小さい信号レベルに対応する、項目２５６に記載の方法。
（項目２６０）
前記補正された第１の波長測定値と前記補正された第２の波長測定値との比率に基づいて、前記煙粒子の平均直径より大きい平均直径を有する妨害粒子の存在を判定するステップをさらに含む、項目２４７に記載の方法。
（項目２６１）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定され、
前記妨害粒子の存在を判定するステップは、前記補正された第１の波長測定値と前記補正された第２の波長測定値との比率を第２の閾値と比較するステップを含み、妨害粒子は、前記補正された第１の波長測定値と前記補正された第２の波長測定値との比率が前記第２の閾値より小さいとき、存在すると判定される、
項目２６０に記載の方法。
（項目２６２）
前記第１の閾値は、前記第２の閾値とほぼ等しい、項目２６１に記載の方法。
（項目２６３）
前記第２の閾値は、前記第１の閾値より低い、項目２６１に記載の方法。
（項目２６４）
前記補正された第１の波長測定値または前記補正された第２の波長測定値のうちの少なくとも１つに基づいて、前記筐体の外側の障害物の存在を判定するステップをさらに含む、項目２４７に記載の方法。
（項目２６５）
前記障害物の存在を判定するステップは、前記補正された第１の波長測定値または前記補正された第２の波長測定値のうちの少なくとも１つを障害物閾値と比較するステップを含み、障害物は、前記補正された第１の波長測定値または前記補正された第２の波長測定値のうちの少なくとも１つが前記障害物閾値より大きいとき、存在すると判定される、項目２６４に記載の方法。
（項目２６６）
前記障害物閾値は、前記１つまたはそれを上回る検出器の単一測定サイクルの間の煙の蓄積を介して達成不可能な信号レベルに対応する、項目２６５に記載の方法。
（項目２６７）
前記障害物閾値は、約４０％／フィートの前記筐体の外側の煙による視界低下を介して発生される信号レベルより大きい信号レベルに対応する、項目２６５に記載の方法。
（項目２６８）
（ｉ）前記第１の波長を含む光の第１の測定値および前記第１の波長を含む光の第２または第３の測定値のうちの少なくとも１つが、１００ミリ秒未満の時間周期にわたって取得され、（ｉｉ）前記第２の波長を含む光の第１の測定値および前記第２の波長を含む光の第２または第３の測定値のうちの少なくとも１つが、１００ミリ秒未満の時間周期にわたって取得される、項目２４７に記載の方法。
（項目２６９）
（ｉ）前記第１の波長を含む光の第１の測定値および前記第１の波長を含む光の第２または第３の測定値のうちの少なくとも１つが、１ミリ秒未満の時間周期にわたって取得され、（ｉｉ）前記第２の波長を含む光の第１の測定値および前記第２の波長を含む光の第２または第３の測定値のうちの少なくとも１つが、１ミリ秒未満の時間周期にわたって取得される、項目２４７に記載の方法。
（項目２７０）
前記１つまたはそれを上回る光エミッタは、ある範囲の波長にわたって光を放出する広帯域光源を備え、前記第１および第２の波長は、前記波長の範囲内である、項目２４７に記載の方法。
（項目２７１）
前記広帯域光源は、白色発光ダイオードを備える、項目２７０に記載の方法。
（項目２７２）
前記１つまたはそれを上回る光エミッタは、前記第１の波長で光を放出する第１の光エミッタと、前記第２の波長で光を放出する、前記第１の光エミッタと異なる第２の光エミッタとを備える、項目２４７に記載の方法。
（項目２７３）
前記煙検出器は、近接センサを備え、少なくとも１つの前記光検出器は、前記近接センサ内に内蔵される、項目２４７に記載の方法。
（項目２７４）
前記煙検出器は、前記近接センサから離散した周囲光センサを備え、少なくとも１つの前記光検出器は、前記周囲光センサ内に内蔵される、項目２７３に記載の方法。
（項目２７５）
前記第２の波長の光は、前記第１の時間に放出されない、項目２４７に記載の方法。
（項目２７６）
前記第１の波長の光は、前記第４の時間に放出されない、項目２４７に記載の方法。
（項目２７７）
前記第１の波長は、約３００ｎｍ〜約４８０ｎｍである、項目２４７に記載の方法。
（項目２７８）
前記第２の波長は、約６３０ｎｍ〜約１０００ｎｍである、項目２４７に記載の方法。
（項目２７９）
前記１つまたはそれを上回る光エミッタのいずれも、前記第２および第３の時間に光を放出しない、項目２４７に記載の方法。
（項目２８０）
前記１つまたはそれを上回る光エミッタのいずれも、前記第５および第６の時間に光を放出しない、項目２４７に記載の方法。
（項目２８１）
（ａ）筐体と、（ｂ）１つまたはそれを上回る光エミッタと、（ｃ）１つまたはそれを上回る光検出器とを備える、煙検出器を利用した煙検出の方法であって、
前記１つまたはそれを上回る光エミッタから、ほぼ前記第１の波長の光またはほぼ前記第２の波長の光を放出せずに、前記筐体の外側から生じる第１の波長および前記第１の波長より長い第２の波長の光の第１の非照明測定値を取得するステップと、
少なくとも１つの前記光エミッタを用いて、ほぼ前記第１の波長の光を放出しながら、前記筐体の外側から生じる前記第１の波長を含む光の測定値を取得するステップと、
少なくとも１つの前記光エミッタを用いて、ほぼ前記第２の波長の光を放出しながら、前記筐体の外側から生じる前記第２の波長を含む光の測定値を取得するステップと、
前記筐体の外側の周囲光レベルを検出するステップと、
少なくとも部分的に、（ｉ）前記検出された周囲光レベルと、（ｉｉ）前記第１の波長および前記第２の波長を含む光の第１の非照明測定値に基づいて、前記第１の波長を含む光の測定値を補正し、それによって、補正された第１の波長測定値を生成するステップと、
少なくとも部分的に、（ｉ）前記検出された周囲光レベルと、（ｉｉ）前記第１の波長および前記第２の波長を含む光の第１の非照明測定値に基づいて、前記第２の波長を含む光の測定値を補正し、それによって、補正された第２の波長測定値を生成するステップと、
前記補正された第１の波長測定値と前記補正された第２の波長測定値との比率に基づいて、前記筐体の外側の煙粒子の存在を判定するステップと、
を含む、方法。
（項目２８２）
前記補正された第１の波長測定値を生成するステップは、（ｉ）前記第１の波長を含む光の測定値から、前記第１の波長および前記第２の波長を含む光の第１の非照明測定値を減算し、（ｉｉ）前記検出された周囲光レベルの関数に基づいて、前記第１の波長を含む光の測定値に、オフセットを加算するステップを含む、項目２８１に記載の方法。
（項目２８３）
前記オフセットは、前記検出された周囲光レベルの線形または多項式関数に基づく、項目２８２に記載の方法。
（項目２８４）
前記補正された第２の波長測定値を生成するステップは、（ｉ）前記第２の波長を含む光の測定値から、前記第１の波長および前記第２の波長を含む光の第１の非照明測定値を減算し、（ｉｉ）前記検出された周囲光レベルの関数に基づいて、前記第２の波長を含む光の測定値に、オフセットを加算するステップを含む、項目２８１に記載の方法。
（項目２８５）
前記オフセットは、前記検出された周囲光レベルの線形または多項式関数に基づく、項目２８４に記載の方法。
（項目２８６）
前記第１の波長および前記第２の波長を含む光の第１の非照明測定値は、前記第１の波長を含む光の測定値および前記第２の波長を含む光の測定値が取得される前に、取得される、項目２８１に記載の方法。
（項目２８７）
前記第１の波長を含む光の測定値または前記第２の波長を含む光の測定値のうちの少なくとも１つは、前記第１の波長および前記第２の波長を含む光の第１の非照明測定値が取得される前に、取得される、項目２８１に記載の方法。
（項目２８８）
前記第１の波長を含む光の測定値または前記第２の波長を含む光の測定値のうちの１つのみは、前記第１の波長および前記第２の波長を含む光の第１の非照明測定値が取得される前に、取得される、項目２８１に記載の方法。
（項目２８９）
前記第１の波長および前記第２の波長を含む光の第１の非照明測定値を取得後、前記１つまたはそれを上回る光エミッタから、ほぼ前記第１の波長の光またはほぼ前記第２の波長の光を放出せずに、前記筐体の外側から生じる前記第１の波長および前記第２の波長を含む光の第２の非照明測定値を取得するステップをさらに含む、項目２８１に記載の方法。
（項目２９０）
（ｉ）前記第１の波長および前記第２の波長を含む光の第１の非照明測定値は、前記第１の波長を含む光の測定値または前記第２の波長を含む光の測定値のうちの少なくとも１つが取得される前に、取得され、（ｉｉ）前記第１の波長および前記第２の波長を含む光の第２の非照明測定値は、前記第１の波長を含む光の測定値または前記第２の波長を含む光の測定値のうちの少なくとも１つが取得された後、取得される、項目２８９に記載の方法。
（項目２９１）
前記補正された第１の波長測定値を生成するステップは、（ｉ）前記第１の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第１の波長を含む光の測定値に、オフセットを加算するステップを含む、項目２８９に記載の方法。
（項目２９２）
前記オフセットは、前記検出された周囲光レベルの線形または多項式関数に基づく、項目２９１に記載の方法。
（項目２９３）
前記補正された第２の波長測定値を生成するステップは、（ｉ）前記第２の波長を含む光の測定値から、（ａ）前記第１の波長および前記第２の波長を含む光の第１の非照明測定値と、（ｂ）前記第１の波長および前記第２の波長を含む光の第２の非照明測定値の平均を減算し、（ｉｉ）前記検出された周囲光レベルの関数に基づいて、前記第２の波長を含む光の測定値に、オフセットを加算するステップを含む、項目２８９に記載の方法。
（項目２９４）
前記オフセットは、前記検出された周囲光レベルの線形または多項式関数に基づく、項目２９３に記載の方法。
（項目２９５）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定される、項目２８１に記載の方法。
（項目２９６）
前記第１の閾値は、約０．５％／フィートの前記筐体の外側の煙による視界低下を介して発生される信号レベルより大きい信号レベルに対応する、項目２９５に記載の方法。
（項目２９７）
前記第１の閾値は、約４％／フィートの前記筐体の外側の煙による視界低下を介して発生される信号レベルより小さい信号レベルに対応する、項目２９６に記載の方法。
（項目２９８）
前記第１の閾値は、約４％／フィートの前記筐体の外側の煙による視界低下を介して発生される信号レベルより小さい信号レベルに対応する、項目２９５に記載の方法。
（項目２９９）
前記補正された第１の波長測定値と前記補正された第２の波長測定値との比率に基づいて、前記煙粒子の平均直径より大きい平均直径を有する妨害粒子の存在を判定するステップをさらに含む、項目２８１に記載の方法。
（項目３００）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定され、
前記妨害粒子の存在を判定するステップは、前記補正された第１の波長測定値と前記補正された第２の波長測定値との比率を第２の閾値と比較するステップを含み、妨害粒子は、前記補正された第１の波長測定値と前記補正された第２の波長測定値との比率が前記第２の閾値より小さいとき、存在すると判定される、
項目２９９に記載の方法。
（項目３０１）
前記第１の閾値は、前記第２の閾値とほぼ等しい、項目３００に記載の方法。
（項目３０２）
前記第２の閾値は、前記第１の閾値より低い、項目３００に記載の方法。
（項目３０３）
前記補正された第１の波長測定値または前記補正された第２の波長測定値のうちの少なくとも１つに基づいて、前記筐体の外側の障害物の存在を判定するステップをさらに含む、項目２８１に記載の方法。
（項目３０４）
前記障害物の存在を判定するステップは、前記補正された第１の波長測定値または前記補正された第２の波長測定値のうちの少なくとも１つを障害物閾値と比較するステップを含み、障害物は、前記補正された第１の波長測定値または前記補正された第２の波長測定値のうちの少なくとも１つが前記障害物閾値より大きいとき、存在すると判定される、項目３０３に記載の方法。
（項目３０５）
前記障害物閾値は、前記１つまたはそれを上回る検出器の単一測定サイクルの間の煙の蓄積を介して達成不可能な信号レベルに対応する、項目３０４に記載の方法。
（項目３０６）
前記障害物閾値は、約４０％／フィートの前記筐体の外側の煙による視界低下を介して発生される信号レベルより大きい信号レベルに対応する、項目３０４に記載の方法。
（項目３０７）
（ｉ）前記第１の波長および前記第２の波長を含む光の第１の非照明測定値と、（ｉｉ）前記第１の波長を含む光の測定値と、（ｉｉｉ）前記第２の波長を含む光の測定値とが、１００ミリ秒未満の時間周期にわたって取得される、項目２８１に記載の方法。
（項目３０８）
（ｉ）前記第１の波長および前記第２の波長を含む光の第１の非照明測定値と、（ｉｉ）前記第１の波長を含む光の測定値と、（ｉｉｉ）前記第２の波長を含む光の測定値とが、１ミリ秒未満の時間周期にわたって取得される、項目２８１に記載の方法。
（項目３０９）
前記１つまたはそれを上回る光エミッタは、ある範囲の波長にわたって光を放出する広帯域光源を備え、前記第１および第２の波長は、前記波長の範囲内である、項目２８１に記載の方法。
（項目３１０）
前記広帯域光源は、白色発光ダイオードを備える、項目３０９に記載の方法。
（項目３１１）
前記１つまたはそれを上回る光エミッタは、前記第１の波長で光を放出する第１の光エミッタと、前記第２の波長で光を放出する、前記第１の光エミッタと異なる第２の光エミッタとを備える、項目２８１に記載の方法。
（項目３１２）
前記煙検出器は、近接センサを備え、少なくとも１つの前記光検出器は、前記近接センサ内に内蔵される、項目２８１に記載の方法。
（項目３１３）
前記煙検出器は、前記近接センサから離散した周囲光センサを備え、少なくとも１つの前記光検出器は、前記周囲光センサ内に内蔵される、項目３１２に記載の方法。
（項目３１４）
前記第１の波長は、約３００ｎｍ〜約４８０ｎｍである、項目２８１に記載の方法。
（項目３１５）
前記第２の波長は、約６３０ｎｍ〜約１０００ｎｍである、項目２８１に記載の方法。
（項目３１６）
前記１つまたはそれを上回る光エミッタのいずれも、前記第１の波長および前記第２の波長を含む光の第１の非照明測定値の取得の間、光を放出しない、項目２８１に記載の方法。
（項目３１７）
（ａ）筐体と、（ｂ）１つまたはそれを上回る光エミッタと、（ｃ）１つまたはそれを上回る光検出器とを備える、煙検出器を利用した煙検出の方法であって、
少なくとも１つの前記光エミッタを用いて、ほぼ前記第１の波長の光を放出しながら、前記筐体の外側から生じる第１の波長を含む光の測定値を取得するステップと、
少なくとも１つの前記光エミッタを用いて、ほぼ前記第２の波長の光を放出しながら、前記筐体の外側から生じる第２の波長を含む光の測定値を取得するステップであって、前記第２の波長は、前記第１の波長より長い、ステップと、
前記筐体の外側の周囲光レベルを検出するステップと、
少なくとも部分的に、前記検出された周囲光レベルに基づいて、前記第１の波長を含む光の測定値を補正し、それによって、補正された第１の波長測定値を生成するステップと、
少なくとも部分的に、前記検出された周囲光レベルに基づいて、前記第２の波長を含む光の測定値を補正し、それによって、補正された第２の波長測定値を生成するステップと、
前記補正された第１の波長測定値と前記補正された第２の波長測定値との比率に基づいて、前記筐体の外側の煙粒子の存在を判定するステップと、
を含む、方法。
（項目３１８）
（ｉ）前記補正された第１の波長測定値を生成するステップは、前記検出された周囲光レベルの関数に基づいて、前記第１の波長を含む光の測定値に、第１のオフセットを加算するステップを含み、（ｉｉ）前記補正された第２の波長測定値を生成するステップは、前記検出された周囲光レベルの関数に基づいて、前記第１の波長を含む光の測定値に、第２のオフセットを加算するステップを含む、項目３１７に記載の方法。
（項目３１９）
（ｉ）前記第１のオフセットは、前記検出された周囲光レベルの線形または多項式関数に基づき、（ｉｉ）前記第２のオフセットは、前記検出された周囲光レベルの線形または多項式関数に基づく、項目３１８に記載の方法。
（項目３２０）
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定される、項目３１７に記載の方法。
（項目３２１）
前記第１の閾値は、（ｉ）約０．５％／フィートの前記筐体の外側の煙による視界低下を介して発生される信号レベルより大きい信号レベル、または（ｉｉ）約４％／フィートの前記筐体の外側の煙による視界低下を介して発生される信号レベルより小さい信号レベルのうちの少なくとも１つに対応する、項目３２０に記載の方法。
（項目３２２）
前記補正された第１の波長測定値と前記補正された第２の波長測定値との比率に基づいて、前記煙粒子の平均直径より大きい平均直径を有する妨害粒子の存在を判定するステップをさらに含み、
前記筐体の外側の煙粒子の存在を判定するステップは、前記補正された第１の波長測定値と前記補正された第２の波長測定値との比率を第１の閾値と比較するステップを含み、煙粒子は、前記補正された第１の波長測定値と前記補正された第２の波長測定値との比率が前記第１の閾値より大きいとき、存在すると判定され、
前記妨害粒子の存在を判定するステップは、前記補正された第１の波長測定値と前記補正された第２の波長測定値との比率を第２の閾値と比較するステップを含み、妨害粒子は、前記補正された第１の波長測定値と前記補正された第２の波長測定値との比率が前記第２の閾値より小さいとき、存在すると判定される、
項目３１７に記載の方法。
（項目３２３）
前記第１の閾値は、前記第２の閾値とほぼ等しい、項目３２２に記載の方法。
（項目３２４）
前記第２の閾値は、前記第１の閾値より低い、項目３２２に記載の方法。
（項目３２５）
少なくとも部分的に、前記補正された第１の波長測定値または前記補正された第２の波長測定値のうちの少なくとも１つを障害物閾値と比較することによって、前記筐体の外側の障害物の存在を判定するステップをさらに含み、障害物は、前記補正された第１の波長測定値または前記補正された第２の波長測定値のうちの少なくとも１つが前記障害物閾値より大きいとき、存在すると判定される、項目３１７に記載の方法。
（項目３２６）
前記障害物閾値は、（ｉ）前記１つまたはそれを上回る検出器の単一測定サイクルの間の煙の蓄積を介して達成不可能な信号レベル、または（ｉｉ）約４０％／フィートの前記筐体の外側の煙による視界低下を介して発生される信号レベルより大きい信号レベルのうちの少なくとも１つに対応する、項目３２５に記載の方法。
（項目３２７）
前記１つまたはそれを上回る光エミッタは、ある範囲の波長にわたって光を放出する広帯域光源を備え、前記第１および第２の波長は、前記波長の範囲内である、項目３１７に記載の方法。
（項目３２８）
前記広帯域光源は、白色発光ダイオードを備える、項目３２７に記載の方法。
（項目３２９）
前記１つまたはそれを上回る光エミッタは、前記第１の波長で光を放出する第１の光エミッタと、前記第２の波長で光を放出する、前記第１の光エミッタと異なる第２の光エミッタとを備える、項目３１７に記載の方法。
（項目３３０）
前記煙検出器は、近接センサを備え、少なくとも１つの前記光検出器は、前記近接センサ内に内蔵される、項目３１７に記載の方法。
（項目３３１）
前記煙検出器は、前記近接センサから離散した周囲光センサを備え、少なくとも１つの前記光検出器は、前記周囲光センサ内に内蔵される、項目３３０に記載の方法。
（項目３３２）
前記第１の波長は、約３００ｎｍ〜約４８０ｎｍである、項目３１７に記載の方法。
（項目３３３）
前記第２の波長は、約６３０ｎｍ〜約１０００ｎｍである、項目３１７に記載の方法。
（項目３３４）
前記１つまたはそれを上回る光エミッタから、ほぼ前記第１の波長の光またはほぼ前記第２の波長の光を放出せずに、前記筐体の外側から生じる前記第１の波長および前記第２の波長を含む光の第１の非照明測定値を取得するステップをさらに含む、項目３１７に記載の方法。
（項目３３５）
（ｉ）前記補正された第１の波長測定値を生成するステップは、前記第１の波長を含む光の測定値から、前記第１の波長および前記第２の波長を含む光の第１の非照明測定値を減算するステップを含み、（ｉｉ）前記補正された第２の波長測定値を生成するステップは、前記第２の波長を含む光の測定値から、前記第１の波長および前記第２の波長を含む光の第１の非照明測定値を減算するステップを含む、項目３３４に記載の方法。
（項目３３６）
前記第１の波長および前記第２の波長を含む光の第１の非照明測定値は、前記第１の波長を含む光の測定値および前記第２の波長を含む光の測定値が取得される前に、取得される、項目３３４に記載の方法。
（項目３３７）
前記第１の波長を含む光の測定値または前記第２の波長を含む光の測定値のうちの少なくとも１つは、前記第１の波長および前記第２の波長を含む光の第１の非照明測定値が取得される前に、取得される、項目３３４に記載の方法。
（項目３３８）
前記第１の波長および前記第２の波長を含む光の第１の非照明測定値は、前記第１の波長を含む光の測定値および前記第２の波長を含む光の測定値が取得された後に、取得される、項目３３４に記載の方法。
【図面の簡単な説明】
【００８３】
図面中、同様の参照文字は、概して、異なる図全体を通して、同一部分を指す。また、図面は、必ずしも、正確な縮尺ではなく、代わりに、概して、本発明の原理の例証に応じて、強調される。以下の説明では、本発明の種々の実施形態は、以下の図面を参照して説明される。
【図１Ａ】図１Ａは、本発明の種々の実施形態による、異なる波長で放出する離散光エミッタと、離散近接センサと、離散周囲光センサとを伴う、煙検出器の断面図である。
【図１Ｂ】図１Ｂは、本発明の種々の実施形態による、異なる波長で放出する離散光エミッタと、内蔵された周囲光センサを特徴とする近接センサとを伴う、煙検出器の断面図である。
【図１Ｃ】図１Ｃは、本発明の種々の実施形態による、異なる波長で放出する離散光エミッタであって、内蔵された周囲光センサを特徴とする近接センサと本質的に同一平面にある、光エミッタと、煙検出器筐体とを伴う、煙検出器の断面図である。
【図１Ｄ】図１Ｄは、本発明の種々の実施形態による、異なる波長で放出する離散光エミッタであって、部分的に、煙検出器筐体から突出する、光エミッタと、内蔵された周囲光センサを特徴とする近接センサとを伴う、煙検出器の断面図である。
【図２Ａ】図２Ａは、本発明の種々の実施形態による、サンプリング体積内に位置する煙および周囲光源からの周囲光からの信号発生を図示する。
【図２Ｂ】図２Ｂは、本発明の種々の実施形態による、異なる波長で放出する離散光エミッタと、離散近接センサと、離散周囲光センサと、光学要素とを伴う、煙検出器の断面図である。
【図２Ｃ】図２Ｃは、本発明の種々の実施形態による、評価回路のブロック図である。
【図３】図３は、本発明の種々の実施形態による、周囲光信号と、補正されていない近接センサ信号と、部分的に補正された近接センサ信号と、補正された近接センサ信号とを表示する。
【図４】図４は、本発明の種々の実施形態による、いくつかの妨害および火災源に対する２つの異なる波長の補正された近接センサ信号の比率を表示する。
【図５】図５は、本発明の種々の実施形態による、煙粒子、妨害粒子、および障害物を区別するための方法を描写する、フロー図である。
【発明を実施するための形態】
【００８４】
煙粒子と妨害粒子との間の区別は、それぞれ、光の固有の波長を使用する、複数の信号を発生させることによって達成されてもよい。粉塵、粉末、料理煙霧質、または水蒸気等の煙以外の空気媒介粒子は、これらの粒子が直径約数ミクロンを有するため、近紫外線、可視、および近赤外線（例えば、約３００〜１０００ｎｍの波長）全体を通して、概して等しく、光の種々の波長を散乱させる。しかしながら、典型的には、１ミクロン未満の直径を有する、煙粒子は、典型的には、より長い波長よりはるかに強くより短い波長の光を散乱させる。少なくとも１つが、青色、菫色、または紫外線等のより短い放出波長（例えば、約３００〜４８０ｎｍの波長）を伴い、少なくとも１つが、赤色または赤外線等のより長い放出波長（例えば、約６３０〜１０００ｎｍの波長）を伴う、複数の光エミッタを使用することによって、相対的信号が、比較され、外部サンプリング体積内の空気媒介粒子が煙粒子であるかどうかを判定してもよい。当業者に公知のように、特定の波長で放出する発光ダイオード（ＬＥＤ）およびレーザ等の光エミッタは、例えば、半導体ベースの光エミッタのバンドギャップおよび／またはレーザ発振キャビティサイズの選択および／または調節によって生成されてもよい。
【００８５】
図１Ａは、本発明の種々の実施形態による、煙検出器を描写する。示されるように、煙検出器は、回路基板１１０上に搭載される（または別様に囲繞筐体１２０内に搭載される）、赤色光エミッタ５００と、青色光エミッタ５０２と、近接センサ１０６と、周囲光センサ４００とを含む。評価回路１０４はまた、回路基板１１０上に搭載されてもよい。これらの構成要素は全て、典型的には、少なくとも部分的に、１つまたはそれを上回る剛性材料（例えば、金属、プラスチック等）を含む、またはそれらから本質的に成る、煙検出器筐体１２０の内側に配置される。本発明の種々の実施形態では、筐体１２０は、赤色光エミッタ５００、青色光エミッタ５０２、近接センサ１０６、および周囲光センサ４００にわたって位置する、単一開口部１３０を有する。（図１Ａに示されるように、開口部１３０は、その上にこれらの構成要素が搭載される、回路基板１１０と反対に配置されるという意味において、これらの構成要素の全てに「わたり」、煙検出器が、例えば、天井上に搭載される実施形態では、開口部１３０は、描写されるように、これらの構成要素の全ての「下」または「真下」に配置されるであろう。）窓が、開口部１３０内に（かつ少なくとも部分的に、それを閉鎖して）配置されてもよい。窓は、例えば、プラスチックおよび／またはガラスを含む、またはそれらから本質的に成ってもよく、概して、少なくとも部分的に、赤色光エミッタ５００によって放出された光、青色光エミッタ５０２によって放出された光、および周囲光に透過性である。筐体１２０はまた、複数の開口部を有してもよく、各開口部は、少なくとも１つの構成要素にわたって位置し、開口部のうちの１つまたはそれを上回るもの内に（かつ少なくとも部分的に、それを閉鎖して）配置される、窓を有してもよい。本発明の種々の実施形態では、構成要素のうちの１つまたはそれを上回るものは、筐体１２０内の回路基板１１０または別のプラットフォームに接続されるが、部分的に、筐体１２０の外側に、例えば、開口部１３０を通して突出する。
【００８６】
赤色光エミッタ５００および青色光エミッタ５０２は、実質的に異なる波長で放出する。本発明の種々の実施形態では、赤色光エミッタ５００は、赤色および／または赤外線光を放出し、青色光エミッタ５０２は、青色、菫色、および／または紫外線光を放出する。概して、青色光エミッタ５０２は、赤色光エミッタ５００によって放出される光より短い波長の光を放出し、したがって、用語「青色光エミッタ」および「赤色光エミッタ」は、本明細書では、任意の特定の光エミッタからの任意の特定の放出波長を含意するのではなく、便宜上、１つの光エミッタがより短い波長の光を放出することを示すために利用される。青色光エミッタ５０２は、約５００ｎｍ未満の波長の光を放出してもよく、赤色光エミッタ５００は、約５００ｎｍ超の波長の光を放出してもよい。本発明の種々の実施形態では、２つを上回る光エミッタが、煙検出器内で利用されてもよく、それぞれ、他の光エミッタと実質的に異なる波長を伴う。本発明の種々の実施形態では、別個の光検出器が、煙検出器内の各光エミッタのために利用されてもよい。本発明の種々の実施形態では、広スペクトルの光が、単一光エミッタによって、煙検出器から放出されてもよく、それぞれ、異なる波長または範囲の波長に対する感度を伴う、複数の異なる光検出器が、利用されてもよい。例えば、第１の光検出器は、赤色および／または赤外線光により敏感であってもよく、第２の光検出器は、青色、菫色、および／または紫外線光により敏感であってもよい。別の実施例では、第１の光検出器は、可視および赤外線光の両方に敏感であってもよく、第２の光検出器は、可視光のみに敏感であってもよい。単一広帯域エミッタは、典型的には、広範囲の波長にわたって光を放出し、１つまたはそれを上回る白色ＬＥＤ（すなわち、白色光または白色光に非常に近似する混合光を放出するＬＥＤ）を含む、またはそれらから本質的に成ってもよい。異なる放出波長を伴う複数の異なる光エミッタもまた、複数の光検出器と併用されてもよい。当業者に公知のように、特定の波長の光に敏感な光検出器等の光検出器は、例えば、半導体ベースの光検出器のバンドギャップの選択および／または調節によって生成されてもよい。
【００８７】
少なくとも１つの光検出器は、近接センサ１０６の一部であってもよく、かつその中に内蔵されてもよい。近接センサ１０６はまた、近接センサ１０６と別個であって、かつそこから離散する構成要素であり得る、赤色光エミッタ５００および青色光エミッタ５０２の動作を制御してもよい。例示的近接センサ１０６は、本実施形態では、Ｓｉｌｉｃｏｎ  Ｌａｂｏｒａｔｏｒｉｅｓ  Ｉｎｃ．（Ａｕｓｔｉｎ，  ＴＸ）から利用可能なＳｉｌｉｃｏｎ  Ｌａｂｏｒａｔｏｒｉｅｓ  Ｓｉ１１４ｘ近接／周囲光センサである。赤色光エミッタ５００および青色光エミッタ５０２のうちの少なくとも１つはまた、近接センサ１０６内に内蔵されてもよい。例示的近接センサ１０６は、本実施形態では、Ｖｉｓｈａｙ  Ｉｎｔｅｒｔｅｃｈｎｏｌｏｇｙ，  Ｉｎｃ．（Ｍａｌｖｅｒｎ，  ＰＡ）から利用可能なＶｉｓｈａｙ  Ｉｎｔｅｒｔｅｃｈｎｏｌｏｇｙ  ＶＣＮＬ４０００完全統合型近接および周囲光センサである。近接センサ１０６内に内蔵されない場合、赤色光エミッタ５００および青色光エミッタ５０２は、近接センサ１０６によって外部から駆動されてもよい。少なくとも１つの光検出器は、周囲光センサ４００の一部であって、その中に内蔵されてもよい。周囲光センサ４００内の光検出器は、概して、可視光に敏感であるが、また、紫外線および／または赤外線光にも敏感であってもよい。光検出器は、デバイスを照明する光の存在を示す、および／またはその特性を測定する、１つまたはそれを上回るデバイスを含む、またはそれらから本質的に成る。例えば、光検出器は、光に暴露されると、電荷（すなわち、電子信号）を生成してもよい。例示的光検出器は、フォトダイオード、光検出器、光電導体、および／または集光器を含む。本発明の代替実施形態は、煙検出器の機能性を改変せずに、近接センサの代わりに、離散光エミッタおよび光検出器を使用する。本発明の他の代替実施形態は、煙検出器の機能性を改変せずに、周囲光センサの代わりに、離散光検出器を使用する。
【００８８】
図１Ｂに示されるように、本発明の好ましい実施形態では、周囲光センサ４００は、近接センサ１０６の一部であって、さらにその中に内蔵され、統合された近接／周囲光センサ１４０を形成する。統合された近接／周囲光センサ１４０内では、近接センサ制御回路は、典型的には、周囲光センサ制御回路から別個であるが、近接センサおよび周囲光センサは、少なくとも１つの共通光検出器を使用してもよい。赤色光エミッタ５００および青色光エミッタ５０２のうちの少なくとも１つはまた、統合された近接／周囲光センサ１４０の一部であって、かつその中に内蔵されてもよい。
【００８９】
赤色光エミッタ５００および青色光エミッタ５０２によって放出された光の最大量が、外部サンプリング体積に到達するために、特に、開口部１３０の幅が放出された光の幅と同等またはそれ未満である場合、光が筐体１２０によってほとんど遮断されないように、光エミッタを位置付けることが有利となり得る。図１Ｃにおける一実施形態に示されるように、赤色光エミッタ５００および青色光エミッタ５０２の先端部分は筐体１２０と本質的に同一平面にある。図１Ｄにおける別の実施形態に示されるように、赤色光エミッタ５００および青色光エミッタ５０２は、部分的に、開口部１３０を通して筐体１２０から突出する。これらの２つの実施形態では、赤色光エミッタ５００および青色光エミッタ５０２は、回路基板１１０上に搭載される、または回路基板１１０に別様に電気的に接続された別個の回路基板上、例えば、ドーターボードまたはフレックス回路基板上に搭載されてもよい。
【００９０】
電子信号は、光が近接センサ１０６、統合された近接／周囲光センサ１４０、および周囲光センサ４００内に内蔵される光検出器によって収集（または「感知」または「検出」）されると、発生される。図２Ａに示されるように、少なくとも３つの信号が、空気媒介粒子５３０が外部サンプリング体積内に存在するとき、発生されてもよい。赤色光エミッタ５００から放出されたビーム５２０（例えば、赤色または赤外線光を含む、またはそれから本質的に成ってもよい）は、筐体１２０内の開口部１３０を通して通過し、空気媒介粒子５３０によって散乱され、赤色散乱ビーム５２２を発生させ得る。赤色散乱ビーム５２２の少なくとも一部は、筐体１２０内の開口部１３０を通して後方に通過し、近接センサ１０６によって収集され、「赤色信号」を生成し得る。青色光エミッタ５０２から放出されたビーム５２４（例えば、青色、菫色、および／または紫外線光を含む、またはそれらから本質的に成ってもよい）もまた、筐体１２０内の開口部１３０を通して通過し、空気媒介粒子５３０によって散乱され得る。青色散乱ビーム５２６の少なくとも一部は、筐体１２０内の開口部１３０を通して後方に通過し、近接センサ１０６によって収集され、「青色信号」を発生し得る。周囲光源２１２からの周囲光ビーム２１４もまた、筐体１２０内の開口部１３０を通して通過し、周囲光センサ４００によって収集され、「周囲信号」を発生し得る。実施例周囲光源は、太陽光、または白熱、蛍光、ハロゲン、もしくはＬＥＤ電球からの光を含む。周囲光ビーム２１４は、筐体１２０内の開口部１３０を通して通過後、また、部分的に、近接センサ１０６によって収集され得、したがって、赤色信号および／または青色信号に寄与し得る。
【００９１】
信号はまた、障害物が外部サンプリング体積内に存在するときにも発生され得る。障害物は、限定ではないが、人、家具、または清掃器具等、煙粒子または妨害粒子以外の任意の物体であり得る。
【００９２】
本発明の種々の実施形態では、赤色光エミッタ５００および青色光エミッタ５０２によって放出された光は、相互から信号を一時的に区別するために、別個にパルス化され、電力消費を低減させてもよい。例えば、光エミッタ５００、５０２のうちの１つのみが、任意の特定の時間に光を放出してもよい。別の実施例として、青色光エミッタ５０２は、煙検出器近傍の人により視覚的に目立たないように、赤色光エミッタ５００より低頻度でパルス化されてもよい。したがって、青色信号は、赤色信号より低頻度で収集および／または処理されてもよい。
【００９３】
図２Ｂに示されるように、光学要素２２０が、筐体１２０内に配置されてもよい。一般に、光学要素２２０は、赤色光エミッタ５００から放出されたビーム５２０の少なくとも一部および青色光エミッタ５０２から放出されたビーム５２４の少なくとも一部の軌道を偏向させる。光学要素２２０は、レンズ、プリズム、もしくは格子等の屈折要素、またはミラー等の反射要素を含む、またはそれらから本質的に成ってもよい。同様に、複数の光学要素が、放出されたビーム５２０および放出されたビーム５２４の軌道を偏向させるために使用されることができる。放出されたビームの軌道の偏向は、近接センサ１０６の頭上により近くなる（すなわち、より直接、それにわたって配置される）ように、放出されたビームによって画定されるサンプリング体積の位置および／またはサイズを偏移させる。（具体的には、サンプリング体積は、近接センサ１０６から生じ、回路基板１１０および／または筐体１２０の平面に垂直な想像線が、サンプリング体積を通して通過するように位置付けられてもよい。）これは、サンプリング体積が近接センサ１０６からより離れた実施形態と比較して、近接センサ１０６によって収集される赤色および青色信号を増加させ、それによって、サンプリング体積の内側の粒子に対する煙検出器の感度を増加させる。いくつかの実施形態では、放出されたビームは、１つまたはそれを上回る光学要素２２０によって集束され、それによって、サンプリング体積のサイズを減少させる。すなわち、焦点が、赤色および青色信号の強度を増加させるために、直接、近接センサ１０６にわたって配置され得る。
【００９４】
近接センサ１０６および周囲光センサ４００内の光検出器によって収集される信号の少なくとも一部は、典型的には、信号を分析し、煙粒子、妨害粒子、または障害物が、サンプリング体積内に存在するかどうかを判定する、評価回路１０４に伝送される。図２Ｃは、（限定ではないが）メモリ２４０、受信機２５０、信号分析器２６０、変換器２７０、コントローラ２８０、および／またはタイマ２９０を含み得る、評価回路１０４の種々の構成要素を図式的に描写する。メモリ２４０は、感知および／または制御動作において利用される所定の値（例えば、閾値）を記憶してもよく、および／または感知、補正、および／または変換（例えば、平滑化）される間および／またはその後、種々の信号値を記憶してもよい。メモリ２４０の少なくとも一部は、揮発性であってもよく、メモリ２４０の少なくとも一部は、不揮発性であってもよい。受信機２５０は、煙検出器の他の構成要素（例えば、光検出器および他のセンサ）から信号を受信し、信号を評価回路１０４の他の部分にルーティングしてもよい。信号分析器２６０は、受信（および／または補正ならびに／もしくは変換）された信号と種々の所定の閾値レベルおよび／または以前に受信（および／または補正ならびに／もしくは変換）された信号を比較し、煙粒子、妨害粒子、または障害物が存在するかどうかを判定してもよい。変換器（または「変形モジュール」もしくは「変換モジュール」）２７０は、受信された信号を変換し、例えば、雑音を低減もしくは排除し、および／またはドリフトを補償してもよい。例えば、変換器２７０は、平滑法（例えば、指数平滑法および／または移動平均平滑法）、フィルタ処理（例えば、高域通過、低域通過、および／または帯域通過フィルタ処理）、回帰、および／または他の数値変換技法を実装してもよい。変換器２７０はまた、以下に詳述されるように、例えば、１つまたはそれを上回る光検出器および／または周囲光センサからの他の受信された信号に基づいて、受信された信号を補正してもよい。コントローラ２８０は、光エミッタ、光検出器、および／または煙検出器の他の構成要素を制御してもよい。例えば、コントローラ２８０は、感知されたアラーム状態に応答して、または試験シーケンスの一部として、可聴アラームを放出するスピーカおよび／または光源を制御してもよい。タイマ２９０は、種々の感知された状態の間もしくはそれ以降に経過した時間を測定してもよく、および／または種々の感知もしくは試験シーケンスにおいて利用される所定の遅延を測定するために利用されてもよい。
【００９５】
評価回路１０４（および／またはその構成要素のいずれかもしくは全て）は、汎用マイクロプロセッサであってもよいが、実装に応じて、代替として、マイクロコントローラ、周辺集積回路要素、特定顧客向け（ＣＳＩＣ）、特定用途向け集積回路（ＡＳＩＣ）、論理回路、デジタル信号プロセッサ、フィールドプログラマブルゲートアレイ（ＦＰＧＡ）、プログラマブル論理デバイス（ＰＬＤ）、プログラマブル論理アレイ（ＰＬＡ）等のログラマブル論理デバイス、ＲＦＩＤプロセッサ、スマートチップ、または本発明の実施形態のプロセスのステップを実装可能な任意の他のデバイスもしくはデバイスの配列であってもよい。好ましい実施形態では、評価回路１０４は、マイクロコントローラである。評価回路１０４は、したがって、近接センサ１０６および／または周囲光センサ４００と同一の統合された回路チップの一部とモノリシックに統合されてもよい、または評価回路１０４は、近接センサ１０６および／または周囲光センサ４００を含有する（かつ有線または無線手段によってそこに相互接続される）チップと別個かつ離散したチップ上に配置されてもよい。さらに、評価回路１０４の機能の少なくともいくつかは、ソフトウェア内に、および／または混合ハードウェア−ソフトウェアモジュールとして、実装されてもよい。本明細書に説明される機能性を実装するソフトウェアプログラムは、ＦＯＲＴＲＡＮ、ＰＡＳＣＡＬ、ＪＡＶＡ（登録商標）、Ｃ、Ｃ＋＋、Ｃ＃、ＢＡＳＩＣ、種々のスクリプト言語、および／またはＨＴＭＬ等のいくつかの高級言語のいずれかで書き込まれてもよい。加えて、ソフトウェアは、評価回路１０４内に常駐するマイクロプロセッサにダイレクトされるアセンブリ言語で実装されてもよい。ソフトウェアは、限定ではないが、フロッピー（登録商標）ディスク、ジャンプドライブ、ハードディスク、光ディスク、磁気テープ、ＰＲＯＭ、ＥＰＲＯＭ、ＥＥＰＲＯＭ、フィールドプログラマブルゲートアレイ、ＣＤＲＯＭ、またはＤＶＤＲＯＭを含む、製造品上で具現化されてもよい。ハードウェア−ソフトウェアモジュールを使用する実施形態は、例えば、１つまたはそれを上回るＦＰＧＡ、ＣＰＬＤ、またはＡＳＩＣプロセッサを使用して実装されてもよい。
【００９６】
前述のように、周囲光ビーム２１４の輝度は、部分的に、近接センサによって測定される赤色信号および／または青色信号に寄与し得る。周囲光レベルに変化が生じると、これは、赤色および／または青色信号の変化を生じさせ得、サンプリング体積内に粒子または物体が存在しない場合でも、誤アラームを生じさせ得る。周囲光レベルの変化は、室内光がオンにされる、もしくは電球の輝度出力にＡＣリップルが生じるとき等、ほぼ瞬間的に生じ得る、または周囲光レベルの変化は、日没または日の出時のほぼ夕暮れもしくは夜明けの際等、非常にゆっくり生じ得る。
【００９７】
本発明の好ましい実施形態では、周囲光レベルの変化を補償するために、近接センサ１０６によって測定された赤色信号および青色信号は、周囲光センサ４００によって測定された周囲信号の値に基づいて、評価回路１０４によって補正される。図３は、本発明の種々の実施形態による、周囲光補正の適用を図示する。図３における例示的信号では、部屋は、最初、暗く（裸眼によって知覚されるように）、次いで、第１の時間において、白熱電球が、オンにされ、次いで、第２の時間において、白熱電球が、オフにされる。いずれの時間においても、いかなる粒子または障害物も、サンプリング体積に進入していない。例示的一時的周囲光信号３１０では、３つの固有の領域が、観察される。すなわち、部屋が暗く、周囲光レベルが低く、静的であるときの第１の領域と、白熱電球がオンにされ、周囲光レベルが上昇し、動的であるときの第２の領域と、白熱電球がオフにされ、周囲光レベルが、再び、低く、静的であるときの第３の領域とである。第２の領域における鋸歯状パターンは、白熱電球の輝度出力におけるＡＣリップルに起因し、これは、電球がオフのときには存在しない。例示的かつ一時的な補正されていない赤色信号３２０は、周囲光信号３１０と同一時間間隔にわたって、近接センサ１０６によって出力される。第１および第３の領域では、補正されていない赤色信号３２０は、ほぼ静的である。第２の領域では、補正されていない赤色信号３２０は、周囲光信号３１０と時間的に相関する、類似鋸歯状パターンを有する。本発明の種々の実施形態では、補正されていない赤色信号３２０は、第１の補正を受け、鋸歯状パターンを排除する。第１の補正では、近接センサ１０６は、短時間周期、例えば、１ミリ秒未満のうちに３回の測定を行う。すなわち、赤色光エミッタ５００が照明されないときの１回目の測定と、赤色光エミッタ５００が照明されるときの２回目の測定と、赤色光エミッタ５００が再び照明されないときの３回目の測定とである。１回目および３回目の測定値が、平均され（例えば、非加重平均または測定値のうちの一方に他方より加重する加重平均）、２回目の測定値から減算される。代替実施形態では、少なくとも、ＡＣリップルのナイキスト比率と同じくらい頻繁に測定が行われ、リップルの振幅が、評価回路１０４によって適合され、補正されていない赤色信号３２０から実質的に排除される。第１の補正後、部分的に補正された赤色信号３２２がもたらされる。１２０Ｈｚ  ＡＣ光リップル時間周期（約８．３ｍｓ）よりはるかに短い時間周期（例えば、＜１ｍｓ）にわたって、３回の測定を行うことによって、部分的に補正された赤色信号３２２内の鋸歯状パターンは、排除される。しかしながら、依然として、第２の領域内に残留オフセットが存在する。オフセットの大きさは、周囲光レベルの輝度に関連する。本発明のいくつかの実施形態では、赤色光エミッタ５００が照明されていないときの１回のみの測定が、行われ（赤色光エミッタが照明されるときの測定前または後のいずれか）、および／または照明された信号を補正し、部分的に補正された赤色信号３２２を生成するために利用される（すなわち、平均せずに）。しかしながら、光エミッタが照明されていない���きの複数回の測定を利用する実施形態は、特に、光レベルの急激な変化を伴う環境において、および／または光エミッタが多雑音または高発振光を放出するとき、そこから煙および／または妨害粒子の存在がより正確に判定され得る、信号を提供し得る。本発明の種々の実施形態では、部分的に相関する赤色信号３２２は、周囲光センサ４００によって測定された周囲信号に基づいて、第２の補正を受ける。第２の補正では、部分的に補正された赤色信号は、以下に従って、周囲信号によって調節される。
Ｒｃ＝Ｒ＋ｆ（Ａ，Ｒ）
式中、Ｒｃは、補正された赤色信号であって、Ｒは、補正されていない（または部分的に補正された）赤色信号であって、Ａは、周囲信号である。関数ｆ（Ａ，Ｒ）は、Ａのみ、Ｒのみ、またはＡおよびＲの両方の線形または多項式関数であってもよい。好ましい実施形態では、関数ｆ（Ａ，Ｒ）は、ｆ（Ａ）＝ｍＡの形態をとるＡのみの線形関数であって、式中、ｍは、一定スカラーである。第２の補正後、補正された赤色信号３２４が生じる。第２の補正は、第２の領域内の残留オフセットを減少させる、または実質的に排除する。赤色信号の補正のみが、本実験に例証されたが、赤色信号および青色信号の両方が、本技法を使用して補正されてもよい。いくつかの実施形態では、赤色および青色信号は両方とも、同一の１つまたはそれを上回る非照明測定値（すなわち、赤色または青色光の放出を伴わずに行われた測定）に基づいて、補正される。
【００９８】
センサが、直接、太陽または非常に明るい電球によって照明されるとき等、近接センサ１０６および／または周囲光センサ４００上への周囲光ビーム２１４の輝度が、非常に強くなる場合、いずれかのセンサは、飽和し得、信号を出力することを防止し、さらに、煙検出器の動作を効果的に停止させ得る。いずれかのセンサが、飽和する、または飽和レベルに近い閾値信号（例えば、飽和レベルの９０％）に到達する場合、評価回路１０４は、より低い応答度を伴う、近接センサ１０６または周囲光センサ４００内に内蔵される異なる光検出器に切り替え、飽和状態を回避し、直接、非常に高い周囲光レベルに暴露されるときでも、煙検出器の動作を保証してもよい。代替として、いずれかのセンサが、飽和する、または飽和レベルに近い閾値信号に到達する場合、評価回路１０４は、近接センサ１０６または周囲光センサ４００内に内蔵される光検出器の利得を低下させ、飽和状態を回避してもよい。
【００９９】
補正された赤色および青色信号は、サンプリング体積の内側の粒子が煙粒子または妨害粒子であるかどうかを判定するために使用されてもよい。前述のように、妨害粒子は、これらの粒子が直径約数ミクロンを有するため、赤色（および赤外線）ならびに青色（および菫色および紫外線）光を概して等しく散乱させる一方、煙粒子は、これらの粒子が直径１ミクロン未満を有するため、赤色光より強く青色光を散乱させる。サンプリング体積内の粒子の補正された青色信号と補正された赤色信号との間の比率または差異を求めることによって、評価回路１０４は、粒子が煙粒子または妨害粒子であるかどうかを判定し得る。図４は、本発明の種々の実施形態による、種々の源の補正された青色信号と補正された赤色信号との比率（Ｂｃ／Ｒｃとして指定される）を示す。実験試験では、妨害源（白色バーによって表される）および火災源（黒色バーによって表される）の両方が、試験された。火災源は、余燼（文字「Ｓ」によって表される）と火炎火災（文字「Ｆ」によって表される）に分割される。妨害源の補正された青色／赤色信号比率は、概して、火災源の補正された青色／赤色信号比率より小さい。また、余燼源の補正された青色／赤色信号比率は、概して、火炎火災源の補正された青色／赤色信号比率より小さい。本発明のある実施形態では、補正された青色／赤色信号比率が第１の比率閾値４２０を上回る場合、サンプリング体積内の粒子は、煙粒子であると判定される。補正された青色／赤色信号比率が、第２の比率閾値４２２を下回る場合、サンプリング体積内の粒子は、妨害粒子であると判定される。補正された青色／赤色信号比率が、第１の比率閾値４２０と第２の比率閾値４２２との間にある場合、粒子に関する判定は行われず、付加的測定が行われてもよい。本発明のいくつかの実施形態では、第１および第２の比率閾値４２０、４２２は、実質的に等しい。すなわち、１つのみの比率閾値が、煙と妨害粒子との間で判定を行うために利用される。
【０１００】
検出された信号（例えば、赤色信号、青色信号、または周囲信号）における雑音およびドリフトの影響を最小限にするために、評価回路１０４は、平滑法を信号に適用してもよい。好ましい実施形態では、平滑法は、指数平滑法である。具体的には、電流センサ読取値ｘに関して、平滑化された信号Ｓは、以下の値が割り当てられる。
Ｓ：＝αｘ＋（１−α）Ｓ
式中、αは、平滑係数である。前述の式中の代入演算子（‘：＝’）の使用によって含意されるように、平滑化された信号Ｓは、別の変数の使用を伴わずに更新され得る。平滑係数αは、０＜α＜１の範囲内である。
【０１０１】
本発明の種々の実施形態では、低速変動および高速変動信号は、２つの平滑化された信号を計算し、差異を求めることによって区別され得る。第１の平滑化された信号は、典型的には、０．０１＜α＜１の範囲内のより大きい平滑係数αを有する。これは、有意な遅滞を伴わずに、数秒または数分にわたって変化する信号を追跡し得る。第２の平滑化された信号は、典型的には、０．０００１＜α＜０．０１の範囲内のより小さい平滑係数αを有する。これは、有意な遅滞を伴わずに、数時間にわたって変化する信号のみを追跡し得る。信号に低速変動ドリフトが存在するとき、第１および第２の平滑化された信号は両方とも、有意な遅滞を伴わずに、ドリフトを追跡し得る。信号差は、この場合、典型的には、ほぼゼロとなるであろう。対照的に、サンプル体積内への煙粒子、妨害粒子、または障害物の侵入は、信号により高速な変動をもたらす。第１の平滑化された信号は、有意な遅滞を伴わずに、変化を追跡し得るが、第２の平滑化された信号は、概して、そうではないであろう。信号差は、この場合、典型的には、アラーム閾値を超え得る、正値を有するであろう。
【０１０２】
第２の平滑化された信号が第１の平滑化された信号より常に大きい場合（検出された信号に低下が存在する場合に生じ得る）、第２の平滑化された信号は、第１の平滑化された信号の値が割り当てられる。これは、任意の潜在的アラーム状態が、遅延されないように、または検出されないことがないように、検出された信号に増加が存在するとき、信号差が、常時、正となるであろうことを保証する。
【０１０３】
補正された赤色信号または補正された青色信号（以下、信号と称される）のいずれかに基づく、信号差は、サンプリング体積の内側の物体が粒子または障害物であるかどうかを判定するために使用されてもよい。これは、２つの閾値、すなわち、障害物閾値および煙閾値を確立することによって、遂行されてもよい。固体物体は、煙粒子よりはるかに大きい断面積を有し、したがって、物体は、概して、４０％／フィートを上回る非常に強力な煙による視界低下（または密度）に対しても、煙粒子より明らかに強い信号を生成するであろう。したがって、障害物閾値は、好ましくは、煙による視界低下が約４０％／フィートであるときに発生される信号より高く設定される。信号が、所定の時間量の間、障害物閾値を超える場合、障害物アラーム（すなわち、煙検出器自体または外部通知デバイス上の可聴音または可視光）が、アクティブ化されてもよい。所定の遅延は、外部サンプリング体積を通して通過する昆虫等、一過性の事象から望ましくない（または「誤」）アラームを排除する。
【０１０４】
煙閾値は、典型的には、障害物閾値より低く設定される。煙閾値は、煙による視界低下が外部サンプリング体積内の約０．５．％／フィートを超えるが、典型的には、約４％／フィートを上回らないときに発生される信号に対応してもよい。信号が、所定の時間量の間、煙閾値を超える場合、煙アラーム（すなわち、煙検出器自体または外部通知デバイス上の可聴音または可視光）が、アクティブ化されてもよい。煙アラームは、音、持続時間、音量、強度、色、および／または周波数が障害物アラームと異なってもよい。
【０１０５】
煙検出器の手動システム試験が、所定の時間量（例えば、２〜２０秒の最小持続時間）の間、手またはほうきの柄等の物体を外部サンプリング体積の中に侵入させ、信号を意図的に増加させ、障害物アラームまたは煙アラームのいずれかをアクティブ化することによって、行われてもよい。アラームがすでにアクティブ化されている場合、物体が、所定の時間量の間、外部サンプリング体積の中に侵入され、一時的または恒久的に（少なくとも、現在感知されている状態の間、および／または煙検出器がリセットされるまで）、アラームを静音化させてもよい。
【０１０６】
前述の種々の実施形態では、評価回路１０４は、検出された信号の一時的パターンを分析し、煙検出器のサンプリング体積内に煙粒子、妨害粒子、または障害物が存在するかどうかを判定し、煙アラーム、障害物アラーム、または無アラームをアクティブ化させるかどうかの適切な措置を講じる。該当する場合、存在する状態を判定する別の例示的技法は、図５に図示される。これは、検出または計算された信号のいずれも任意の閾値を超えないときに煙検出器によって追従され得、かつ（例えば、図２Ｂに描写されるような）評価回路１０４によって実行され得る、例示的スタンバイシーケンスである。
【０１０７】
プロセスステップ５４０では、補正されていない赤色信号Ｒ、補正されていない青色信号Ｂ、および周囲信号Ａが、測定される。ある実施形態では、信号はいずれも、複数の測定値の平均であってもよい。別の実施形態では、信号平滑法が、これらの信号のいずれかまたは全てに適用されてもよい。別の実施形態では、全信号の測定は、１００ミリ秒未満、好ましくは、１ミリ秒未満のうちに生じる。別の実施形態では、短遅延（例えば、約０．１〜１０秒）が、測定前に挿入され、煙検出器の電力消費を低減させてもよい。そのような電力消費の低減は、煙検出器がバッテリによって給電されるとき、バッテリ寿命を延長させるために重要であり得る。別の実施形態では、補正されていない青色信号は、補正されていない赤色信号より低頻度で測定されてもよい。
【０１０８】
プロセスステップ５４２では、補正された赤色信号Ｒｃおよび補正された青色信号Ｂｃが、補正されていない赤色信号Ｒ、補正されていない青色信号Ｂ、および周囲信号Ａに基づいて、計算される。ある実施形態では、前述のように、Ｒｃ＝Ｒ＋ｆ（Ａ，Ｒ）およびＢｃ＝Ｂ＋ｆ（Ａ，Ｂ）である。好ましい実施形態では、Ｒｃ＝Ｒ＋ｍＡおよびＢｃ＝Ｂ＋ｎＡであって、式中、ｍおよびｎは、スカラー定数である。
【０１０９】
決定ステップ５４４では、Ｒｃが規定された障害物閾値を上回る場合、障害物が、サンプリング体積内に存在し、障害物検出シーケンス５５２が、アクティブ化されてもよい。煙粒子または妨害粒子が外部サンプリング体積内に存在するとき、非常に高い視界低下密度を伴っても、粒子から散乱された光の量は、典型的には、依然として、外部サンプリング体積内の物理的障害物から反射された光の量未満である。これは、特に、粒子が、典型的には、スタンバイシーケンスの１回の測定サイクル内に高視界低下密度を蓄積せず、物理的障害物が、１回の測定サイクル内で外部サンプリング体積の中に侵入され得、サイクル間におけるＲｃの急増につながるため、該当する。障害物閾値は、好ましくは、１回の測定サイクル以内の煙の蓄積によって合理的に到達されることができないレベルに設定される。代替実施形態では、Ｂｃは、Ｒｃの代わりに、決定変数として使用される。
【０１１０】
決定ステップ５４６では、Ｒｃが規定された煙閾値を上回る（かつ障害物閾値未満である）場合、障害物以外のものがサンプリング体積内に存在することを示す。条件が該当しない場合、プロセスステップ５４０は、繰り返される。煙閾値は、典型的には、障害物閾値未満である。ほとんどの任意の電気信号と同様に、信号は、典型的には、雑音を含有し、これは、「真」の信号に追加されるランダム信号として特徴付けられ得る。煙閾値は、好ましくは、雑音の追加を通して合理的に達成されることができないレベルに設定される。好ましい実施形態では、煙閾値は、煙による視界低下が外部サンプリング体積内の約０．５％／フィートを超えるが、典型的には、約４％／フィートを上回らないときに発生される信号に対応してもよい。代替実施形態では、Ｂｃは、Ｒｃの代わりに、決定変数として使用される。
【０１１１】
決定ステップ５４８では、比率Ｂｃ／Ｒｃが規定された第１の比率閾値（例えば、第１の比率閾値４２０）を上回る場合、煙粒子が、サンプリング体積内に存在し、煙検出シーケンス５５４が、アクティブ化されてもよい。第１の比率閾値は、典型的には、火炎および余燼によって発生される煙粒子に対して測定される比率未満である。第１の比率閾値は、典型的には、以下に説明される第２の比率閾値を上回る。
【０１１２】
決定ステップ５５０では、比率Ｂｃ／Ｒｃが規定された第２の比率閾値（例えば、第２の比率閾値４２２）未満である場合、妨害粒子がサンプリング体積内に存在し、妨害物検出シーケンス５５６が、アクティブ化されてもよい。条件が該当しない場合、プロセスステップ５４０は、繰り返される。第２の比率閾値は、典型的には、第１の比率閾値未満である。第２の比率閾値は、典型的には、妨害粒子に対して測定された比率を上回る。ある実施形態では、第１の比率閾値および第２の比率閾値は、ほぼ等しくてもよい。
【０１１３】
本明細書で採用される用語および表現は、説明の用語および表現として使用され、限定ではなく、そのような用語および表現の表現の使用に、図示および説明される特徴またはその一部の任意の均等物を除外する意図がない。加えて、本発明のある実施形態が説明されたが、本明細書に開示される概念を組み込む他の実施形態が、本発明の精神および範囲から逸脱することなく使用されてもよいことは、当業者に明白となるであろう。故に、説明される実施形態は、あらゆる観点において、例証にすぎず、制限ではないと見なされるべきである。
【図１Ａ】
0006407295.tif 000002
【図１Ｂ】
0006407295.tif 000003
【図１Ｃ】
0006407295.tif 000004
【図１Ｄ】
0006407295.tif 000005
【図２Ａ】
0006407295.tif 000006
【図２Ｂ】
0006407295.tif 000007
【図２Ｃ】
0006407295.tif 000008
【図３】
0006407295.tif 000009
【図４】
0006407295.tif 000010
【図５】
0006407295.tif 000011